【事件の表示】
　上記当事者間の特許第４３６２１３０号発明「テレビジョン・システムにおけるマルチ・ソース情報の組合せ」の特許無効審判事件について、次のとおり審決する。
【結　論】
　本件審判の請求は、成り立たない。
　審判費用は、請求人の負担とする。
【理　由】
【第１】手続の概要
　
　本件特許第４３６２１３０号は、平成８年４月４日（パリ条約による優先権主張：平成７年４月１７日、米国）を国際出願日とする出願である特願平８−５３１７７６号（以下、「原出願」ともいう。）の一部を、拒絶査定不服審判請求の日から明細書について補正ができる期間内である平成１８年８月２日に新たな特許出願（特願２００６−２１１５０７号）として出願され、
　平成２１年８月２１日に設定登録されたものであって、手続きの概要は以下の通りである。
　
　本件（分割）出願　　　　　　　平成１８年　８月　２日
　　｛特願２００６−２１１５０７号、
　　　原出願：特願平８−５３１７７６号（平成８年４月４日出願、
　　　パリ条約による優先権主張　平成７年４月１７日、米国）｝
　設定登録（請求項の数２２）　　平成２１年　８月２１日 
　本件無効審判請求（請求人）　　平成２２年　７月１６日 
　答弁書（被請求人）　　　　　　平成２２年１１月　２日付け
　審理事項通知書（合議体）　　　平成２３年　２月１０日付け
　　　　（両当事者に対して）　　　　
　口頭審理陳述要領書（請求人）　平成２３年　３月２２日付け 
　口頭審理陳述要領書（被請求人）平成２３年　４月　５日付け 
　口頭審理　　　　　　　　　　　平成２３年　４月１２日 
　
【第２】特許請求の範囲
　
　本件特許第４３６２１３０号の特許請求の範囲の記載は，次のとおりである。
　
　「【特許請求の範囲】
【請求項１】
  ユーザ機器装置において用いられる方法であって、該ユーザ機器装置は、第１の伝送方式を用いて、第１の伝送源としての第１のソース装置から伝送される複数の第１のテレビジョン番組を受信する第１のチューナと、該第１の伝送方式とは異なる第２の伝送方式を用いて、第２の伝送源としての第２のソース装置から伝送される複数の第２のテレビジョン番組を受信する第２のチューナとを有し、
  該方法は、
  該第１のソース装置から該第１の伝送方式を用いて伝送される第１の番組スケジュール情報と、該第２のソース装置から該第２の伝送方式を用いて伝送される第２の番組スケジュール情報とを受信することであって、該第１の番組スケジュール情報は、該複数の第１のテレビジョン番組のうちの１つに対応し、該第２の番組スケジュール情報は、該複数の第２のテレビジョン番組のうちの１つに対応する、ことと、
  該第１の番組スケジュール情報と該第２の番組スケジュール情報とを有するチャンネルガイドを提供することと、
  該チャンネルガイドに含まれる複数の番組スケジュール情報のうちの少なくともいくつかを表示することと、
  該チャンネルガイドに含まれる該複数の番組スケジュール情報のうちユーザによって選択された１つの番組スケジュール情報を指定するユーザ選択を示す信号を受信したことに応答して、該ユーザ機器装置上に表示を出力するために、該第１のチューナおよび該第２のチューナのうちの１つを選択することであって、該ユーザ選択によって指定された番組スケジュール情報が該第１の番組スケジュール情報である場合には、該第１のチューナが選択され、該ユーザ選択によって指定された番組スケジュール情報が該第２の番組スケジュール情報である場合には、該第２のチューナが選択される、ことと、
  該選択されたチューナによって受信され、該ユーザ選択によって指定された番組スケジュール情報に対応するテレビジョン番組を提供することと
  を包含する、方法。
【請求項２】
  前記第１の番組スケジュール情報と前記第２の番組スケジュール情報とを結合することにより、前記チャンネルガイドを形成することをさらに包含する、請求項１に記載の方法。
【請求項３】
  前記複数の番組スケジュール情報を所望の順序で混合し、ソートすることと、
  該複数の番組スケジュール情報を所望の順序で提供することと
  をさらに包含する、請求項１に記載の方法。
【請求項４】
  前記複数の番組スケジュール情報から重複した番組スケジュール情報を自動的に削除することをさらに包含する、請求項１に記載の方法。
【請求項５】
  前記複数の番組スケジュール情報のそれぞれに対する信号ソース識別子を提供することをさらに包含し、各信号ソース識別子は、前記第１の伝送方式および前記第２の伝送方式のうちの１つを識別する、請求項１に記載の方法。
【請求項６】
  前記複数の番組スケジュール情報のうちユーザによって選択された１つの番組スケジュール情報を指定するユーザ選択を示す信号を受信することと、
  該ユーザ選択によって指定された番組スケジュール情報に対応する前記第１の伝送方式および前記第２の伝送方式のうちの１つを識別する信号ソース識別子を検索することと、
  該識別された伝送方式を用いる前記第１のチューナおよび前記第２のチューナのうちの１つからテレビジョン信号を受信することと
  をさらに包含する、請求項５に記載の方法。
【請求項７】
  前記第１のソース装置および前記第２のソース装置は、ケーブル、放送ソース、アンテナソース、地上ソース、衛星ソース、直接放送衛星ソースからなる群から選択される、請求項１に記載の方法。
【請求項８】
  前記複数の番組スケジュール情報のうちの１つに対応するテレビジョン番組を伝送するために用いられる伝送方式を識別し、表示することをさらに包含する、請求項１に記載の方法。
【請求項９】
  前記複数の番組スケジュール情報のうちの１つに対応するテレビジョン番組を伝送するために用いられる伝送方式を識別し、表示することは、前記第１の番組スケジュール情報を第１の色で表示することと、前記第２の番組スケジュール情報を該第１の色とは異なる第２の色で表示することとを包含する、請求項８に記載の方法。
【請求項１０】
  前記第１の伝送方式および前記第２の伝送方式のうちの１つは、地上波を用いた伝送方式である、請求項１に記載の方法。
【請求項１１】
  前記第１の伝送方式および前記第２の伝送方式のうちの１つは、衛星を用いた伝送方式である、請求項１に記載の方法。
【請求項１２】
  ユーザ機器装置において用いられるシステムであって、該ユーザ機器装置は、第１の伝送方式を用いて、第１の伝送源としての第１のソース装置から伝送される複数の第１のテレビジョン番組を受信する第１のチューナと、該第１の伝送方式とは異なる第２の伝送方式を用いて、第２の伝送源としての第２のソース装置から伝送される複数の第２のテレビジョン番組を受信する第２のチューナとを有し、
  該システムは、
  該第１のソース装置から該第１の伝送方式を用いて伝送される第１の番組スケジュール情報と、該第２のソース装置から該第２の伝送方式を用いて伝送される第２の番組スケジュール情報とを受信する手段であって、該第１の番組スケジュール情報は、該複数の第１のテレビジョン番組のうちの１つに対応し、該第２の番組スケジュール情報は、該複数の第２のテレビジョン番組のうちの１つに対応する、手段と、
  該第１の番組スケジュール情報と該第２の番組スケジュール情報とを有するチャンネルガイドを提供する手段と、
  該チャンネルガイドに含まれる複数の番組スケジュール情報のうちの少なくともいくつかを表示する手段と、
  該チャンネルガイドに含まれる該複数の番組スケジュール情報のうちユーザによって選択された１つの番組スケジュール情報を指定するユーザ選択を示す信号を受信したことに応答して、該ユーザ機器装置上に表示を出力するために、該第１のチューナおよび該第２のチューナのうちの１つを選択する手段であって、該ユーザ選択によって指定された番組スケジュール情報が該第１の番組スケジュール情報である場合には、該第１のチューナが選択され、該ユーザ選択によって指定された番組スケジュール情報が該第２の番組スケジュール情報である場合には、該第２のチューナが選択される、手段と、
  該選択されたチューナによって受信され、該ユーザ選択によって指定された番組スケジュール情報に対応するテレビジョン番組を提供する手段と
  を含む、システム。
【請求項１３】
  前記第１の番組スケジュール情報と前記第２の番組スケジュール情報とを結合することにより、前記チャンネルガイドを形成する手段をさらに含む、請求項１２に記載のシステム。
【請求項１４】
  前記複数の番組スケジュール情報を所望の順序で混合し、ソートする手段と、
  該複数の番組スケジュール情報を所望の順序で提供する手段と
  をさらに含む、請求項１２に記載のシステム。
【請求項１５】
  前記チャンネルガイドを提供する手段は、前記複数の番組スケジュール情報から重複した番組スケジュール情報を自動的に削除する手段をさらに含む、請求項１２に記載のシステム。
【請求項１６】
  前記複数の番組スケジュール情報のそれぞれに対する信号ソース識別子を提供する手段をさらに含み、各信号ソース識別子は、前記第１の伝送方式および前記第２の伝送方式のうちの１つを識別する、請求項１２に記載のシステム。
【請求項１７】
  前記複数の番組スケジュール情報のうちユーザによって選択された１つの番組スケジュール情報を指定するユーザ選択を示す信号を受信する手段と、
  該ユーザ選択によって指定された番組スケジュール情報に対応する前記第１の伝送方式および前記第２の伝送方式のうちの１つを識別する信号ソース識別子を検索する手段と、
  該識別された伝送方式を用いる前記第１のチューナおよび前記第２のチューナのうちの１つからテレビジョン信号を受信する手段と
  をさらに含む、請求項１６に記載のシステム。
【請求項１８】
  前記第１のソース装置および前記第２のソース装置は、ケーブル、放送ソース、アンテナソース、地上ソース、衛星ソース、直接放送衛星ソースからなる群から選択される、請求項１２に記載のシステム。
【請求項１９】
  前記複数の番組スケジュール情報のうちの１つに対応するテレビジョン番組を伝送するために用いられる伝送方式を識別し、表示する手段をさらに含む、請求項１２に記載のシステム。
【請求項２０】
  前記複数の番組スケジュール情報のうちの１つに対応するテレビジョン番組を伝送するために用いられる伝送方式を識別し、表示する手段は、前記第１の番組スケジュール情報を第１の色で表示する手段と、前記第２の番組スケジュール情報を該第１の色とは異なる第２の色で表示する手段とを含む、請求項１９に記載のシステム。
【請求項２１】
  前記第１の伝送方式および前記第２の伝送方式のうちの１つは、地上波を用いた伝送方式である、請求項１２に記載のシステム。
【請求項２２】
  前記第１の伝送方式および前記第２の伝送方式のうちの１つは、衛星を用いた伝送方式である、請求項１２に記載のシステム。」
　
　〈構成要件の分説〉
　
　下記の請求項（無効が請求されている請求項）は、それぞれ、上記のとおりの構成要件をその構成としたものと認められるところ、以下での検討の便宜上、各構成要件を次のとおり１Ａ，１Ｂ・・・，２Ａ・・などと下記のとおりに分説する（以下、この分説に従って、「（要件）１Ａ」などという。なお、このように分説することについて当事者間に争いはない。）。
　
　　　　　記（請求項　１〜　３，　５〜　８，１０，１１
　　　　　　　請求項１２〜１４，１６〜１９，２１，２２
　　　　　　　の構成要件の分説）
　
【請求項１】
１Ａ：ユーザ機器装置において用いられる方法であって、該ユーザ機器装置は、第１の伝送方式を用いて、第１の伝送源としての第１のソース装置から伝送される複数の第１のテレビジョン番組を受信する第１のチューナと、該第１の伝送方式とは異なる第２の伝送方式を用いて、第２の伝送源としての第２のソース装置から伝送される複数の第２のテレビジョン番組を受信する第２のチューナとを有し、
  該方法は、
１Ｂ：該第１のソース装置から該第１の伝送方式を用いて伝送される第１の番組スケジュール情報と、該第２のソース装置から該第２の伝送方式を用いて伝送される第２の番組スケジュール情報とを受信することであって、該第１の番組スケジュール情報は、該複数の第１のテレビジョン番組のうちの１つに対応し、該第２の番組スケジュール情報は、該複数の第２のテレビジョン番組のうちの１つに対応する、ことと、
１Ｃ：該第１の番組スケジュール情報と該第２の番組スケジュール情報とを有するチャンネルガイドを提供することと、
１Ｄ：該チャンネルガイドに含まれる複数の番組スケジュール情報のうちの少なくともいくつかを表示することと、
１Ｅ：該チャンネルガイドに含まれる該複数の番組スケジュール情報のうちユーザによって選択された１つの番組スケジュール情報を指定するユーザ選択を示す信号を受信したことに応答して、該ユーザ機器装置上に表示を出力するために、該第１のチューナおよび該第２のチューナのうちの１つを選択することであって、該ユーザ選択によって指定された番組スケジュール情報が該第１の番組スケジュール情報である場合には、該第１のチューナが選択され、該ユーザ選択によって指定された番組スケジュール情報が該第２の番組スケジュール情報である場合には、該第２のチューナが選択される、ことと、
１Ｆ：該選択されたチューナによって受信され、該ユーザ選択によって指定された番組スケジュール情報に対応するテレビジョン番組を提供することと
  を包含する、方法。
　
【請求項２】
２Ａ：前記第１の番組スケジュール情報と前記第２の番組スケジュール情報とを結合することにより、前記チャンネルガイドを形成することをさらに包含する、請求項１に記載の方法。
【請求項３】
３Ａ：前記複数の番組スケジュール情報を所望の順序で混合し、ソートすることと、
３Ｂ：該複数の番組スケジュール情報を所望の順序で提供することと
  をさらに包含する、請求項１に記載の方法。
　
【請求項５】
５Ａ：前記複数の番組スケジュール情報のそれぞれに対する信号ソース識別子を提供することをさらに包含し、各信号ソース識別子は、前記第１の伝送方式および前記第２の伝送方式のうちの１つを識別する、請求項１に記載の方法。
【請求項６】
 ６Ａ：前記複数の番組スケジュール情報のうちユーザによって選択された１つの番組スケジュール情報を指定するユーザ選択を示す信号を受信することと、
６Ｂ：該ユーザ選択によって指定された番組スケジュール情報に対応する前記第１の伝送方式および前記第２の伝送方式のうちの１つを識別する信号ソース識別子を検索することと、
６Ｃ：該識別された伝送方式を用いる前記第１のチューナおよび前記第２のチューナのうちの１つからテレビジョン信号を受信することと
  をさらに包含する、請求項５に記載の方法。
【請求項７】
７Ａ：前記第１のソース装置および前記第２のソース装置は、ケーブル、放送ソース、アンテナソース、地上ソース、衛星ソース、直接放送衛星ソースからなる群から選択される、請求項１に記載の方法。
【請求項８】
８Ａ：前記複数の番組スケジュール情報のうちの１つに対応するテレビジョン番組を伝送するために用いられる伝送方式を識別し、表示することをさらに包含する、請求項１に記載の方法。
　
【請求項１０】
１０Ａ：前記第１の伝送方式および前記第２の伝送方式のうちの１つは、地上波を用いた伝送方式である、請求項１に記載の方法。
【請求項１１】
 １１Ａ：前記第１の伝送方式および前記第２の伝送方式のうちの１つは、衛星を用いた伝送方式である、請求項１に記載の方法。
　
【請求項１２】
１２Ａ：ユーザ機器装置において用いられるシステムであって、該ユーザ機器装置は、第１の伝送方式を用いて、第１の伝送源としての第１のソース装置から伝送される複数の第１のテレビジョン番組を受信する第１のチューナと、該第１の伝送方式とは異なる第２の伝送方式を用いて、第２の伝送源としての第２のソース装置から伝送される複数の第２のテレビジョン番組を受信する第２のチューナとを有し、
  該システムは、
１２Ｂ：該第１のソース装置から該第１の伝送方式を用いて伝送される第１の番組スケジュール情報と、該第２のソース装置から該第２の伝送方式を用いて伝送される第２の番組スケジュール情報とを受信する手段であって、該第１の番組スケジュール情報は、該複数の第１のテレビジョン番組のうちの１つに対応し、該第２の番組スケジュール情報は、該複数の第２のテレビジョン番組のうちの１つに対応する、手段と、
１２Ｃ：該第１の番組スケジュール情報と該第２の番組スケジュール情報とを有するチャンネルガイドを提供する手段と、
１２Ｄ：該チャンネルガイドに含まれる複数の番組スケジュール情報のうちの少なくともいくつかを表示する手段と、
１２Ｅ：該チャンネルガイドに含まれる該複数の番組スケジュール情報のうちユーザによって選択された１つの番組スケジュール情報を指定するユーザ選択を示す信号を受信したことに応答して、該ユーザ機器装置上に表示を出力するために、該第１のチューナおよび該第２のチューナのうちの１つを選択する手段であって、該ユーザ選択によって指定された番組スケジュール情報が該第１の番組スケジュール情報である場合には、該第１のチューナが選択され、該ユーザ選択によって指定された番組スケジュール情報が該第２の番組スケジュール情報である場合には、該第２のチューナが選択される、手段と、
１２Ｆ：該選択されたチューナによって受信され、該ユーザ選択によって指定された番組スケジュール情報に対応するテレビジョン番組を提供する手段と
  を含む、システム。
　
【請求項１３】
１３Ａ：前記第１の番組スケジュール情報と前記第２の番組スケジュール情報とを結合することにより、前記チャンネルガイドを形成する手段をさらに含む、請求項１２に記載のシステム。
【請求項１４】
１４Ａ：前記複数の番組スケジュール情報を所望の順序で混合し、ソートする手段と、
１４Ｂ：該複数の番組スケジュール情報を所望の順序で提供する手段と
  をさらに含む、請求項１２に記載のシステム。
　
【請求項１６】
１６Ａ：前記複数の番組スケジュール情報のそれぞれに対する信号ソース識別子を提供する手段をさらに含み、各信号ソース識別子は、前記第１の伝送方式および前記第２の伝送方式のうちの１つを識別する、請求項１２に記載のシステム。
【請求項１７】
１７Ａ：前記複数の番組スケジュール情報のうちユーザによって選択された１つの番組スケジュール情報を指定するユーザ選択を示す信号を受信する手段と、
１７Ｂ：該ユーザ選択によって指定された番組スケジュール情報に対応する前記第１の伝送方式および前記第２の伝送方式のうちの１つを識別する信号ソース識別子を検索する手段と、
１７Ｃ：該識別された伝送方式を用いる前記第１のチューナおよび前記第２のチューナのうちの１つからテレビジョン信号を受信する手段と
  をさらに含む、請求項１６に記載のシステム。
【請求項１８】
１８Ａ：前記第１のソース装置および前記第２のソース装置は、ケーブル、放送ソース、アンテナソース、地上ソース、衛星ソース、直接放送衛星ソースからなる群から選択される、請求項１２に記載のシステム。
【請求項１９】
１９Ａ：前記複数の番組スケジュール情報のうちの１つに対応するテレビジョン番組を伝送するために用いられる伝送方式を識別し、表示する手段をさらに含む、請求項１２に記載のシステム。
　
【請求項２１】
 ２１Ａ：前記第１の伝送方式および前記第２の伝送方式のうちの１つは、地上波を用いた伝送方式である、請求項１２に記載のシステム。
【請求項２２】
２２Ａ：前記第１の伝送方式および前記第２の伝送方式のうちの１つは、衛星を用いた伝送方式である、請求項１２に記載のシステム。
　
【第３】当事者の主張 
　
【第３-１】請求人の主張（請求）
　
［１］請求の趣旨（概要）
　本件特許請求の範囲の請求項１〜３，５〜８，１０〜１４，１６〜１９，２１及び２２についての特許を無効とする。
　審判費用は被請求人の負担とする。
　
［２］請求の理由
　
　（１）無効理由１（明確性要件違反１「ソース装置」）
　特許請求の範囲の記載で使用されている「ソース装置」とは，その意味が不明確であり，
　請求項１〜３，５〜８，１０〜１４，１６〜１９，２１及び２２の記載は、特許法第３６条第６項第２号「特許を受けようとする発明が明確であること」（明確性要件））の規定を満たさない。
　したがって，請求項１〜３，５〜８，１０〜１４，１６〜１９，２１及び２２に係る特許は，いずれも特許法第１２３条第１項第４号の規定により無効とすべきものである。
　
　（２）無効理由２（明確性要件違反２「チャンネルガイド」）
　特許請求の範囲の記載で使用されている「チャンネルガイド」とは，その意味が不明確であり，
　請求項１〜３，５〜８，１０〜１４，１６〜１９，２１及び２２の記載は、特許法第３６条第６項第２号「特許を受けようとする発明が明確であること」（明確性要件）の規定を満たさない。
　したがって，請求項１〜３，５〜８，１０〜１４，１６〜１９，２１及び２２に係る特許は，いずれも特許法第１２３条第１項第４号の規定により無効とすべきものである。
　
　（３）無効理由３（サポート要件違反、原文新規事項追加）
　（３-１）サポート要件違反
　請求項１における「チャンネルガイドを提供すること」および，請求項１２における「チャンネルガイドを提供する手段」は，いずれも本件特許明細書の発明の詳細な説明に記載されておらず，
　請求項１〜３，５〜８，１０〜１４，１６〜１９，２１及び２２の記載は、特許法第３６条第６項第１号「特許を受けようとする発明が発明の詳細な説明に記載したものであること」（サポート要件）の規定を満たさない。
　したがって，請求項１〜３，５〜８，１０〜１４，１６〜１９，２１及び２２に係る特許は，いずれも特許法第１２３条第１項第４号の規定により無効とすべきものである。
　
　（３-２）原文新規事項追加
　請求項１における「該チャンネルガイドに含まれる複数の番組スケジュール情報のうちの少なくともいくつかを表示することと」および，請求項１２における「該チャンネルガイドに含まれる複数の番組スケジュール情報のうちの少なくともいくつかを表示する手段と」は，いずれも，本件特許の国際出願日における国際出願の明細書，請求の範囲及び図面（以下「原文」という。）に記載されておらず，本件特許の願書に添付した明細書又は図面に記載した事項が原文に記載した事項の範囲内にない。
　したがって，請求項１〜３，５〜８，１０〜１４，１６〜１９，２１及び２２に係る特許は，平成１４年改正前特許法第１８４条の１８によって読み替えて適用される同法第１２３条第１項第５号に該当し，無効とすべきである。
        
　（４）無効理由４（新規性欠如・進歩性欠如）
　（４-１）新規性欠如
　請求項１，２，５，８，１０，１２，１３，１６，１９，２１（計１０）に係る特許発明は、甲２号証に記載された発明である（新規性欠如）から、特許法第２９条第１項３号に該当し特許を受けることができない。
　したがって，請求項１，２，５，８，１０，１２，１３，１６，１９、２１に係る特許は，特許法第１２３条第１項第２号に該当し，無効とすべきものである。
　（４-２）進歩性欠如
　請求項３，７，１１，１４，１８，２２（計６）に係る特許発明は、甲２号証に記載された発明に基づいて、当業者が容易に発明をすることができたものであるから、特許法第２９条第２項の規定により特許を受けることができないものである。
　また、請求項６，１７（計２）に係る特許発明は、甲２号証に記載された発明及び甲５号証に記載された発明に基づいて、当業者が容易に発明をすることができたものであるから、特許法第２９条第２項の規定により特許を受けることができないものである。
　したがって、請求項３，６，７，１１，１４，１７，１８，２２（計８）に係る特許は，特許法第１２３条第１項第２号に該当し，無効とすべきものである。
　
［３］請求の理由の要点 
　
　以下，請求人が無効を求める請求項１〜３，５〜８，１０〜１４，１６〜１９，２１及び２２に係る各発明を「本件発明１」，「本件発明２」・・・などとともいう。
　
［３-１］無効理由１（明確性要件違反１「ソース装置」）
　　　　の具体的要点
　−請求書−
　ア　「ソース装置」とは，「ソース」にかかる「装置」である。「ソース」とは，「source」すなわち，「源，元，起点」などを意味する用語で，これが「装置」にかかることによって，何らかの「情報・データの発信源となる装置」を意味するものと考えられる。しかし，一般にテレビジョンに関する装置において「ソース装置」という用語が用いられることはなく，具体的にどの機器・装置を示すのかは明らかではない。
　イ　明細書の段落【００１１】の「ソース装置には，ＤＢＳ ，ケーブル・ボックス，テレビジョン・チューナ等が含まれる。」によれば，少なくとも「テレビジョン・チューナ」は，受信側の装置を示すものであることが明らかである。そうすると，「ソース装置」とは，テレビジョン・チューナを含む受信側の装置の上位概念としての装置を示すものだと考えられる。
　しかし，要件１Ａにおける「ソース装置」を「テレビジョン・チューナ」に置き換えてみると，
【要件１Ａ（抜粋）】第１のテレビジョン・チューナから伝送される複数の第１のテレビジョン番組を受信する第１のチューナとなり，「チューナ」から「チューナ」に伝送することになり，要件１Ａの内容がまったく意味をなさないことになる。
　このように，請求項中の用語であるところの「ソース装置」を明細書中の説明にしたがって解釈すると，請求項の内容が不明確であるといわざるを得ない。
　−口頭審理陳述要領書−
　ウ　被請求人は，【００１１】に挙げた「ＤＢＳ，ケーブル・ボックス，テレビジョン・チューナ等が含まれる。」という記載が例示である上に，「少なくとも１つが請求項に記載の『ソース装置』の定義を満たせば十分である」と主張するが，その根拠が明らかではない。一般に，ある用語の具体例として例示したものは，すべてその定義に含まれると考えられるが，被請求人が「ソース装置」の定義に限っては「少なくとも１つが・・満たせば十分である」と主張するのであれば，その根拠を明らかにされたい。
　エ　仮に「ソース装置」が「複数の第１のテレビジョン番組を伝送」するものであるとすると，ＤＢＳ，ケーブル・ボックス，テレビジョン・チューナが複数のテレビジョン番組を伝送するという部分については，明細書に開示がない。
　オ　なお、電気機器，電子機器などの工学分野における伝送とは，情報やデータを一方の装置から他の装置へ移動させる際に，別の形式に変えて伝えることをいう。形式を変えないで移動させる「転送」とは異なる用語として用いられている（甲１３）。要件１Ａによれば，ソース装置は，テレビジョン番組等を「伝送」する装置であるところ，【００１１】でソース装置の例として示された「ＤＢＳ，ケーブル・ボックス，テレビジョン・チューナ」は，いかなる形式からどのように変調されているのかについて，明細書中に開示がなされていない。
　
［３-２］無効理由２（明確性要件違反２「チャンネルガイド」）
　　　　の具体的要点
　−請求書−
　ア　要件１Ｃの記載によれば，「チャンネルガイド」とは，「第１の番組スケジュール情報と該第２の番組スケジュール情報とを有する」ものであって，要件１Ｄの記載によれば，番組スケジュール情報のうちのいくつかを表示することができ，要件１Ｅの記載によれば，チャンネルガイドからユーザが番組スケジュール情報を選択することができるとなっている。しかし，この請求項の記載それ自体からは，「チャンネルガイド」が何を示すのかは明らかであるとはいえない。
　「チャンネル」とは，本件特許発明がテレビジョン・システムに関する発明であることから，「テレビ放送毎に割り当てられたそれぞれの周波数帯域に伏せられた番号，識別子」を意味するものと考えられ，「ガイド」とは，「guide」すなわち，案内すること，手引きすることを意味するため，「チャンネルガイド」とは，チャンネルを選択・識別するための手引きのようなものを意味するものと考えられる。
　例えば甲第４号証（特開平４−２３３８７７）においては，下図のような図が「チャンネルガイド」とされている。これは各チャンネルの小画像とチャンネル番号が複数個同時に表示されているものである。
　
　イ　明細書の段落【０００８】「本発明は，テレビジョン・システムのチャンネル・ガイド情報を組合せる（マージする）方法を提供する。この方法は，チャンネル・ガイド情報の受信及び記憶を含む。チャンネル・ガイド情報は，多数のテレビジョン信号ソースから受信される。このチャンネル・ガイド情報を受信した後で，システムが該情報を混合分類して所望の順序に並べる。」によれば，「チャンネル・ガイド情報」とは，テレビジョン信号ソースから受信され，テレビジョンに表示される情報であることがわかる。
　また，同【００２８】「図２は、テレビジョン・ガイド情報から組み立てられた格子状のスケジュール・ガイドの画面表示の例である。本発明の格子状ガイドはまた、テーマ・ガイド、チャンネル・ガイド及び番組情報を表示するその他のガイドを含んでる。」の説明と，上記図２によれば，図２の格子状ガイドと，チャンネル・ガイドの関係は，
　　　　　格子状ガイド（図２）　⊃　チャンネル・ガイド
であるといえる。
　ところが，図２には，テーマ・ガイド，チャンネル・ガイドおよびその他のガイドから構成されるとしつつも，どの部分が「チャンネル・ガイド」に相当するのかが明らかではない。
　仮に甲第４号証の図２のように，チャンネルの一覧を「チャンネル・ガイド」に相当するとすれば，本件明細書の図２でいうと，下記の図で□で囲った部分が「チャンネルガイド」だと考えられるが，その場合，チャンネルガイド自体には数字情報しか存在しないため，要件１Ｄの「該チャンネルガイドに含まれる複数の番組スケジュール」と矛盾する。
　逆に，本件明細書の図２全体を「チャンネル・ガイド」であると解釈すると，要件１Ｄの「該チャンネルガイドに含まれる複数の番組スケジュール」とは整合するものの，【００２８】の「図２は，テレビジョン・ガイド情報から組み立てられた格子状のスケジュール・ガイド」であることと整合しないし，図２には３つの要素から構成されていることとも矛盾する。
　以上の記載によれば，「チャンネルガイド」の意味は，請求項それ自体の記載からは必ずしも不明確であるとはいえないものの，明細書の説明に従うと，かえって請求項の記載内容が不明確になるといわざるをえない。
　
　−口頭審理陳述要領書−
　ウ　「テーマ・ガイド」及び「番組情報を表示するその他のガイド」という語は【００２８】以外には使用されておらず，「テーマ・ガイド」と，「番組情報を表示するその他のガイド」とが，いかなるものを指すのか明らかではないことからみても、図２の格子状ガイドは，３つの機能を概念的に含んでいるものだという被請求人の主張には根拠がなく，かえって「チャンネル・ガイド」とはどのようなものであるかが不明確となるというべきである。
　
［３-３］無効理由３（サポート要件違反、原文新規事項追加）
　　　　の具体的要点
　
　（１）サポート要件違反
　前記のとおり，本件特許明細書の発明の詳細な説明には，要件１Ｃ及び要件１２Ｃに記載された「チャンネルガイド」がいかなる部分を示すのか明らかではない。
　【００２８】には「格子状ガイドを生成し，テレビジョン２２の画面上に表示する」との記載があるが，これはあくまでも「格子状ガイド」（すなわち【図２】で示されたもの）についての生成・表示に関する記載であって，構成要件１Ｃ及び要件１２Ｃの「チャンネルガイドを提供する」ことに関する記述ではない。
　さらに，明細書を参酌しても「チャンネルガイドを提供」した上で，「チャンネルガイドに含まれる複数の番組スケジュール情報のうちのいくつかを表示する」（要件１Ｄ，要件１２Ｄ）に該当する開示は見当たらない。
　したがって，要件１Ｃ，要件１Ｄ，要件１２Ｃ，要件１２Ｄの「チャンネルガイド」は，本件特許明細書の発明の詳細な説明に記載されていない。
　
　（２）原文新規事項追加
　要件１Ｄ及び要件１２Ｄは，平成２１年７月１３日付けの手続補正書によって新たに挿入されたものである。
　前記で述べたとおり，この構成要件は本件特許明細書の発明の詳細な説明に記載されておらず，原文に記載されていない。
　
　
［３-４］無効理由４（新規性欠如・進歩性欠如）の具体的要点
　
　ア　「ソース装置」「チャンネルガイド」の意味が不明確であり，または明細書の発明の詳細な説明中に記載がない。仮にこれらの用語を整合的に解釈することができたとしても，以下に述べるとおり，本件特許発明は，引用発明１と一致するから特許法第２９条第１項第３号に該当し，特許を受けることができない，あるいは，甲第２号証に記載された発明に基づいて出願前に当業者が容易に発明をすることができたものであるから，同条第２項の規定により特許を受けることができないものである。
　
　イ　請求人は、合議体の求めに応じ、上記主張の前提として、
　無効理由４は、無効理由１、２が成立しない場合の予備的主張であるから、その前提となる「ソース装置」及び「チャンネルガイド」の解釈は，原則として被請求人の主張（答弁書）と同様であって、
・「ソース装置」とは、要件１Ａ・１Ｂから「複数のテレビジョン番組及び複数の番組スケジュール情報を伝送するもの」であると解され、
  引用発明（甲２）の「アンテナ２００及びケーブル入力部２０５」（１１頁左上９行目、図２２Ａ）は、被請求人の主張である「複数のテレビジョン番組及び複数の番組スケジュール情報を伝送するもの」と相違がない。
・「チャンネルガイド」は、被請求人も主張するとおり，「チャンネルをガイドするもの」という一般的な意味どおりに解され、引用発明（甲２）の「テレビジョンスケジュールグリッド」（７頁左上１９行目、図１ないし図３）に対応する、とした（口頭審理陳述要領書）。
　
　−請求書−
　
　ウ　本件発明１（29-1(3)）
　本件発明１と引用発明１（甲２記載発明）との対比
　以下、「(ア)、(タ)」等は、【第４-４】で後述する甲４号証、甲５号証の記載摘示箇所を示す。
　
　ウ-１　要件１Ａの対比
　甲２の（ク）「システム１８０では，ケーブルデコーダユニットの部分を構成するプログラマブルチューナは，ＴＶ信号をアンテナ２００及びケーブル入力部２０５またはいずれかより受信する。」とあり、
　「プログラマブルチューナ」は，甲第２号証の図２２Ａにおける「プログラマブルＴＶチューナ／ケーブルデコーダ２０２」を示すものであって，本件発明１の『ユーザ機器装置』に該当する。
　アンテナと，ケーブルを利用する方式は異なる『伝送方式』である。また，「プログラマブルチューナは，ＴＶ信号を・・受信する」との記述から，『テレビジョン番組を受信する・・チューナ』が開示されている。
　本件発明１は，チューナに関し，『第１のチューナ』『第２のチューナ』と明示的に別々のチューナであるとしているのに対し，引用発明１では，表記上，１つのプログラマブルチューナ２０２とされている。しかし，アンテナからの伝送情報と，ケーブルからの伝送情報とは，異なる形式の情報であることから，プログラマブルチューナ２０２には，これらの両形式に対応するチューナが内蔵していることは明らかである。したがって，引用発明１には，『第１のチューナと，・・第２のチューナとを有し』が開示されている。
　以上より，引用発明１では，要件１Ａがすべて開示されているのであり，本件発明１と一致する。
　
　ウ-２　要件１Ｂの対比
　甲２の（ケ）によれば，プログラマブルチューナは，「データを伝送する局またはケーブルチャンネルへ自動的に（リスト情報が）同調する」ことになっていることから，『該第１の伝送方式を用いて伝送される第１の番組スケジュール情報と、該第２のソース装置から該第２の伝送方式を用いて伝送される第２の番組スケジュール情報とを受信すること』が開示されている。
　また，「ケーブルチャンネル割当データ」は，上記のとおり，「ＴＶソース名」と「チャンネル割当」の関係を示すもので，当該「ケーブルチャンネル割当データ」が記憶されているということは，『番組スケジュール情報』と，『テレビジョン番組』の対応関係を可能にするということを意味する。
したがって，上記記述より，『該・・番組スケジュール情報は，該複数の・・テレビジョン番組のうちの１つに対応』することが開示されているに等しい。
　以上より，引用発明１では，要件１Ｂがすべて開示されているのであり，本件発明１と一致する。
　
　（口頭審理陳述要領書）
　甲２の(ケ)「一つかそれ以上のローカル局またはケーブルチャンネルにより一日数回または連続的にＶＢＩへ送信される。／更新が必要な場合，プログラマブルチューナ２０２は，データを伝送する局またはケーブルチャンネルへ自動的に同調する。」という記載についてみてみると，
　「ローカル局」がケーブルチャンネルのリスト情報を送信することはなく，逆に「ケーブルチャンネル」がローカル局のリスト情報を送信することもないから，ローカル局はローカル局のリスト情報を，ケーブルチャンネルはケーブルチャンネルのリスト情報をＶＢＩデコーダ２２２に送信しているということになる。
　したがって，ローカル局またはケーブルチャンネルのそれぞれからリスト情報を受信すると解釈するのが相当であり，「いずれか一方である」と解釈することはできない。
　
　ウ-３　要件１Ｃ・１Ｄの対比
　甲２の（ウ），図１−３及び図５−６によれば，「オーバジエア放送」すなわち地上波放送と「ケーブルサービス」の番組スケジュール情報が混在したチャンネルガイドが表示されている。複数の番組スケジュールのいくつかを表示させているため，引用発明１では，要件１Ｃと１Ｄがすべて開示されているのであり，本件発明１と一致する。
  　
　ウ-５　要件１Ｅの対比
　
　（１Ｅの前段）
　甲２の（オ）「図２で示されるように、ガイドが初めて開かれたとき、カーソル３２及び現在のチャンネル５６は、グリッド２４の同じ行に配置される。チャンネル５６が変更されると、カーソル３２は、チャンネルと共に誘引されることが望ましい。これを実現するには、カーソル３２は、選択コマンド（番組ノートを呼び出すための）に備えるか、記録コマンドに備えるかする。チャンネルコマンドによるカーソル誘引は、チャンネル５６及びカーソル３２が同じ行で融合されている場合は常に実行される。これらが融合されていると、カーソル３２は、チャンネルコマンドから切り離される。誘引は、相互的ではないことに注意を払う必要がある；カーソル３２を移動してもチャンネル選択は影響されない。」（８頁左下欄９行〜同欄１７行）
　(コ)「オンスクリーンスケジュールからタイトルを選択することでなされるプログラムに加えて、ＶＣＲ２０６及び２１１並びにケーブルデコーダ２０２または２０７をリモートコントローラー２１２でプログラムすることもまた可能である。」
　から，引用発明１において，チャンネルガイドには「カーソル」が存在し，これは「選択コマンド（番組ノートを呼び出すための）」の機能を有するものである。また，「オンスクリーンスケジュールからタイトルを選択する」ことができることから，『該チャンネルガイドに含まれる該複数の番組スケジュール情報のうちユーザによって選択』する部分は開示されている、といえる。
　〈その理由（口頭審理陳述要領書）〉
　(オ)は，テレビジョン番組表におけるカーソルの動作に関する記述であり，チャンネルをリモコン等で変更すると，テレビジョン番組表に表示されたチャンネル表示も変更され，併せて番組に合わせられているカーソルも変更されることが望ましいことを記載するものであり、
　(コ)は，チャンネルの変更・設定方法として，ＶＣＲ，ケーブルデコーダ等から行うことも可能であることを記載するものであるから、
　引用発明は，（リモートコントローラー等の）ユーザの選択によって，適切なチャンネルを選択し，テレビジョン番組を提供することができることを含んでいる。
　さらに(K3)「本発明は、一般に、テレビジョン視聴者がスクリーン上のテレビジョンのプログラムリストにアクセスし、ビデオカセットレコーダー（ＶＣＲ）またはその他の記録装置を容易かつ便利な方法で制御するために番組リストの使用を可能とするシステムおよび方法に関する。」ことから、
「チューナ、チャンネルを選択して，画面上に表示する」を補強するものである。
　また，チャンネルの選択に際しては，地上波のチャンネルが選択された場合と，ケーブルテレビのチャンネルが選択された場合とにおいて，それぞれ適切なチューナを選択することが必要とされることは明らかである。
　
　（１Ｅの後段）
　甲２に(ア)「本発明は，容易な呼び出しおよび再生のため，タイトルによって記録番組のディレクトリを作成するシステムおよび方法に関する。」とあることから、ユーザが選択した番組は「呼び出しおよび再生」すなわち，適切なチューナ，チャンネルを選択して，画面上に表示することができることになっている。
　したがって，カーソルによる選択コマンドが実行されれば，『ユーザ選択を示す信号を受信したことに応答して、該ユーザ機器装置上に表示を出力するために、該第１のチューナおよび該第２のチューナのうちの１つを選択すること』になるから，当該部分も引用発明１において開示されている、といえる。
　〈その理由（口頭審理陳述要領書）〉
　(コ)は，プログラム選択の方法が，「オンスクリーンスケジュール」から行うことができることの他，「リモートコントローラー」からも可能であることについて記載されている。ユーザによるプログラムの選択が，種々の方法によって可能であることを示すものであり，『ユーザによって選択された１つの番組スケジュール情報を指定するユーザ選択を示す信号を受信したことに応答して（チューナ）を選択することであって』（要件１Ｅ）と，『該ユーザ選択によって指定された番組スケジュール情報に対応するテレビジョン番組を提供する』（要件１Ｆ）と関係を有するものである。
　(ア)は，引用発明の概括的な説明であるが，(K3)も併せると，引用発明がプログラムリストからユーザが選択した番組等を記録し，ディレクトリを作成するものであることから，チューナを選択すること（要件１Ｅ）及び対応するテレビジョン番組を提供すること（要件１Ｆ）と関係を有するものである。
　
　また，上記のとおり，引用発明１には，リスト中のプログラムをユーザが選択すれば，それに対応するプログラムがスクリーン上に表示されることが想定されているから，異なる伝送方式のチューナが同時に表示されていた場合においても，選択されたプログラムに対応するチューナを選択されることは当然の前提となっているといえる。
　したがって，要件１Ｅの後段である『該ユーザ選択によって指定された番組スケジュール情報が該第１の番組スケジュール情報である場合には、該第１のチューナが選択され、該ユーザ選択によって指定された番組スケジュール情報が該第２の番組スケジュール情報である場合には、該第２のチューナが選択される』部分も引用発明１において開示されている。
　したがって，引用発明１では，要件１Ｅがすべて開示されているのであり，本件発明１と一致する。
　
　〈補足、口頭審理陳述要領書）
　地上波，ケーブルテレビという異なる伝送方式からなるテレビ番組情報を受信して，画面上にチャンネル・ガイドを表示するために，２つのチューナが必要となる。
　また，カーソルをユーザが選択できることにより，特定の局，番組を選択できることは，(オ)の部分で開示されている。また，ユーザが選択した局がオーバジエア放送の局であれば，プログラマブルチューナ２０２がＴＶチューナを選択し，ケーブルＴＶ放送の局であれば，ケーブルデコーダを選択して自動的に同調することは甲２の１１頁左上１５行目に開示されている。すなわち，二つのチューナのうちの１つを選択することが開示されていることから，要件１Ｅはすべて開示されているといえる。
　
　甲２の図２において，ユーザがガイド上のカーソルを合わせることにより，番組を選択することができることは開示されている。この点は，同１１頁右上１１行目以下に，「オンラインスクリーンスケジュールからタイトルを選択すること」と記載があることからも明らかである。
　ユーザが選択した番組が，地上波ＴＶ局の番組であれば，ＴＶチューナを自動的に選択し，ケーブルチャンネルの番組であれば，ケーブルデコーダを自動的に選択しなければ「タイトルを選択」することはできないのであるから，『該第１のチューナおよび該第２のチューナのうちの１つを選択すること』は開示されているに等しい。
　
　ウ-６　要件１Ｆの対比
　要件１Ｅとの対比で述べたとおり，引用発明１において，ユーザによって選択されたテレビジョン番組が表示されること，すなわち『選択されたチューナによって受信され，該ユーザ選択によって指定された番組スケジュール情報に対応するテレビジョン番組を提供する』ことは開示されているから，引用発明１では，要件１Ｆがすべて開示されているのであり，本件発明１と一致する。
　
　〈補足、口頭審理陳述要領書）
　「提供する」は，「物品や情報を，役立ててもらうために差し出すこと」を意味する（大辞泉）。これを「テレビジョン番組を提供する」という表現において解釈すると，「テレビジョン番組をテレビ画面上に表示すること」のほか，「録画機に記録すること」も含むと考えられる。したがって，これまで述べたとおり，(オ)(コ)(ア)及び(K3)の記載により，引用発明は，ユーザ選択によって指定された番組スケジュール情報に対応するテレビジョン番組を提供する（要件１Ｆ）を備えるといえる。
　
　さらに，選択された番組に対応するリストデータが，スケジュールメモリ２３２へ記憶されること（甲２の１１頁左上１６行目），さらに記憶されているリストが呼び出されて表示されることについては、
　(K20)「ＴＶ内容確認要求に関して，スケジュールメモリ２３２に記憶されているリストが呼び出され，ＣＰＵ２２８で処理され，ビデオ表示発生器２２４へ出力される。ビデオスイッチャー２２６は，ＣＰＵ出力２４６により起動され，スケジュールデータがＴＶ／モニター２１０へ表示されると常にビデオ表示発生器２２４の出力を選択する。」（１１頁左上の下から４行目以下）と開示されている。
　したがって，ユーザ選択によって指定された番組スケジュール情報に対応するテレビジョン番組が，ビデオ表示発生器またはＴＶモニターに提供されることから，要件１Ｆもすべて開示されている。
　
　ウ-７　小括（本件発明１）
　以上のとおり，本件発明１と引用発明１とは，要件１Ａないし要件１Ｆのいずれにおいても一致しており，相違点と評価すべき箇所はない。
　
　エ　本件発明２（29-1(3)）
　要件１Ｃで述べたところと同様、甲２の（ウ），図１−３及び図５−６には、要件２Ａがすべて開示されているのであり，本件発明２と一致する。
　
　オ　本件発明３（29-2、甲２のみ）
　オ-１　甲２の(カ)(キ)によれば、ユーザは，任意のカテゴリやチャンネルに応じてリスト表示することができるため，『番組スケジュール情報を所望の順序で混合』することが開示されている。
　なお，スケジュール情報を所望の順序で並び替えること（ソート）に関しては，引用発明１中には明示されていないから、【要件３Ｂ】「該複数の番組スケジュール情報を所望の順序で提供することと」では相違する。［相違点１］
　オ-２　相違点１の検討
　引用発明１では，任意にスケジュール情報をテーマ別ないしチャンネル別に選択・抽出することができることが説明されており、
　甲２の(シ)「本発明の目的は，更に，スケジュール情報の表示順序がユーザーの好みに合わせて変更可能なユーザーインターフェースを提供することにある。」によれば、
　これら抽出された番組スケジュール情報を任意に並べ替えることができるように構成することは，単なる設計事項に過ぎず，当業者であれば容易になし得るものである。
　
　カ　本件発明５（29-1(3)）
　甲２(ケ)のとおり，「ケーブルチャンネル割当データ」がチャンネル変換を可能にするものであるから，『番組スケジュール情報のそれぞれに対する信号ソース識別』を行うものである。そして，識別のためには何らかの識別子が用いられることは，当然のことだといえる。したがって，『信号ソース識別子を提供することを・・包含』することが開示されており，該『信号ソース識別』により，『第１の伝送方式および前記第２の伝送方式のうちの１つを識別する』ことが可能になる。
　したがって，引用発明１では，要件５Ａがすべて開示されているのであり，本件発明５と一致する。
　
　キ　本件発明６（29-2、甲２＋甲５）
　キ-１　要件６Ａの対比
　甲２(オ)より，カーソル３２によって『複数の番組スケジュール情報のうちユーザによって選択された１つの番組スケジュール情報を指定する』ことが可能であることが開示されている。ユーザが指定することによって，当該指定された番組に対応する処理が可能になることから，『指定するユーザ選択を示す信号を受信する』ことが可能になる。
　したがって，要件６Ａがすべて開示されている。
　キ-２　要件６Ｂの対比
　引用発明１には，要件５Ａで述べたとおり，『信号ソース識別子』に関する記述は開示されているが，『伝送方式のうちの１つを識別する信号ソース識別子を検索すること』について記載がない［相違点２］。
　キ-３　要件６Ｃの対比
　甲２(サ)「番組が一旦記録されると，そのタイトル及び番組の他の情報が記録メモＲＡＭメモリ２３６の部分へ記憶される。記録番組を再生するため，テープ内容確認要求により，テープの記録番組のディレクトリが表示される。」とあり、すなわち，ユーザが指定した番組が「記録され」，それが「再生」可能な状態になっていることから，『識別された伝送方式を用いる・・テレビジョン信号を受信する』ことが開示されている。
　したがって，引用発明１では，要件６Ａないし６Ｃが，相違点２を除いてすべて開示されていて本件発明６と一致する。
　キ-４　相違点２の検討
　甲５の(タ)〜(ナ)から，甲５においては，視聴者が，視聴したいチャンネルを，地上波放送のネットワーク（ＡＢＣ，ＮＢＣ，ＣＢＣ等）及びケーブルサービスのネットワーク（ＨＢＯ，ＥＳＰＮ・Ｃｉｎｅｍａｘ等）から選択する際に，ネットワークの名称等の「ラベル」を手持ち遠隔制御ユニット（すなわち，リモコン）で入力すると，そのラベルがメモリ中にあるかどうかサーチ（すなわち，検索）をし，ラベルが見つかればそのラベルに相当するチャンネルに同調し，視聴者がそのチャンネルの番組を視聴することが可能になることが記載されているということができる。
　ここで，「ラベル」は，地上波放送のネットワーク及びケーブルサービスのネットワークの各チャンネルに割り当てられているものであり，かつ，「ラベル」が見つかればそのチャンネルに同調することを可能とするものであるから，チャンネルを識別するのみならず，当該チャンネルが地上波放送のネットワーク又はケーブルサービスのネットワークという伝送方式に基づくものであることも識別することが明らかである。例えば，地上波放送のネットワークのチャンネルが選択されている場合において，ケーブルサービスのネットワークのチャンネルのラベルがサーチ（検索）されて同チャンネルに同調するときには，必ず，地上波放送のネットワークからケーブルサービスのネットワークへとソースの切替えが行われるから，「ラベル」はケーブルサービスのネットワークという伝送方式をも識別するものであることを要する。よって，「ラベル」は『ソース識別子』に該当する。
　なお，本件発明６の『ソース識別子』は，【００３４】（１０頁）によれば，「現在のテレビジョン２２への入力ソースがソース識別子と関係したソースと同一であれば，コーディネータ２０は，ステップ８４において，該特定のソースを所望のチャンネルに同調させる。現在のソースがソース識別子と関係するソースでなかった場合には，システムは，ソースを適切なソースへ切り換える。」という機能を奏するところ，甲第５号証の「ラベル」も上述したように，当該機能を奏するということができる。
　そして，甲第５号証における「サーチ（検索）」は，ラベルをメモリから検索するものであるから，『ソース識別子』に該当する「ラベル」を『検索する』に該当する。
　以上より，甲５には，『ソース識別子』に該当する「ラベル」を『検索する』に該当することが記載されており，しかも甲５に記載されているのはテレビジョンのチャンネルの識別に関する技術であり，引用発明１と技術分野を同一にするものであるから，甲５に記載された上記の点の構成を引用発明１に記載されたものに適用し，『該ユーザ選択によって指定された番組スケジュール情報に対応する前記第１の伝送方式および前記第２の伝送方式のうちの１つを識別する信号ソース識別子を検索する』ことはその発明の属する技術の分野における通常の知識を有する者が容易に推考し得るものである。
　
　ク　本件発明７（29-2、甲２＋周知技術）
　ク-１　要件７Ａの対比
　甲２(ク)「システム１８０では，ケーブルデコーダユニットの部分を構成するプログラマブルチューナは，ＴＶ信号をアンテナ２００及びケーブル入力部２０５またはいずれかより受信する。」によれば，
　『ソース装置』として，『ケーブル』と『アンテナソース』が明示的に開示されている。『放送ソース』，『地上ソース』とは，明らかではないが，テレビジョン番組の伝送方式の一形態を示すものと考えられ，「アンテナ」で受信すると考えられるため，この点についても開示されている。
　『衛星ソース』『直接放送衛星ソース』については，明示的には開示されていない［相違点３］。
　ク-２　相違点３の検討
　テレビジョン番組の伝送方式として，衛星を用いた伝送方式は，出願日当時において周知の技術であった。
　相違点３は、当業者であれば容易に発明することができたものである。
　
　ケ　本件発明８（29-1(3)）
　甲２(エ)「現チャンネルに関する情報は，スクリーンの底部のチャンネル情報ボックス５８にまだ提示されている。」とあり、図１の下部には，「ＣＨ２」「ＫＮＴＶ−ＦＯＸ」「ＣＢＬ　２」といったチャンネル情報が表示されている。ＣＢＬとは「ケーブル」を示すもので，『伝送方式を・・表示すること』が開示されている。
　なお，仮に『表示する』の客体が『テレビジョン番組』であったとしても，　甲２(ア)「本発明は，容易な呼び出しおよび再生のため，タイトルによって記録番組のディレクトリを作成するシステムおよび方法に関する。」とあることから，『テレビジョン番組を・・表示すること』も開示されている。
　したがって，引用発明１では，要件８Ａがすべて開示されているのであり，本件発明８と一致する。
　
　コ　本件発明１０（29-1(3)）
　甲２(ウ) の、「オーバジエア放送」とは，前述のとおり，ケーブルＴＶに対応する通常の地上波テレビ放送をいうことであるから，『前記第１の伝送方式および前記第２の伝送方式のうちの１つは、地上波を用いた伝送方式』が開示されている。        　
　したがって，引用発明１には，要件１０Ａが開示されているのであり，本件発明１０と一致する。
　
　サ　本件発明１１（29-2、甲２＋周知技術（甲６））
　サ-１　要件１１Ａの対比
　『衛星を用いた伝送方式』は，引用発明１中には明示されていない［相違点４］
　サ-２　相違点４の検討
　テレビジョン番組の伝送方式として，衛星を用いた伝送方式は，出願日当時において周知の技術であった。（甲第６号証（米国特許４７０６１２１号―出願日１９８６年５月６日）のカラム２０から２１）
　よって，本件発明１１において，テレビジョン番組の伝送方式に，衛星を用いた伝送方式を含ませることは,当業者であれば容易になし得ることができたものである。
　
　シ　本件発明１２〜１４，１６〜１９，２１及び２２については、それぞれ、上記本件発明１〜３，５〜８，１０及び１１についての主張と同様の主張をしている。
　
　−口頭審理陳述要領書−
　
　ス　甲２記載発明（引用発明１）
　合議体の求めに応じてした、まとまりのある技術思想として捉えられる甲２記載発明（引用発明１）の主張（甲２の(K3)(K20)の摘示を追加し、引用発明１を以下のように提示した。）
　
　引用発明１は、いわゆる番組ガイドに関する発明であり、全体としては，「直感的なユーザインタフェース」を開示していて｛(K3)｝、
　多様かつ柔軟なユーザーインターフェースを提供するものである｛(イ)(シ)｝から，その前提として，地上波放送とケーブルテレビ放送の番組を混在して表示する技術が開示されていて｛(ア)、図１−３及び図５−６に示されているように，チャンネル欄（図１では「１２２」と表記）においては，オーバジエア放送の局名（２，４，５・・・）とケーブルサービスの局名（Ａ＆Ｅ，ＣＮＮ，ＤＩＳ・・）が一つの表形式で表示される。｝、
　この点は，本件発明の目的そのものである。
　上記のユーザーインターフェースを生成する装置の構成として，図２２Ａが開示されていて、テレビジョン番組表において，「オーバジエア放送の局名とケーブルサービスの局名が混合」表示させるためには，オーバジエア放送とケーブルサービスという複数の受信源から情報を入手する必要があるが，当該複数の受信源として，図２２Ａにおいては，アンテナ２００及びケーブル入力部２０５が開示されている｛(ウ)｝。
　この受信した情報を画面上に表示させるためには，信号形式となっている情報をデコード（復号）し，デコードされた状態でメモリに記憶，その後，ユーザの要求に応じ一定のタイミングにてビデオ発生表示器へと表示させる必要があり、
　(ケ)のように、情報をデコードし，メモリへ記憶する。
　また、(K20)のように、ユーザの要求に応じビデオ発生表示器へと表示する。
　以上の動作により表示されたテレビジョンスケジュール画面は，図１−３，５，６のような態様のものである。
　　
　セ　２つのチューナが存在するといえる根拠・理由
　合議体の求めに応じてした、「プログラマブルＴＶチューナ／ケーブルデコーダ２０２」が２つのチューナを内蔵しているということができることの根拠・理由についての主張
　
　ａ．ＴＶチューナ／ケーブルデコーダの意義
　(i)「チューナ」とは，必ずしも独立した製品でなくとも，部品や基板，回路等を指して「ＴＶチューナ」と呼ばれる。
　〈根拠〉
　「一般には同調装置のこと。普通，テレビ・ラジオなどの受信機で，所要のチャンネルの電波を選択して受信し，これを中間周波という一定周波数の信号に変換して出力する部分をいう。」のことを指す（広辞苑・第六版。甲７）。
　甲８は，平成元年刊の日本放送協会編「ＮＨＫテレビ技術教科書［上］」中の「チューナ」に関する説明箇所の抜粋であるが，「チューナ」の構成として，あくまで回路の集合たる部品であることを前提としている。
　(ii)ケーブルテレビ放送を視聴する場合には，一般に「ホームターミナル」と呼ばれる装置によって，放送信号を一般のテレビで視聴可能な信号へと変換することが行われている。
　〈根拠〉
　甲９の平成６年刊（社）日本電子機械工業会他編「ケーブルテレビ技技術入門」における「ケーブルテレビの基本構成」の３頁の図。
　(iii)「ホームターミナル」は，独立した製品であることが多いが，「ケーブル用チューナ」「ケーブルモデム」「ケーブルデコーダ」「セットトップボックス」などの種々の名称で呼ばれ，名称は異なっていても，ケーブルテレビ放送の信号を同調・受信する機能，すなわちチューナ機能を備えている点で共通する。
　〈根拠〉甲９の１６７頁の図。
　(iv)本書面においては，引用発明にて使用されている「ケーブルデコーダ」という呼称で統一する。
　
　ｂ．ＴＶチューナ／ケーブルデコーダの機能は異なる。
　(i)仮に，「ＴＶチューナ」と「ケーブルデコーダ」の両機能が同一であれば，甲２の図２２Ａにおける「プログラマブルＴＶチューナ／ケーブルデコーダ２０２」は，結局，単一機能のものを二つ実装したということになってしまう。しかし，通常のアンテナから受信される地上波アナログＴＶ信号（オーバジエア局にかかるもの）と，ケーブルテレビ信号とでは，以下に述べるとおり伝送情報の形式が異なることから，これを同調・受信するチューナも機能の異なる別個のものが要求されるというべきである。
　なお，図２２Ａの「プログラマブルＴＶチューナ／ケーブルデコーダ２０２」の出力２１６が，ビデオスイッチャー２２６を経由してＴＶモニター２１０に表示されることから，出力２１６は，中間周波ではなく，復調回路等を経たＮＴＳＣ形式 のテレビジョン信号であると考えられる。そのため，プログラマブルＴＶチューナ／ケーブルデコーダ２０２には，ａで引用したチューナの定義に含まれる中間周波への変換機能のみならず，チャンネル選択回路，復調回路，スクランブル解除回路等を含むＮＴＳＣ形式の信号を出力する機能を有するものだといえる。
　(ii)ケーブルデコーダは，スクランブルを解除する機能が備わっているが、通常の地上波アナログ放送を受信するＴＶチューナは，スクランブル解除機能は有しない。
　ケーブルデコーダの機能のひとつにスクランブル解除機能がある。テレビ放送分野における「スクランブル」とは，放送事業者の意図に反する視聴を防止するため，信号を暗号化することをいう。ケーブルテレビ放送は，加入者に限り視聴できるサービスであって，その放送信号は，加入者が正規に設置したチューナでしか正常に受信できないように，スクランブル処理がなされている。そして，ケーブルデコーダでは，正常に視聴するため，スクランブルを解除する機能が備わっている。
　(iii)地上波アナログ放送における送信の標準方式は、振幅変調（残留側波帯振幅変調 ）が行われている。したがって，ＴＶチューナには，振幅変調された信号の復調回路が必須となる。
　〈根拠〉
　　「標準テレビジョン放送（デジタル放送を除く。）に関する送信の標準方式」（平成三年郵政省令第三十六号，甲１０ ）の第５条によれば，
　　「（映像信号搬送波の変調）
　　第五条 映像信号搬送波の変調の型式は，振幅変調とする。
　　２ 映像信号（同期信号を含む。次章において同じ。）により変調された電波（以下「映像電波」という。）は，別表第一号に示す残留側波帯特性を有するものとする。
　　３ （略）」
　・これに対し，ケーブルテレビ放送では，これに対応する特段の変調方式は採用されていないため，対応する復調回路も不要である。
　〈根拠〉甲１１「有線テレビジョン放送法施行規則」（昭和四十七年郵政省令第四十号）には，対応する記載なし。
　
　ｃ．ケーブルテレビ放送を受信するには通常のＴＶチューナの他にチューナを必要とすることは，本件出願当時，当業者にとって技術常識となっていた。
　〈根拠〉
　甲１２の公知例（特開平６−３５０９７９号―公開日平成６年１２月２２日）、段落【0002】【0003】【0004】に照らしても明らかである。
　「通常のテレビジョン放送を受信するだけの場合，このＴＶ２のみでシステムが構成されるのであるが，例えば，
ケーブルテレビジョンシステムにおけるスクランブルされた所定のチャンネルのプログラムを見ることができるようにするためには，このＴＶ２に対してデコーダ１が接続される。
  「
デコーダ１には，チューナ１１が内蔵されており
　〈説明〉
　図１において，テレビ放送を受信するチューナ５０とは別に，ケーブルテレビ放送を受信するためのケーブルデコーダ１を必要とし，ケーブルデコーダ内には，同調機能としてチューナ１１が含まれる。ＴＶチューナさえあれば，ケーブルテレビ放送も受信することができるのであれば，ケーブルデコーダ１を敢えて必要としない。別途ケーブルデコーダを必要とするということは，これらのチューナが異なる機能を有する部品・基板・回路であることを示している。
　
　ｄ．図２２ＡのプログラマブルＴＶチューナ／ケーブルデコーダ２０２は２つのチューナを内蔵している。
　以上より，地上波ＴＶ放送を受信するＴＶチューナと，ケーブルテレビ放送を受信するケーブルデコーダとでは，その機能を異にする。これらが，仮に装置として一体化されていたとしても，当該装置の内部には，ＴＶチューナと，ケーブルデコーダに相当する機能の異なる２つのチューナが内蔵されていなければ，地上波ＴＶ放送と，ケーブルテレビ放送の双方を受信，視聴することはできないはずである。
　引用発明における図２２ＡのプログラマブルＴＶチューナ／ケーブルデコーダ２０２は，地上波ＴＶ放送のアンテナ２００と，ケーブル入力部２０５からＴＶ信号を受信する。１つの装置で２つの信号を受信，同調を可能にするには，上記のとおり，２つの異なるチューナが内蔵されていなければ，これを実現することができない。
　したがって，図２２ＡにおけるプログラマブルＴＶチューナ／ケーブルデコーダ２０２は，２つの異なるチューナを内蔵していることは，当業者にとって容易に理解できる事項であり，甲２明細書に記載されたに等しい事項である。このことは，まさにその名称が「プログラマブルＴＶチューナ／ケーブルデコーダ２０２」となっていることからも，「ＴＶチューナ」と「ケーブルデコーダ」の両機能を内蔵していることを示唆するものである名称が付されていることにより，開示されているといえる。
　このように，図示する際には１つのボックスとして表現されている場合でも，その内部に異なる機能を具備する複数の装置を内蔵しているということは，形式上珍しいことではない。本件発明（甲１）においても，図１Ｄの「コーディネータ及びＴＶチューナ付のＩＲＤボックス４８」で見られる。図１Ｄの説明は，
　「図１Ｄは，同一のＩＲＤボックス内に収められたＤＢＳ，コーディネータ及びテレビジョン・チューナを有するテレビ番組／テレビジョン・スケジュール・ガイド・システムのブロック図である。」
　となっている。図１Ｄは，本発明の実施例として紹介されており（段落【００２４】），４８の装置が複数の「チューナ」を具備していることは要件１Ａからも明らかである。
　
　ｅ．要件１Ａと図２２Ａの２０２「プログラマブルＴＶチューナ／ケーブルデコーダ」との対比
　(i)「・・・第１のチューナ」：
　「第１の伝送源」であるオーバジエア局固有の「第１の伝送方式を用いて・・第１のソース装置から伝送される」オーバジエア局にかかる「第１のテレビジョン番組」をアンテナ２００により「受信する第１のチューナ」であるプログラマブルＴＶチューナに相当する。
　(ii)「・・・第２のチューナ」：
　「第１の伝送方式とは異なる第２の伝送方式を用いて」伝送された「第２の伝送源」であるケーブルテレビ局にかかる「第２のテレビジョン番組」をケーブル２０５により「受信する第２のチューナ」であるケーブルデコーダに相当する。
　
　ｆ．「プログラマブルＴＶチューナ」２０２は、チューナの切り換えが行われているものと読み取れる理由。
　前述のとおり，「プログラマブルＴＶチューナ／ケーブルデコーダ２０２」には，ＴＶチューナと，ケーブルデコーダの２種類のチューナ機能が内蔵されている。
　すでに述べたように，アナログテレビ局／ケーブルチャンネルからの信号は，伝送情報の形式が異なり，論理的には２つのチューナが必要であることに鑑みれば，局（オーバジエア局のこと），または，ケーブルチャンネルへ自動的に同調することによってテレビ番組スケジュールに関する情報が受信されるためには，２つのチューナの自動的な切換えが必須であることは明白である。
　
［３.５］証拠方法 
　〈審判請求書〉
　甲第１号証　特許公報（特許第４３６２１３０号）
　甲第２号証　特表平６−５０４１６５号公報
　甲第３号証　特許・実用新案審査基準（抜粋）
　甲第４号証　特開平４−２３３８７７号公報
　甲第５号証　特開平３−６２７１９号公報
　甲第６号証　米国特許第４７０６１２１号公報
　
　〈口頭審理陳述要領書〉
　甲第７号証　広辞苑第六版第一刷発行（２００８年１月１１日）
　　　　　　　（「チューナ」「提供」の意味。）
　甲第８号証　ＮＨＫテレビ技術教科書［上］、日本放送出版協会、
　　　　　　　平成元年４月１０日第一刷発行，
　　　　　　　ｐ２０−３１，ｐ５０−５５，ｐ１２１−１３１
　甲第９号証　ケーブルテレビ技術入門−基礎検討ら応用まで−，
　　　　　　　コロナ社，１９９４年９月５日初版第３刷発行，
　　　　　　　ｐ１−３，ｐ１７４−１８５
　甲第１０号証　官報，号外第１１０号平成３年７月１７日，
　　　　　　　　平成三年七月十七日郵政省令第三十六号，
　　　　　　　　標準テレビジョン放送に関する送信の標準方式
　甲第１１号証　有線テレビジョン放送法施行規則，昭和四十七年十二月
　　　　　　　　十四日号外郵政省令第四十号，
　　　　　　　　（ｐ１９０１−１９８０）
　甲第１２号証　特開平６−３５０９７９公報
　甲第１３号証　フリー百科事典「ウィキペディア」『伝送』，
　　　　　　　　http://ja.wikipedia.org/wiki/%E4%BC%9D%E9%80%81，
　　　　　　　　最終更新 2009年9月4日 (金) 17:17 
　甲第１４号証　国際公開第Ｗ０９６／３３５７２号     
　甲第１５号証　特表平１１−５０４１７１号公報      
　
【第３-２】被請求人の主張（答弁） 
　
［１］答弁の趣旨及び理由の概要
　本件審判の請求は成り立たない。  
　審判費用は請求人の負担とする。
　
　無効理由１ないし無効理由４は、請求項１〜３，５〜８，１０〜１４，１６〜１９，２１及び２２についての特許を無効とする理由にはならない。
　請求項１〜３，５〜８，１０〜１４，１６〜１９，２１及び２２についての特許は維持されるべきものである。
　
［２］答弁の理由の具体的要点 
　
［２-１］無効理由１（明確性要件違反１「ソース装置」）について
　
　−答弁書−
　ア　「ソース装置」の意味は、請求項の記載自体から明確である。すなわち、要件１Ａ、１Ｂの記載から、「ソース装置」が、「複数のテレビジョン番組」および「番組スケジュール情報」を伝送するものとして定義されていることは明らかである。
　
　イ　本件特許明細書の段落００１１に、「ソース装置には、ＤＢＳ、ケーブル・ボックス、テレビジョン・チューナ等が含まれる。」という記載があることはそのとおりであるが、この記載をもって、かえって請求項の記載が不明確になるとまではいえない。なぜなら、この記載は、ソース装置を単に例示したものであるから、ここに例示されたもののうちの少なくとも１つが請求項に記載の「ソース装置」の定義を満たせば十分であるからである。例えば、「ＤＢＳ」は、「複数のテレビジョン番組」および「番組スケジュール情報」を伝送するソース装置の一例である（例えば、本件特許明細書の段落０００２を参照）。
　
　以上の理由から、理由１は存在しないというべきである。
　
　−口頭審理陳述要領書−
　ウ　「ソース装置」という用語は、”ソース”（『テレビジョンの一つ以上の入力への、これより上流側の信号伝送路を含んでいう源（ソース）』）を構成する装置であると解釈されるべきである。ただし、要件Ａでは、「第１の伝送源としての第１のソース装置」、「第２の伝送源としての第２のソース装置」と規定されていることから、”ソース”の源に配置される伝送源としての送信側の装置もまた「ソース装置」に該当すると解釈されるべきである。このような送信側の装置もまた「ソース装置」に該当することは、例えば、本件特許明細書（甲１）の第５頁第２５行〜第２６行の「ソース装置には、ＤＢＳ、ケーブル・ボックス、テレビジョン・チューナ等が含まれる。」という記載および本件特許明細書（甲１）の第３頁第４２行〜第４４行の「例えば、直接放送衛星システム（ＤＢＳ）では、衛星用ディッシュ・アンテナ及びセットトップ型の受信機を介して、テレビ番組及びテレビ番組スケジュール情報が提供される。」という記載によってサポートされている。これらの記載から、ＤＢＳの伝送源としてのソース装置からテレビ番組およびテレビスケジュール情報が送信されることによってこれらの情報が提供されることは明らかだからである。本件の図１Ａ・図１Ｂ・図１Ｃの「ケーブル・ボックス２６」および「ＩＲＤボックス４７」といった受信側の装置もまた「ソース装置」の一例であるが、「ソース装置」はこれらの受信側の装置に限定されない。
　
　エ　なお、伝送源としての送信側のソース装置が「複数の第１のテレビジョン番組を伝送」することができることは明らかである。
　請求人の『「伝送」とは、情報やデータを一方の装置から他の装置へ移動させる際に、別の形式に変えて伝えることをいう』との主張の根拠である甲１３の記載は、信頼性に疑問がある。
　乙１、乙２によれば、「伝送」とは、電気信号を伝えることをいい、請求人が主張するように「別の形式に変えて」伝えるという意味はない。
　
［２-２］無効理由２（明確性要件違反２「チャンネルガイド」）について
　
　ア　「チャンネルガイド」の意味は、請求項の記載自体から、「チャンネルをガイドするもの」を意味するものとして明確であるからである。
　請求人は、甲第４号証の図２を根拠にして、テレビジョンに関する「チャンネルガイド」とは、複数のチャンネルを選択するための補助的な表示機能を意味するものといえる、と主張する（審判請求書の第１７頁）。しかし、請求人による「チャンネルガイド」という用語の解釈は、甲第４号証の図２に示される特定の態様に依存するものであり、かつ、「チャンネルガイド」を意図的に狭く解釈しようとするものであるから失当である。甲第４号証の図２に示される「チャンネルガイド」もまた、「チャンネルをガイドするもの」という通常の解釈を何ら妨げるものではない。
　
　イ　本件特許明細書の段落００１１の正しい解釈は、「本発明の格子状ガイドはまた、テーマ・ガイド、チャンネル・ガイド及び番組情報を表示するその他のガイドを（概念的に）含んでいる。」という意味である。
　すなわち、本発明の格子状ガイドは、テーマ・ガイドとして機能することも可能であり、チャンネル・ガイドとして機能することも可能であり、番組情報を表示するその他のガイドとして機能することも可能であるという意味である。
　請求人の主張するように、本発明の格子状ガイドが、「テーマ・ガイド」、「チャンネル・ガイド」、「番組情報を表示するその他のガイド」という３つの構成要素から構成されるという意味ではない。「格子状ガイド」の意味が請求人の主張するような意味でないことは、格子状ガイドの一例として本件特許の図２に示されている格子状ガイド５０が、「テーマ・ガイド」、「チャンネル・ガイド」、「番組情報を表示するその他のガイド」という３つの構成要素から構成されているわけではないことからも明らかである。
　むしろ、本件特許の図２に示される格子状ガイド５０の全体が、「チャンネルをガイドするもの」としての「チャンネル・ガイド」として機能することから、格子状ガイド５０の全体が、「チャンネル・ガイド」の一例であるというべきである。このことは、請求項に記載される「チャンネル・ガイド」の通常の意味である「チャンネルをガイドするもの」という意味と何ら矛盾しない。
  　
　以上の理由から、理由２は存在しないというべきである。
　
［２-３］無効理由３（サポート要件違反、原文新規事項追加）について
　
　本件特許の図２に示される格子状ガイド５０は、「チャンネル・ガイド」の一例である。従って、要件１Ｃ、要件１Ｄ、要件１２Ｃ、要件１２Ｄの「チャンネルガイド」は、少なくとも、本件特許明細書の段落００２８および図２の記載によってサポートされているというべきである。それ故、サポート要件は満たされている。同様の理由から、原文新規事項追加も存在しない。
　
［２-４］無効理由４（新規性欠如・進歩性欠如）について
　
（１）本件特許発明１について
　
　−答弁書−
　１．甲第２号証は、少なくとも、要件１Ｂ、要件１Ｃ、要件１Ｄ、要件１Ｅ、要件１Ｆを開示していないから、本件特許発明１と引用発明１とは同一の発明ではない。
　少なくとも以下の理由から、本件特許発明１に対する理由４は存在しないというべきである。
　
　〈理由〉
　
　
１ア　要件１Ｂを開示してない
　甲第２号証は、
複数のソース装置から異なる伝送方式を用いて伝送される
　なぜなら、甲第２号証に開示されていることは、
単一のソース装置から伝送される
いずれか一方である
複数のソース装置から異なる伝送方式を用いて伝送される
　
　
１イ　要件１Ｃを開示してない
　要件１Ｃは、
（第１のソース装置から第１の伝送方式を用いて伝送される）第１の番組スケジュール情報
（第２のソース装置から第１の伝送方式とは異なる第２の伝送方式を用いて伝送される）第２の番組スケジュール情報
複数のソース装置から異なる伝送方式を用いて伝送される
　
　さらに、仮に、甲第２号証が、要件１Ｂを開示しているとしても（被請求人がそのことを自認するわけでないが）、甲第２号証は、依然として、要件１Ｃを開示していない。なぜなら、甲第２号証のどこにも、
複数のソース装置から異なる伝送方式を用いて伝送される複数の番組スケジュール情報を有する
　
　請求人は、図１−３及び図５−６に、「オーバジエア放送」と「ケーブルサービス」の番組スケジュール情報が混在したチャンネルガイドが表示されていることを根拠に、『該第１の番組スケジュール情報と該第２の番組スケジュール情報とを有するチャンネルガイド』が開示されていると主張する（審判請求書の第２７頁）。しかし、この請求人の主張は正しくない。なぜなら、「オーバジエア放送」と「ケーブルサービス」の番組スケジュール情報は、単一のソース装置から伝送されたものであるからである。
　
　
１ウ　要件１Ｄを開示してない
　要件１Ｄは、「該チャンネルガイド」が要件１Ｃに規定される「チャンネルガイド」であることを必要とする。これに対し、甲第２号証は、そのようなチャンネルガイドを提供することを開示していない。その理由は、要件１Ｃについて上述したとおりである。
　
　
１エ　要件１Ｅを開示してない
　要件１Ｅは、ユーザ選択を示す信号を受信したことに応答して、第１のチューナおよび第２のチューナのうちの１つを選択することを必要とする。これに対し、甲第２号証は、そのようなチューナの選択を開示していない。なぜなら、甲第２号証のどこにも、
ユーザ選択に応答して、
　
　さらに、要件１Ｅは、「該ユーザ選択によって指定された番組スケジュール情報」が、要件１Ｃに規定される「該第１の番組スケジュール情報」または「該第２のスケジュール情報」であることを必要とする。これに対し、甲第２号証は、そのような番組スケジュール情報を含むチャンネルガイドを提供することを開示していない。その理由は、要件１Ｃについて上述したとおりである。
　
　
１オ　要件１Ｆを開示してない
　要件１Ｆは、「該ユーザ選択によって指定された番組スケジュール情報」が、要件１Ｃ、１Ｅに規定される「該第１の番組スケジュール情報」または「該第２のスケジュール情報」であることを必要とする。これに対し、甲第２号証は、そのような番組スケジュール情報を含むチャンネルガイドを提供することを開示していない。その理由は、要件１Ｃについて上述したとおりである。
　
　−口頭審理陳述要領書−
　２．請求人は、甲２に記載されていると認められる、まとまりのある技術思想として捉えられる特定技術がいかなる発明であるのかを説明しておらず（甲２に記載されている発明の課題が何でそれをどのように解決したと捉えているのかが不明である）、甲２に記載されていると認められる発明を明確に特定した上で、その各構成要素が本件発明の各要件に一致するか否かを示さず、本件発明の要件Ａ〜Ｆと甲２の記載事項との対比をしていて、そのような対比に不備があることは明らかである。
　
　３．要件Ａについて
　甲２の甲２図２２ＡのプログラマブルＴＶチューナ／ケーブルデコーダ２０２は、２つのチューナを内蔵しているとはいえない。
　
　その理由は、　
　第１に、甲２は、「プログラマブルＴＶチューナ／ケーブルデコーダ２０２」が２つのチューナを内蔵していることを開示していないからであり、
　第２に、甲２の「プログラマブルＴＶチューナ／ケーブルデコーダ２０２」が、必然的に、２つのチューナを内蔵しているともいえないからである。
　〈理由〉
　・乙３（乙第３号証の抄訳）の８．２．２（第３５２頁〜第３５４頁、）
によれば、１９８０年代半ば以前に、「テレビメーカは、ケーブルチャンネルに同調するチューナーを使用し始めた。そのようなチューナーと７５オーム入力を用いることによって、そのセットは「ケーブルレディ（cable　ready）」と呼ばれ、セットトップターミナルが不要となるものとして販売された。」状況があった、と理解され、デレビの放送チャンネルとケーブルチャンネルに同調するチューナーが販売されていた（口頭審理）。
　・甲２図２２Ａの「プログラマブルＴＶチューナ／ケーブルデコーダ２０２」は、単一のチューナと、その単一のチューナへの２つの入力を切り換えるための機械的なスイッチ（または、プログラマブルスイッチ）とを含んでいれば足りる。
　なぜなら、単一のチューナが特定の周波数の信号を選択的に出力することによって、ケーブルチャンネルおよび放送チャンネルのいずれにも同調することができるからである。２つのチューナを用いる場合にも２つのチューナの後段にスイッチを設けることが必要とされる。従って、単一のチューナを用いるか２つのチューナを用いるかにかかわらず、スイッチは必要である。
　甲２の構成要素２０２を単一のチューナおよびスイッチで構成することが可能であることから、当業者であれば、甲２の構成要素２０２を、敢えて、２つのチューナおよびスイッチで構成するようにはしないというべきである。むしろ、甲２の構成要素２０２を単一のチューナおよびスイッチで構成することが自然である。
　・甲２には、「チューナ出力２１６は、字幕デコーダあるいは高速テキストデコーダである垂直ブランキングインターバル（ＶＢＩ）デコーダ２２２に向かう。リスト情報やケーブルチャンネル割当データといった他の指示情報が、一つかそれ以上のローカル局
または
データを伝送する局またはケーブルチャンネルへ自動的に同調する
　
　４．要件Ｂについて（請求人の主張に対する反論）
　・請求人は、甲２に「複数のソース装置」が開示されていることを前提として、甲２の１１頁左上１３行目以下の「一つかそれ以上のローカル局またはケーブルチャンネルにより一日数回または連続的にＶＢＩへ送信される。
更新が必要な場合、プログラマブルチューナ２０２は、データを伝送する局またはケーブルチャンネルへ自動的に同調する。
　例えば、ケーブル局と加入者との加入契約により、ケーブル局が、ローカル局の番組およびケーブル局の番組の両方を提供することも可能である。したがって、甲２に「複数のソース装置」が開示されていたとしても、そのことが、甲２に「複数のソース装置から伝送される番組スケジュール情報を受信すること」が開示されていることを意味するわけでない。
　
　５．要件Ｅ・Ｆについて（請求人の主張に対する反論）
　・少なくとも、「適切なチューナを選択する」ことが甲２に記載されているという請求人の主張は、甲２図２２ＡのプログラマブルＴＶチューナ／ケーブルデコーダ２０２が２つのチューナを内蔵しているという誤った解釈に基づくものであるから、失当である。
　・請求人は、要件Ｅが甲２に開示されている根拠として、甲２の１１頁左上１５行目を挙げているが、甲２の１１頁左上１５行目の「更新が必要な場合、プログラマブルチューナ２０２は、
データを伝送する局またはケーブルチャンネルへ自動的に同調する
　・請求人は、要件Ｆが、テレビジョン番組が「該選択されたチューナによって受信され」ることを必要とすることを完全に見落としている。上述したように、甲２が「２つのチューナ」を開示していないことから、甲２が「該選択されたチューナ」を開示していないこともまた明らかである。
　・請求人は、「選択された番組に対するリストデータが、スケジュールメモリ２３２へ記憶されること」が、甲２の１１頁左上１６行目に記載されていると主張する（請求人の口頭審理陳述要領書の第２３頁）が、
　甲２の１１頁左上１６行目の「ＶＢＩ信号がＣＰＵ２２８によって処理された後、リストデータは、スケジュールメモリ２３２へ記憶される」という記載は、リストデータ（すなわち、甲２の図１等に示される番組表を表示するためのデータ）がスケジュールメモリ２３２へ記憶されることを意味し、「
選択された番組に対する
　
（２）本件特許発明２〜３、５〜８、１０〜１１について
　本件特許発明２〜３、５〜８、１０〜１１のそれぞれは、本件特許発明１を引用する。従って、本件特許発明１について上述した理由と少なくとも同一の理由から、本件特許発明２〜３、５〜８、１０〜１１に対する理由４もまた存在しないというべきである。
　
（３）本件特許発明１２について
　本件特許発明１２は、本件特許発明１について上述した特徴と実質的に同一の特徴を規定する。従って、本件特許発明１について上述した理由と少なくとも同一の理由から、本件特許発明１２に対する理由４もまた存在しないというべきである。
　
（４）本件特許発明１３〜１４、１６〜１９、２１〜２２について
　本件特許発明１３〜１４、１６〜１９、２１〜２２のそれぞれは、本件特許発明１２を引用する。従って、本件特許発明１２について上述した理由と少なくとも同一の理由から、本件特許発明１３〜１４、１６〜１９、２１〜２２に対する理由４もまた存在しないというべきである。
　
　以上の理由から、理由４は存在しないというべきである。
　
　
［２-５］証拠方法 
　〈口頭審理陳述要領書〉
　乙第１号証　広辞苑第四版第一刷発行（１９９１年１１月１５日）
　　　　　　　（「伝送」を記載した部分）
　乙第２号証　デジタル大辞泉の解説（「伝送」を記載した部分），
　　　　　　　http://kotobank.jp/word/伝送
　乙第３号証　Modern Cable Television Technology　
　　　　　　　Video,Voice,and Data Communications，
　　　　　　　ｐ３４９−３５９，ｐ８０５−８０７，
　　　　　　　WALTER CICIORA,JAMES FARMER,DAVID LARGE著,      
　　　　　　　1999年，Morgan Kaufmann Publishers,Inc.San Francisco,
　　　　　　　California，
　　　　　　　 Rrinted in United States of America
　乙第３号証の抄訳（３５２頁３４行〜３５４頁１２行）
　乙第４号証　Cable TV Channel Frequencies，インターネットウェブ
　　　　　　　サイト
　　　　　　　http://www.jneuhaus.com/fccindex/cablech.htmlの印刷物　　　　　　　。
　乙第５号証　[Code of Federal Regulations],インターネットウェブ
　　　　　　　サイト
　　　　　　　http://frwebgate.access.gpo.gov/cgi-bin/get-cfr.cgi?
　　　　　　　TITLE=47PART=73SECTION=603TYPE=TEXT
　　　　　　　の印刷物。
　
【第４】当審の判断
　
【第４-１】無効理由１（明確性要件違反１「ソース装置」）について
　
　《明確性要件について》
　特許法第３６条６項２号の規定は、発明の詳細な説明に多面的に記載されている発明のうち、どの発明について特許を受けようとしているのかを、出願人の意思により、特許請求の範囲に明示すべきことを要求しているものであり、一つの請求項に基づいて特許を受けようとする発明がまとまりのある一つの技術的思想として明確に把握できるべく、特許請求の範囲には、「特許を受けようとする発明が明確であること」を要求するものであり、
　したがって、特許請求の範囲の記載は，できる限り，それ自体で，特許出願に係る発明の技術的範囲が明確になるように記載されるべきではあるものの、特許を受けようとする発明が明確であるか否かは，特許請求の範囲の記載のみならず、明細書の記載及び図面を考慮し，また，当業者の出願当時における技術的常識を基礎として，特許請求の範囲の記載が，第三者に不測の不利益を及ぼすほどに不明確であるか、という観点から判断されるというべきである。
　以下、この点を踏まえ、無効理由１及び次の【第４-２】無効理由２について検討する。
　
　請求人が主張する無効理由１の要点は、請求項１，１２の「ソース装置」が不明確であるから、請求項１〜３，５〜８，１０〜１４，１６〜１９，２１及び２２の記載は明確性要件に違反するというものであり（前記【第３-１】の［２］（１）及び［３-１］）、
　「ソース装置には，ＤＢＳ ，ケーブル・ボックス，テレビジョン・チューナ等が含まれる。」（段落【0011】）によれば、「テレビジョン・チューナ」は「ソース装置」であるとされているところ、
　要件１Ａ（請求項１）の「ソース装置」に「テレビジョン・チューナ」を当てはめると、『第１のテレビジョン・チューナから伝送される複数の第１のテレビジョン番組を受信する第１のチューナとなり』となって
まったく意見をなさなくなる
　しかし、「
まったく意味不明となる
　要件１Ａでいう「ソース装置」に「テレビジョン・チューナ」が含まれないことは、明らかである。
　そもそも、要件１Ａで「第１の伝送源としての第１のソース装置から伝送される複数の第１のテレビジョン番組を受信する第１のチューナ」と特定していること自体が、「ソース装置」が「テレビジョン・チューナ」を含まないことを規定していることは明らかであり、明らかである以上、上記のことを理由に「ソ−ス装置」が不明であるとすることができないことも、明らかである。
　
　そして、以下にみるように、請求項１，１２でいう「ソース装置」とは、
　明細書の記載及び図面、技術常識を考慮すれば、
　『複数のテレビジョン番組を伝送するものであって、テレビジョン番組を受信するチューナの入力へ至る、
これより上流側の信号伝送経路
信号源を含む
　と理解され、明確でないとはいえない。
　
　〈請求項１，１２について〉
　
　ア　請求項の記載
　独立請求項である請求項１の要件１Ａは次のとおりである。
１Ａ「ユーザ機器装置において用いられる方法であって、該ユーザ機器装置は、第１の伝送方式を用いて、第１の伝送源としての第１のソース装置から伝送される複数の第１のテレビジョン番組を受信する第１のチューナと、該第１の伝送方式とは異なる第２の伝送方式を用いて、第２の伝送源としての第２のソース装置から伝送される複数の第２のテレビジョン番組を受信する第２のチューナとを有し、」
　
　請求項１の要件１Ａにおいて、「ソース装置」とは、
　『その装置から特定の伝送方式を用いて伝送される「複数のテレビジョン番組」をチューナが受信するようにする、伝送源としての装置』
　と規定されている。
　
　この規定を満たすものとして、当業者は、まず、「複数のテレビジョン番組」の信号を送出する（送信用アンテナ等を含む）信号送出側の装置をごく普通に想定するものといえる。
　すなわち、「ソース装置」は、『複数のテレビジョン番組の
放送信号
伝送媒体に送出する（送信用アンテナ等を含む）送出側装置
　そして、「ソース装置」を、そのように想定したとき（上記『複数のテレビジョン番組の・・・
送出側装置
　
　また、独立請求項である請求項１２についても、以上と同じことが言えることは明らかである。　
　
　イ　明細書、図面の記載
　明細書には「伝送源としての」についての説明はないものの、
　図１Ａ〜１Ｃ、明細書の下記「記Ａ」（特に下線部）には、「
ソース」
　そして、図１Ａ〜１Ｃ、下記段落【0011】「
テレビジョンへの入力（ＲＦまたはビデオ）をソース装置へ切換える。ソース装置には、ＤＢＳ、ケーブル・ボックス、テレビジョン・チューナ等が含まれる。
ＤＢＳ（ＩＲＤボックス２８を介した）及びケーブル（ケーブル・ボックス２６を介した）は、テレビジョン２２に直列に接続されたソース装置として構成される。図１Ｃはソース装置としてのＤＢＳ及びケーブルを備えた
　明細書において、「ソース装置」とは、
　『複数のテレビジョン番組を伝送するものであって、テレビジョンへの入力へ至る、これより上流側の信号伝送経路（信号源を含む）を構成する装置』と説明されているということができ、
　また、明細書全体からみて、テレビジョンへの入力からみてこれより上流側の複数のテレビジョン番組を伝送する信号伝送路が異なる複数経路存在することが、発明の前提として本質的に重要なことと理解され、
　経路を構成する各装置自体が具体的にいかなる装置であるかは、発明の本質的な特徴点ではない、と理解される。
　
　ウ　請求項１、１２でいう「ソース装置」
　上記イを考慮して請求項１，１２をみれば、請求項１，１２でいう「ソース装置」とは、
　『複数のテレビジョン番組を伝送するものであって、テレビジョンへの入力へ至る、これより上流側の信号伝送経路（信号源を含む）を構成する装置』の中から、「テレビジョン番組を受信するチューナ」が除かれ、「テレビジョンへの入力へ至る」ではなくて「テレビジョン番組を受信するチューナの入力へ至る」ものに限定されているものといい得ることは明らかである。
　すなわち、請求項１、１２でいう「ソース装置」とは、
　『複数のテレビジョン番組を伝送するものであって、テレビジョン番組を受信するチューナの入力へ至る、
これより上流側の信号伝送経路
信号源を含む
　と困難なく理解され、
　そのように解釈することで、請求項１、１２に基づいて特許を受けようとする発明がまとまりのある一つの技術的思想として把握できるものである。
　
　以上によれば、
　請求項１，１２の「ソース装置」は明確でない、とはいえないし、
　請求項１，１２の記載は、「ソース装置」が明確でないから明確性要件に違反する（特許を受けようとする発明が明確でない）ともいえない。
　
　〈請求項２，３，５〜８，１０，１１、及び
　　請求項１３，１４，１６〜１９，２１，２２〉
　
　これら各請求項についての無効理由１（明確性要件違反１）は、請求項１，１２の記載は「ソース装置」が明確でないから明確性要件に違反することを前提とするものであるところ、
　その前提が成り立たないことは上記のとおりであるから、
　これら各請求項についての無効理由１（明確性要件違反１）も、理由がない。
　すなわち、（請求項１，１２の記載は「ソース装置」が明確でないから明確性要件に違反することを理由に）請求項２，３，５〜８，１０，１１及び請求項１３，１４，１６〜１９，２１，２２の記載が明確性要件に違反するとはいえない。
　
【まとめ：無効理由１（明確性要件違反１「ソース装置」）】
　
　以上によれば、特許請求の範囲の請求項１〜３，５〜８，１０〜１４，１６〜１９，２１及び２２のいずれの記載も、特許法第３６条第６項第２号「特許を受けようとする発明が明確であること」（明確性要件）の規定を満たさない、とはいえない。
　したがって、本件発明１〜３，５〜８，１０〜１４，１６〜１９，２１及び２２に係る特許は，いずれも、特許法第３６条第６項第２号に規定する要件を満たしていない特許出願に対してなされたものであるから同法第１２３条第１項第４号に該当し無効とすべきものである、とすることはできない。
　
　　　　　記Ａ（本件の明細書の記載（甲１号証）、
　　　　　　　　ソース（デバイス）関連）
【０００２】
　数多くの異なる
伝送方式
直接放送衛星システム（ＤＢＳ）では、衛星用ディッシュ・アンテナ及びセットトップ型の受信機を介して、テレビ番組及びテレビ番組スケジュール情報が提供される。
更に、従来の衛星用ディッシュ・アンテナ、同軸ケーブル、電話回線、光ファイバ・ケーブル、アンテナ等を利用して、テレビ番組及びテレビ番組スケジュール情報の一方または両方が配給される。
【０００３】
  利用者がＤＢＳに加入している場合には、画面表示（オンスクリーン・ディスプレイ）生成装置を有する別体の統合型受信デコーダ（ＩＲＤ）ボックスが通常提供される。通常、
ＩＲＤボックスには、最低でも受信機及びチューナが含まれている。
【０００４】
  これに対して、利用者が
ケーブル及びローカル・アンテナ・ソースの双方からテレビチャンネルを受信している
２つのソースを容易に２つの入力ポートへ結合する
【０００７】
  本発明の好適な実施例では、本発明は、入力信号及び番組情報の調整（コーディネート）に関しており、より詳細には（１）
多数のソースから受信するテレビジョン・スケジュールガイド情報の調整、（２）所望の信号ソースへの自動切換え、及び（３）所望のテレビ番組への同調に関する
これらのソースは、入力ケーブル線（例えば、同軸ケーブル）、衛星放送、専用電話回線（例えば、ツイストペア）及び信号を伝送することができるその他の任意の媒体
【００１０】
  （特定の実施例の説明）
　本発明は、テレビ番組及びテレビジョン・スケジュール・ガイド情報を調整する同調方式を提供する。このテレビジョン・スケジュール・ガイド情報は多数のソースから受信することが可能である。上記に述べたように、
これらのソースは、入力ケーブル線（例えば、同軸ケーブルの）、衛星放送、専用電話回線（例えば、ツイストペア）及び信号を伝送できるその他の任意の媒体を含んでいる。
（１）ケーブル及び衛星用ディッシュ・アンテナ、または（２）２つの異なる衛星、または（３）ローカル・ケーブル及びＤＢＳソース等の、少なくとも２つの別個のソー
【００１１】
　利用者が表示されたガイド内の表示チャンネルの１つに配置されたショーまたはチャンネルを選択すると、システムが該ショーまたはチャンネルに関係したソース識別子を読み取る。好適な実施例では、次いで
システムが自動切換え／同調処理を行い、テレビジョンへの入力（ＲＦまたはビデオ）をソース装置へ切換える。ソース装置には、ＤＢＳ、ケーブル・ボックス、テレビジョン・チューナ等が含まれる。
番組情報が多数の衛星ソースから受信されて
【００１５】
　図１Ａは、テ
レビジョン２２に直接接続された多数のソースを備えた
テレビジョン２２及びＶＣＲ２４には、ケーブル・ボックス２６及びＩＲＤボックス２８から入力が供給される。
本実施例では、ケーブル信号がケーブルボックス２６を介して供給され、ＤＢＳがＩＲＤボックス２８を介して供給される。
アンテナ３４及びケーブル・ボックス２６が「ローカル」ソースとなる
【００１６】
　
他の入力３０には、多数の衛星ソースを含めることができる。多数の衛星ソース
衛星ソース
衛星ソース
衛星ソース
【００２１】
  好適な実施例では、テレビジョン・ガイド情報は、利用できるテレビ・チャンネル上の垂直ブランキング期間に供給される。
図１Ａでは、コーディネータ２０及びソース装置がテレビジョン２２に連結されている
【００２２】
  本発明の別の実施例では、
コーディネータ２０は全てのソース装置入力を直接受信するよう構成されている
本実施例では、コーディネータ２０が多数のソース２６、２８及び３０の切換えを行い、次いで、所望のソースからテレビジョン２２または別の宛て先装置へ情報を出力する
【００２３】
　更に本発明の別の実施例では、
ＤＢＳ（ＩＲＤボックス２８を介した）及びケーブル（ケーブル・ボックス２６を介した）は、テレビジョン２２に直列に接続されたソース装置として構成される。図１Ｃはソース装置としてのＤＢＳ及びケーブルを備えた
【００２４】
　図１Ｄは、ＤＢＳ、・・・録画される。図１Ａ〜Ｄにおける
ＶＣＲは、オプションである
【００２５】
テレビジョン・スケジュール情報に・・・または垂直ブランキング期間に、
ＤＢＳのトランスポンダ
【００３４】
　図３は自動同調の処理の・・・
　・・・
現在のテレビジョン２２への入力ソースがソース識別子と関係したソースと同一であれば、コーディネータ２０は、ステップ８４において、該特定のソースを所望のチャンネルに同調させる。
当該ソース内の受信機を所望のチャンネルに同調させる。
【００３６】
　従って、ソースの切換えを実行しなければならない。・・・
　
コーディネータ２０は次いで、ステップ８４において、ＩＲ発生器４０を使用して
ケーブル・ボックス２６を所望の第２チャンネルに同調させる
【００４１】
  本発明の別の実施例では、コーディネータ２０がＩＲＤボックス２８内に配置され、且つ、コーディネータ２０がＩＲ発生器を使用せずに
ＤＢＳ及びケーブル・ソースに必要とされる切換え及び同調を処理するよう構成される。
最初のソースがＤＢＳであった場合に
【００４４】
【図１Ａ】図１Ａは、
テレビジョンに直接接続された多数のソースを備えたマルチ・ソース・テレビ番組／テレビジョン・スケジュール・ガイド・システム
【図１Ｂ】図１Ｂは、
コーディネータに直接接続された多数のソースを備えたマルチ・ソース・テレビ番組／テレビジョン・スケジュール・ガイド・システム
【図１Ｃ】
図１Ｃは、ソース装置としてＤＢＳ及びケーブルを備えたテレビ番組／テレビジョン・スケジュール・ガイド・システム
　
【第４-２】無効理由２（明確性要件違反２「チャンネルガイド」）について
  
　請求人が主張する無効理由２の要点は、請求項１，１２の「チャンネルガイド」が不明確であるから、請求項１〜３，５〜８，１０〜１４，１６〜１９，２１及び２２の記載は明確性要件に違反するというものである（前記【第３-１】の［２］（２）及び［３-２］）。　
　
　〈請求項１、１２について〉
　
　ア　
請求項の記載
　
　独立請求項である請求項１の要件１Ｂ、１Ｃ、１Ｄ、請求項１２の要件１２Ｂ、１２Ｃ、１２Ｄは、次のとおりであり、請求項１（方法の発明）と請求項１２（システムの発明）の上記各要件は、「こと」と「手段」が異なるだけである。
　
１Ｂ「該第１のソース装置から該第１の伝送方式を用いて伝送される第１の番組スケジュール情報と、該第２のソース装置から該第２の伝送方式を用いて伝送される第２の番組スケジュール情報とを受信することであって、該第１の番組スケジュール情報は、該複数の第１のテレビジョン番組のうちの１つに対応し、該第２の番組スケジュール情報は、該複数の第２のテレビジョン番組のうちの１つに対応する、ことと、」
１Ｃ「該第１の番組スケジュール情報と該第２の番組スケジュール情報とを有する
チャンネルガイド
提供する
１Ｄ「該
チャンネルガイド
表示する
　
１２Ｂ「該第１のソース装置から該第１の伝送方式を用いて伝送される第１の番組スケジュール情報と、該第２のソース装置から該第２の伝送方式を用いて伝送される第２の番組スケジュール情報とを受信する手段であって、該第１の番組スケジュール情報は、該複数の第１のテレビジョン番組のうちの１つに対応し、該第２の番組スケジュール情報は、該複数の第２のテレビジョン番組のうちの１つに対応する、手段と、」
１２Ｃ「該第１の番組スケジュール情報と該第２の番組スケジュール情報とを有する
チャンネルガイド
提供する
１２Ｄ「該
チャンネルガイド
表示する
　
　「チャンネルガイド」とは、その文言から、
利用者にチャンネルについて案内
　要件１Ｃ及び１Ｄの上記規定、要件１Ｂの規定｛「番組スケジュール情報」は、「テレビジョン番組」に対応すること｝からすれば、
　本件発明でいう「チャンネルガイド」は、「
利用者に、チャンネルについて、複数の「番組スケジュール情報」を案内するガイド
　そして、テレビジョン番組に対応する「
番組スケジュール情報
　技術常識からみて、一般に、
放送が予定される番組についての放送予定スケジュールを示す情報
番組の放送予定情報
情報
　
　そして、そのような「案内するガイド」としては、画面表示されたガイドを一応想定することができるものの、
　要件１Ｄで「該
チャンネルガイド
少なくともいくつかを表示
　したがって、要件１Ｃの「チャンネルガイド」も画面表示前のものをいい、要件１Ｃでいう「提供すること」とは、画面表示する前に提供（供給）することをいい、要件１Ｄで、「提供された」もの（チャンネルガイド）を受けて、これに含まれる複数の番組スケジュール情報のうちの少なくともいくつかを
表示する
　
　また、請求項１を引用する請求項３（請求項１２を引用する請求項１４）には、
【請求項３】
３Ａ：前記複数の番組スケジュール情報を所望の順序で混合し、ソートすることと、
３Ｂ：該複数の番組スケジュール情報を所望の順序で提供することと
 をさらに包含する、請求項１に記載の方法。
（【請求項１４】
１４Ａ：前記複数の番組スケジュール情報を所望の順序で混合し、ソートする手段と、
１４Ｂ：該複数の番組スケジュール情報を所望の順序で提供する手段と
  をさらに含む、請求項１２に記載のシステム。）
　とあり、
　「さらに」との記載はあるものの、合理的に理解すれば、実質上、請求項１（請求項１２）の要件１Ｃ（１２Ｃ）の「提供する」内容を限定しているものと理解され、このことから、
　要件１Ｃ（１２Ｃ）が「提供する」とする「チャンネルガイド」は、
　前記複数の番組スケジュール情報を所望の順序で混合し、ソートし、該複数の番組スケジュール情報を所望の順序で提供することを含んでいうもの、と理解される。
　
　以上のことからすれば、請求項１の記載からすれば、
　請求項１でいう「チャンネルガイド」とは、
「画面表示されたチャンネルガイド」、「チャンネルガイドの画面表示」、「チャンネルガイド表示」等で表現される「画面表示後のチャンネルガイド」を意味するものではなく、
　「画面表示前のチャンネルガイド」、つまり、「チャンネルガイド表示に対応するチャンネルガイドデータ」を意味するものと理解され、
　まとめれば、
　
　請求項１でいう「チャンネルガイド」とは、
　『（
画面表示後のチャンネルガイドではなく
　
画面表示前のチャンネルガイドであって
　
チャンネルガイド表示
利用者に、特定のチャンネルについて、そこで放送される複数の番組スケジュール情報（番組の放送予定情報−その特定のチャンネルで、いかなる特定の番組が、いかなる特定の時間に放送されるかの予定情報）を案内するガイド表示
に対応するガイドデータ
　（『前記複数の番組スケジュール情報を所望の順序で混合し、ソートし、該複数の番組スケジュール情報を所望の順序で提供するものを含む』）
　と合理的に理解できる。
　
　また、独立請求項である請求項１２についても、以上と同じことが言えることは明らかである。
　
　イ　
発明の詳細な説明の記載
　そして、「チャンネルガイド」について、本件発明の詳細な説明の記載（下記「記Ｂ」参照、特に下線部・段落【0001】【0008】【0019】【0028】【0029】）に照らし検討する。
　
　イ-１　段落【0001】【0008】の記載
　
　段落【0001】において、
　「テレビジョン・スケジュール・ガイドに関する情報」は、「利用可能なチャンネル及び該チャンネルそれぞれのテレビ番組を」「スクリーン上に」「通常、利用可能なチャンネルがＹ軸上に表示され、時間枠がＸ軸を占める」「格子（グリッド）状に表示するために使用され」とされ（段落【0001】前段）、これに続いて
　「
これらの一覧表にされたチャンネルは、順番にまたは所望の所定の順序でテレビジョン画面上に表示することができる。
　段落【0008】では、
　本件発明を、「本発明は、テレビジョン・システムのチャンネル・ガイド情報を組合せる（マージする）方法」で「チャンネル・ガイド情報の受信及び記憶を含む」と概要説明した上、
　(i)チャンネル・ガイド情報は、多数のテレビジョン信号ソースから受信される。
　(ii)このチャンネル・ガイド情報を受信した後で、システムが該情報を
混合分類して所望の順序に並べる
　(iii)最後に、この
チャンネル・ガイド情報の表示
テレビジョンに表示される
  と、３段階のステップを説明しており、
　請求項１、請求項１２との関係でみれば、
　上記(i)は、番組スケジュール情報を
受信する
　上記(ii)の「システムが該情報を
混合分類して所望の順序に並べ
チャンネルガイド
提供する
　上記(iii)の「最後に、この
チャンネル・ガイド情報の表示
チャンネルガイド
表示する
　
　イ-２　図２、段落【0019】の記載
　段落【0019】には、「
番組スケジュール情報（即ちガイド）
　
　イ-３　図２、段落【0028】、【0029】（一部）に記載される実施例のもの
　以上を踏まえて、好適な実施例を説明する段落【0028】の記載
　「図２は、テレビジョン・ガイド情報から組み立てられた
格子状のスケジュール・ガイド
画面表示の例である
本発明の格子状ガイドは
チャンネル・ガイド
含んでる
コーディネータ２０が利用できる番組ガイド情報を全て収集及び分類し終わった後、コーディネータ２０は、図２に図示した格子状ガイドを生成し、テレビジョン２２の画面上に表示する
選択されたチャンネル５２のラインナップを
第２チャンネル５８では、午後１時〜２時の間、バットマン６０が放映され、午後２時〜２時３０分の間、ソープ（ホームコメディ）６２が放映される
　と、段落【0029】の記載
　「
格子状ガイドが使用される場合には、チャンネル５２のラインナップを、（１）チャンネルが番号またはアルファベット順になるように、または（２）チャンネルがそれぞれの特定のソースと関係した順になるように、または（３）チャンネルが利用者がプログラムした混合した順になるように、または（４）チャンネルがその他の任意の配置となるように配列することが可能である
チャンネルの順番５２が決定される。従って、任意の所望の配列でチャンネル５２のラインナップが可能となる。
　そこに記載された実施例のものについて検討する。
　
　(a)好適な実施例として図２に示される「格子状ガイド（５０）」は、“
格子状ガイド
画面表示の例
　
　(b)
本発明の
格子状ガイド
チャンネル・ガイド
含んでる
　
番組ガイド情報を全て収集及び分類し終わった後
テレビジョン２２の画面上に表示
　全てのチャンネルまたは
選択されたチャンネル５２のラインナップを
　段落【0029】でも上記のとおり「
格子状ガイドが使用される場合には、チャンネル５２のラインナップを
　及び図２から、
　その各ラインナップは、１つのチャンネルについて、そのチャンネルで利用できる番組が何であって、いかなる時間に放送されるかを示すものと理解できる。
　そうすると、本実施例のものにおける、「画面表示された格子状ガイド（５０）」は、段落【0008】の(iii)で説明される「所望の順序でテレビジョン画面上に表示」された「
チャンネル・ガイド情報の表示
　(1)その『画面表示された格子状ガイド（５０）の「
チャンネル５２のラインナップ
２チャンネル
行部分
　「
第２チャンネル５８では、午後１時〜２時の間、バットマン６０が放映され、午後２時〜２時３０分の間、ソープ（ホームコメディ）６２が放映される
２チャンネルについての「チャンネルガイド」の画面表示
　『
利用者に、特定のチャンネルについて、そこで放送される複数の番組スケジュール情報（番組の放送予定情報−その特定のチャンネルで、いかなる特定の番組が、いかなる特定の時間に放送されるかの予定情報）を案内するガイド表示
　(2)そして、本実施例のものにおける
　『画面表示された図２の格子状ガイド（５０）の、「
チャンネル５２のラインナップ
　同じく『画面表示された図２の格子状ガイド（５０）の、「
チャンネル５２のラインナップ
　これらを合わせた図２の「画面表示された格子状ガイド（５０）」は、「第１の番組スケジュール情報と該第２の番組スケジュール情報とを有するチャンネルガイド
表示
　
　(3)また、
　・テレビジョン
スケジュールガイド
　・図２に示される「格子状ガイド（５０）」の時間欄５６に「・・・」とあることから、「格子状ガイド」そのものは、画面に表示されていない（４時間を超える）もっと多くの時間帯部分も有しているものと普通に理解されること、
　・「
選択されたチャンネル５２のラインナップを
　からすれば、
　本実施例のものは、
　『図２の「画面表示された格子状ガイド（５０）」に対応するガイドデータであって、「画面表示された格子状ガイド（５０）」に表示されていない時間やチャンネル分も含む
格子状ガイドデータ
を元
　
　そして、その元となる上記『
格子状ガイドデータ
　『（
画面表示後のチャンネルガイドではなく
　
画面表示前のチャンネルガイドであって
　
チャンネルガイド表示
利用者に、特定のチャンネルについて、そこで放送される複数の番組スケジュール情報（番組の放送予定情報−その特定のチャンネルで、いかなる特定の番組が、いかなる特定の時間に放送されるかの予定情報）を案内するガイド表示
に対応するガイドデータ
　という上記「チャンネルガイド」の解釈に符合するものであり、
　その元となる上記『
格子状ガイド−データ
格子状ガイド−データ
　と理解される。
　
　すなわち、本実施例のものは、
　(i)請求項１、１２でいう「チャンネル
ガイド
　『図２の「画面表示された格子状ガイド（５０）」に対応するガイドデータであって、「画面表示された格子状ガイド（５０）」に表示されていない時間やチャンネル分も含む
格子状ガイドデータ
　このことは、
　１Ｃ「該第１の番組スケジュール情報と該第２の番組スケジュール情報と
　　　を有するチャンネルガイドを提供することと、」、
　１２Ｃ「該第１の番組スケジュール情報と該第２の番組スケジュール情報
　　　とを有するチャンネルガイドを提供する手段と、」
　に対応し、これら要件に合致するものである。
　(ii)次に、その「提供」（供給）された上記『
格子状ガイドデータ
ガイド
　当該『
格子状ガイドデータ
少なくともいくつかを表示
　このことは、
　１Ｄ「該チャンネルガイドに含まれる複数の番組スケジュール情報のうち
　　の少なくともいくつかを表示することと、」
　１２Ｄ「該チャンネルガイドに含まれる複数の番組スケジュール情報のう
　　ちの少なくともいくつかを表示する手段と、」
　に対応し、これら要件に合致するものである。
　
　ウ　
まとめ
　
　請求項１，１２でいう「チャンネルガイド」とは、
　請求項１，１２の記載自体（ア）、発明の詳細な説明の記載（イ）からみて、
　『（
画面表示後のチャンネルガイドではなく
　
画面表示前のチャンネルガイドであって
　
チャンネルガイド表示
利用者に、特定のチャンネルについて、そこで放送される複数の番組スケジュール情報（番組の放送予定情報−その特定のチャンネルで、いかなる特定の番組が、いかなる特定の時間に放送されるかの予定情報）を案内するガイド表示
に対応するガイドデータ
　（『前記複数の番組スケジュール情報を所望の順序で混合し、ソートし、該複数の番組スケジュール情報を所望の順序で提供するものを含む』）
　と理解される。
　
　そして、そのように「チャンネルガイド」に理解することが、請求項１，１２記載の発明を不明確にするものでもなく、
　請求項１、１２に基づいて特許を受けようとする発明がまとまりのある一つの技術的思想として把握できるものである。
　
　以上によれば、
　請求項１，１２の「チャンネルガイド」は明確でない、とはいえないし、
　請求項１，１２の記載は、「チャンネルガイド」が明確でないから明確性要件に違反する（特許を受けようとする発明が明確でない）ともいえない。
　
　〈請求人の主張について〉
　「本発明の格子状ガイドはまた、テーマ・ガイド、
チャンネル・ガイド
テーマ・ガイド
番組情報を表示するその他のガイド
チャンネル・ガイド
　確かに、「
テーマ・ガイド
番組情報を表示するその他のガイド
　「
チャンネル・ガイド
　
　〈請求項２，３，５〜８，１０，１１、及び
　　請求項１３，１４，１６〜１９，２１，２２について〉
　
　これら各請求項についての無効理由２（明確性要件違反２）は、請求項１，１２の記載は「チャンネルガイド」が明確でないから明確性要件に違反することを前提とするものであるところ、
　その前提が成り立たないことは上記のとおりであるから、
　これら各請求項についての無効理由２（明確性要件違反２）も、理由がない。
　すなわち、（請求項１，１２の記載は「チャンネルガイド」が明確でないから明確性要件に違反することを理由に）請求項２，３，５〜８，１０，１１及び請求項１３，１４，１６〜１９，２１，２２の記載が明確性要件に違反するとはいえない。
　
【まとめ：無効理由２（明確性要件違反２「チャンネルガイド」）】
　以上によれば、特許請求の範囲の請求項１〜３，５〜８，１０〜１４，１６〜１９，２１及び２２のいずれの記載も、特許法第３６条第６項第２号「特許を受けようとする発明が明確であること」（明確性要件）の規定を満たさない、とはいえない。
　したがって、本件発明１〜３，５〜８，１０〜１４，１６〜１９，２１及び２２に係る特許は，いずれも、特許法第３６条第６項第２号に規定する要件を満たしていない特許出願に対してなされたものであるから同法第１２３条第１項第４号に該当し無効とすべきものである、とすることはできない。
　
　　　　　記Ｂ（本件の発明の詳細な説明（甲１号証）、
　　　　　　　　　「チャンネルガイド」関連）
「【０００１】
　（発明の背景）
　従来の技術として、テレビジョン・スケジュール・ガイドに関する情報を提供する装置が幾つかある。これらの情報は、
利用可能なチャンネル及び該チャンネルそれぞれのテレビ番組を、スクリーン上に格子（グリッド）状に表示するために使用される
これらの一覧表にされたチャンネルは、順番にまたは所望の所定の順序でテレビジョン画面上に表示することができる。
「【０００７】
本発明の好適な実施例では、本発明は、入力信号及び番組情報の調整（コーディネート）に関しており、より詳細には（１）
多数のソースから受信するテレビジョン・スケジュールガイド情報の調整
「【０００８】
　
本発明は、テレビジョン・システムのチャンネル・ガイド情報を組合せる（マージする）方法を提供する。この方法は、チャンネル・ガイド情報の受信及び記憶を含む。チャンネル・ガイド情報は、多数のテレビジョン信号ソースから受信される。このチャンネル・ガイド情報を受信した後で、システムが該情報を混合分類して所望の順序に並べる。最後に、このチャンネル・ガイド情報の表示が生成されて、所望の順序でテレビジョンに表示される
「【００１０】
　（特定の実施例の説明）
　本発明は、テレビ番組及びテレビジョン・スケジュール・ガイド情報を調整する同調方式を提供する。この
テレビジョン・スケジュール・ガイド情報は多数のソースから受信することが可能である
スケジュール情報には、該スケジュール情報が特定のソースからのものであることを識別するソース識別子が設けられている
「【００１１】
　利用者が
表示されたガイド内の表示チャンネルの１つに配置されたショー
該ショー
「【００１９】
  ＩＲＤボックス２８は、一実施例では、衛星用ディッシュ・アンテナ２９を介してテレビ番組及びその他の情報を受信する。ＩＲＤボックス２８は、次いで、番組スケジュール情報をシステムに供給する。スケジュール情報はＤＢＳサービス提供者またはその契約会社により伝送された信号に追加される。ＤＢＳサービスの例として、ダイレクトＴＶ（ＤｉｒｅｃｔＴＶ）及びＵＳＳＢが上げられる。
この番組スケジュール情報（即ちガイド）に
「【００２８】
　 
図２は、テレビジョン・ガイド情報から組み立てられた格子状のスケジュール・ガイドの画面表示の例である。本発明の格子状ガイドはまた、
、チャンネル・ガイド
を含んでる
好適な実施例では、コーディネータ２０が利用できる番組ガイド情報を全て収集及び分類し終わった後、コーディネータ２０は、図２に図示した格子状ガイドを生成し、テレビジョン２２の画面上に表示する
符号５０で表される格子状ガイドは、全てのチャンネルまたは選択されたチャンネル５２のラインナップ
例えば、第２チャンネル５８では、午後１時〜２時の間、バットマン６０が放映され、午後２時〜２時３０分の間、ソープ（ホームコメディ）６２が放映される
「【００２９】
  
格子状ガイドが使用される場合には、チャンネル５２のラインナップを、（１）チャンネルが番号またはアルファベット順になるように、または（２）チャンネルがそれぞれの特定のソースと関係した順になるように、または（３）チャンネルが利用者がプログラムした混合した順になるように、または（４）チャンネルがその他の任意の配置となるように配列することが可能である
チャンネルの順番５２が決定される。従って、任意の所望の配列でチャンネル５２のラインナップが可能となる。
　
　
【第４-３】無効理由３（サポート要件違反（３６条６項１号）、
　　　　　原文新規事項）について
　
　（１）サポート要件違反（３６条６項１号）
　
　請求人の主張する無効理由３（サポート要件違反）の要点は、発明の詳細な説明の段落【0028】の「格子状ガイドを生成し，テレビジョン２２の画面上に表示する」との記載は「格子状ガイド」についての記載であって、「チャンネルガイド」についての記載ではなく、
　「チャンネルガイド」について、要件１Ｃ・１２Ｃ，１Ｄ・１２Ｄとすることは、本件特許明細書の発明の詳細な説明に記載されていないから、請求項１〜３，５〜８，１０〜１４，１６〜１９，２１及び２２の記載はサポート要件に違反するというものである（前記【第３-１】の［２］（３-１）及び［３-３］（１））。
　
　請求項１、１２でいう「チャンネルガイド」は、
　『（
画面表示後のチャンネルガイドではなく
　
画面表示前のチャンネルガイドであって
　
チャンネルガイド表示
利用者に、特定のチャンネルについて、そこで放送される複数の番組スケジュール情報（番組の放送予定情報−その特定のチャンネルで、いかなる特定の番組が、いかなる特定の時間に放送されるかの予定情報）を案内するガイド表示
に対応するガイドデータ
　（『前記複数の番組スケジュール情報を所望の順序で混合し、ソートし、該複数の番組スケジュール情報を所望の順序で提供するものを含む』）
　と解されることは、前記「【第４-２】無効理由２」のとおりであるところ、
　そのように解される「チャンネルガイド」について、要件１Ｃ・１２Ｃ，１Ｄ・１２Ｄとすることが、発明の詳細な説明に記載されていると言えることは、既に、前記「【第４-２】無効理由２のイ」で検討したとおりである。
　
　念のためにみておくと、段落【0028】【0029】に記載される実施例のものは、
　上記に解される「チャンネル
ガイド
　・『図２の「画面表示された格子状ガイド（５０）」に対応するガイドデータであって、「画面表示された格子状ガイド（５０）」に表示されていない時間やチャンネル分も含む
格子状ガイドデータ
　・その「提供」（供給）された上記『
格子状ガイドデータ
　当該『
格子状ガイドデータ
少なくともいくつかを表示
　・上記『
格子状ガイドデータ
　｛『画面表示された図２の格子状ガイド（５０）の、「
チャンネル５２のラインナップ
　「第１のソース装置から該第１の伝送方式を用いて伝送される第１の番組スケジュール情報」（要件１Ｂ・１２Ｂ）といえ、
　『画面表示された図２の格子状ガイド（５０）の、「
チャンネル５２のラインナップ
　「第２のソース装置から該第２の伝送方式を用いて伝送される第２の番組スケジュール情報」（要件１Ｂ・１２Ｂ）といえ、
　上記『格子状ガイドデータ』は、これらを合わせた図２の「画面表示された格子状ガイド（５０）」に対応するものである。｝
　要件１Ｃ・１２Ｃ，１Ｄ・１２Ｄを備えるものである。
　
　このことは、上記のとおり解釈した「チャンネルガイド」について、要件１Ｃ，１Ｄ，１２Ｃ，１２Ｄとすることが記載されていることを示すものである。
　したがって、「チャンネルガイド」について、要件１Ｃ・１２Ｃ，１Ｄ・１２Ｄとすることは、本件特許明細書の発明の詳細な説明に記載されているということができ、サポート要件に違反するとはいえない。
　
　同様に、「チャンネルガイド」についての要件１Ｃ，要件１Ｄを含む請求項１〜３，５〜８，１０，１１の記載、
　「チャンネルガイド」についての要件１２Ｃ，要件１２Ｄを含む請求項１２〜１４，１６〜１９，２１，２２の記載、
　のいずれの記載もサポート要件に違反するとはいえない。
　
　すなわち、請求項１〜３，５〜８，１０〜１４，１６〜１９，２１及び２２の記載は、いずれも、特許法第３６条第６項第１号「特許を受けようとする発明が発明の詳細な説明に記載したものであること」（サポート要件）の規定を満たさない、とはいえない。　　
　
【まとめ：無効理由３（サポート要件違反（３６条６項１号）】
　
　以上によれば、本件発明１〜３，５〜８，１０〜１４，１６〜１９，２１及び２２に係る特許は、いずれも、特許法第３６条第６項第１号に規定する要件を満たしていない特許出願に対してなされたものであるから同法第１２３条第１項第４号に該当し無効とすべきものである、とすることはできない。
　
　（２）原文新規事項追加（３６条６項１号）
　
　請求人の主張する無効理由３（原文新規事項追加）の要点は、要件１Ｄ及び要件１２Ｄは，
　いずれも，本件特許の国際出願日における国際出願の明細書，請求の範囲及び図面（以下「原文」という。）に記載されておらず，本件特許の願書に添付した明細書又は図面に記載した事項が原文に記載した事項の範囲内にないから、
　本件発明１〜３，５〜８，１０〜１４，１６〜１９，２１及び２２に係る特許は、特許法第１２３条第１項第５号に該当する、
　というものである（前記【第３-１】の［２］（３-２）及び［３-３］（２））。
　
　ア　しかし、前記【第１】のとおり、本件特許に係る出願は、
　平成８年４月４日（パリ条約による優先権主張：平成７年４月１７日、米国）を国際出願日とする出願である特願平８−５３１７７６号（以下、「原出願」ともいう。）の一部を新たな特許出願（特願２００６−２１１５０７号）として出願したものであって、
　外国語書面出願ではない（その原出願が外国語書面出願である。）から、
　そもそも、（平成１４年改正前特許法第１８４条の１８によって読み替えて適用される）特許法第１２３条第１項第５号は、適用され得ないものである。
　
【まとめ：無効理由３（原文新規事項追加）】
　以上によれば、本件発明１〜３，５〜８，１０〜１４，１６〜１９，２１及び２２に係る特許は、（平成１４年改正前特許法第１８４条の１８によって読み替えて適用される）特許法第１２３条第１項第５号に該当し無効とすべきものである、とすることはできない。
　
　〈付記〉
　なお、請求人は、要件１Ｄ及び要件１２Ｄが、平成２１年７月１３日付けの手続補正書によって新たに挿入されたものである、とも主張しているので、以下にみておく。
　
　要件１Ｄ及び１２Ｄが本件特許明細書の発明の詳細な説明に記載されているとした根拠である上記段落【0001】【0007】【0008】【0010】【0011】【0019】【0028】【0029】（上記「記Ｂ」）の記載事項は、
　本件特許の願書の最初に添付した明細書の発明の詳細な説明の段落【0001】【0007】【0008】【0010】【0011】【0019】【0028】【0029】の記載事項と同じであるから、
　要件１Ｄ及び１２Ｄは、本件特許の願書の最初に添付した明細書の発明の詳細な説明に記載されていたともいうことができる。
　
　また、本件出願の原出願は、外国語書面出願であるところ、その外国語書面｛国際出願（ＰＣＴ／ＵＳ９６／０４７３１）の外国語書面（以下、単に「外国語書面」という｝の記載事項は、甲１４号証（国際公開第９６／３３５７２号（ＷＯ９６／３３５７２））に示されるものである｛その翻訳文は、上記国際公開に対応する、本件特許の原出願に係る公表特許公報である甲１５号証（特表平１１−５０４１７１号公報）を採用することとする。｝。
　そして、要件１Ｄ及び１２Ｄが本件特許明細書の発明の詳細な説明に記載されているとした根拠である上記段落【0001】【0007】【0008】【0010】【0011】【0019】【0028】【0029】（上記「記Ｂ」）の記載事項は、
　甲１４号証（国際公開）の下記「記Ｃ」の記載事項と実質的に同じであるから、
　要件１Ｄ及び１２Ｄは、本件出願の原出願の外国語書面に記載されていた
ともいうことができる。
　
　　　　　記Ｃ（甲第１４号証；国際公開第９６／３３５７２号、
　　　　　　　　「チャンネルガイド」関連　）
　
　「BACKGROUND OF THE INVENTION 
　The prior art includes several arrangements for presenting information associated with a television schedule guide. This information is often used to provide an on-screen grid-like display of the available channels along with their related television shows. Usually, a list of available channels are displayed on the y-axis and time slots occupy the x-axis. These listed channels can appear sequentially or in any preferred, predetermined order within the display on the television. U.S. Patent No. 5,353,121 is representative of such systems, and has found wide success in the industry. U.S. Patent No. 5,353,121 is hereby incorporated by reference.」（１頁６行〜１７行）
　｛翻訳；「（発明の背景）
　従来の技術として、テレビジョン・スケジュール・ガイドに関する情報を提供する装置が幾つかある。これらの情報は、利用可能なチャンネル及び該チャンネルそれぞれのテレビ番組を、スクリーン上に格子（グリッド）状に表示するために使用される。通常、利用可能なチャンネルがＹ軸上に表示され、時間枠がＸ軸を占めることになる。これらの一覧表にされたチャンネルは、順番にまたは所望の所定の順序でテレビジョン画面上に表示することができる。米国特許第５３５３１２１号には、斯かるシステムが開示されており、当業界で幅広く受け入れられている。米国特許第５３５３１２１号は、参照することにより本書に組み入れられている。」（甲１５号証、段落【0001】）｝
　
　「In the preferred embodiment, the present invention is directed to coordinating input signals and program information, and more particularly to (1) coordinating television schedule guide information received from multiple sources, (2) ・・・」（２頁３３行〜３７行）
　｛翻訳；「本発明の好適な実施例では、本発明は、入力信号及び番組情報の調整（コーディネート）に関しており、より詳細には（１）多数のソースから受信するテレビジョン・スケジュールガイド情報の調整、（２）・・・」（段落【0007】）」
　
　「The present invention provides a method of merging channel guide information in a television system. This method includes the receiving and storing of channel guide information. The channel guide information is received from multiple television signal sources. After receiving this channel guide information, the system mixes and sorts it into a desired order. Finally, a display of this channel guide information is generated and then shown on a television in the desired order.」（３頁８行〜１６行）
｛翻訳；「本発明は、テレビジョン・システムのチャンネル・ガイド情報を組合せる（マージする）方法を提供する。この方法は、チャンネル・ガイド情報の受信及び記憶を含む。チャンネル・ガイド情報は、多数のテレビジョン信号ソースから受信される。このチャンネル・ガイド情報を受信した後で、システムが該情報を混合分類して所望の順序に並べる。最後に、このチャンネル・ガイド情報の表示が生成されて、所望の順序でテレビジョンに表示される。」（段落【0008】）
　
　「The present invention provides a tuning scheme which coordinates television programs and television schedule guide information. This television schedule guide information can be received from numerous sources. ・・・The schedule information is provided with a source identifier which identifies that schedule information as being from a particular source. The schedule information is sorted and displayed in an organized fashion to the user.」（４頁７行〜２１行）
　｛翻訳；「本発明は、テレビ番組及びテレビジョン・スケジュール・ガイド情報を調整する同調方式を提供する。このテレビジョン・スケジュール・ガイド情報は多数のソースから受信することが可能である。・・・スケジュール情報には、該スケジュール情報が特定のソースからのものであることを識別するソース識別子が設けられている。スケジュール情報は、組織的に分類されて利用者へ配給される。」（段落【0010】）｝
　
　「When a user selects a show or channel located on one of the displayed channels within a displayed guide, the system reads the source identifier associated with that show or channel. 」（４頁２２行〜２５行）
　｛翻訳；「利用者が表示されたガイド内の表示チャンネルの１つに配置されたショーまたはチャンネルを選択すると、システムが該ショーまたはチャンネルに関係したソース識別子を読み取る。」（段落【0011】）｝
　
　「IRD box 28 receives television programs along with other information via, in one embodiment, satellite dish 29. IRD box 28 then provides program schedule information to the system. The schedule information is added to the transmitted signal by the DBS service provider or a company under contract. Examples of DBS service providers include Direct TV and USSB. This program schedule information (or guide) may also include a channel map that contains the channel information which is available on a particular source. Information associated with the DBS guide is saved in the IRD box receiver's RAM 42 or downloaded. Similarly, program guide information can be received through cable box 26, other inputs 30, antenna 34, and/or through any other transmission medium (e.g., dedicated twisted pair telephone line) . Each of these sources may also be provided with television schedule data within the signal transmitted by the service provider.」（７頁８行〜２３行）
　｛翻訳；「ＩＲＤボックス２８は、一実施例では、衛星用ディッシュ・アンテナ２９を介してテレビ番組及びその他の情報を受信する。ＩＲＤボックス２８は、次いで、番組スケジュール情報をシステムに供給する。スケジュール情報はＤＢＳサービス提供者またはその契約会社により伝送された信号に追加される。ＤＢＳサービスの例として、ダイレクトＴＶ（Ｄｉｒｅｃｔ  ＴＶ）及びＵＳＳＢが上げられる。この番組スケジュール情報（即ちガイド）に、特定のソースで利用できるチャンネル情報を含んだチャンネル・マップを含ませてもよい。ＤＢＳガイドに関係した情報は、ＩＲＤボックス受信機のＲＡＭ４２に記憶される、即ちダウンロードされる。同様に、番組ガイド情報をケーブル・ボックス２６、他の入力３０、アンテナ３４、及びその他の任意の伝送媒体（例えば、専用ツイスト・ペア電話回線）の少なくとも１つを介して受信することができる。これらソースの各々は、サービス提供者により伝送された信号内にテレビジョン・スケジュール・データを含むようにしてもよい。」（段落【0019】）｝
　
　「Fig. 2 is an example of an on-screen display of a schedule grid guide that has been assembled from the television guide information. The grid guide of the present invention also refers to and includes theme guides, channel guides, and other guides which display program information. In the preferred embodiment, after coordinator 20 has collected and sorted all the available program guide information, coordinator 20 generates the grid guide set forth in Fig. 2 for display on television 22. This grid guide can also be generated within the IRD box, a satellite receiver, the television, the VCR, a central office location, etc. The grid guide, designated generally with the reference numeral 50, provides a line up of all channels or a selection of channels 52 along with a description of the shows 54 available on those channels at certain times 56. For example, channel 2 58 has BATMAN 60 as a show from 1:00p.m. to 2:00p.m. and SOAP 62 as a show from 2:00 p.m. to 2:30 p.m. A theme, or channel, or random, etc. listing can be used instead of the grid guide shown in Fig. 2.」（９頁３０行〜１０頁１０行）
　｛翻訳；「図２は、テレビジョン・ガイド情報から組み立てられた格子状のスケジュール・ガイドの画面表示の例である。本発明の格子状ガイドはまた、テーマ・ガイド、チャンネル・ガイド及び番組情報を表示するその他のガイドを含んでる。・・・符号５０で表される格子状ガイドは、全てのチャンネルまたは選択されたチャンネル５２のラインナップを、時間５６にそのチャンネルで利用できる番組５４の説明とともに提供する。例えば、第２チャンネル５８では、午後１時〜２時の間、バットマン６０が放映され、午後２時〜２時３０分の間、ソープ（ホームコメディ）６２が放映される。テーマ毎、チャンネル毎、又はランダムのリストを、図２に示した格子状ガイドに代えて使用することも可能である。」（段落【0028】）｝
　
　「If a grid guide is used, the lineup of channels 52 can be arranged such that (1) channels are in numerical and/or alphabetical order, or (2) channels are in an order associated with their particular source, or (3) channels are in a mixed order programmed by a user, or (4) channels are in any other arrangement. 」（１０頁１１行〜１６行）
　｛翻訳；「格子状ガイドが使用される場合には、チャンネル５２のラインナップを、（１）チャンネルが番号またはアルファベット順になるように、または（２）チャンネルがそれぞれの特定のソースと関係した順になるように、または（３）チャンネルが利用者がプログラムした混合した順になるように、または（４）チャンネルがその他の任意の配置となるように配列することが可能である。」（段落【0029】）｝
　
【第４-４】無効理由４（新規性欠如・進歩性欠如）について
　
　請求人の主張する無効理由４（新規性欠如・進歩性欠如）は、無効理由１、２が成立しない場合の予備的主張であるとしており、その要点は、
　（４-１）新規性欠如
　請求項１，２，５，８，１０，１２，１３，１６，１９，２１（計１０）に係る特許発明は、甲２号証に記載された発明である（新規性欠如）から、特許法第２９条第１項３号に該当し特許を受けることができない。
　（４-２）進歩性欠如
　請求項３，７，１１，１４，１８，２２（計６）に係る特許発明は、甲２号証に記載された発明に基づいて、当業者が容易に発明をすることができたものであるから、特許法第２９条第２項の規定により特許を受けることができないものである。
　請求項６，１７（計２）に係る特許発明は、甲２号証に記載された発明及び甲５号証に記載された発明に基づいて、当業者が容易に発明をすることができたものであるから、特許法第２９条第２項の規定により特許を受けることができないものである。
　というものである。｛前記【第３-１】［２］（４）、［３-４］｝
　
　以下、甲２号証，甲５号証などを、「甲２」、「甲５」などともいい、甲２号証記載の発明を「甲２発明」などともいう。
　
［１］甲２，５号証の記載
　甲２，５号証には、以下の記載がある。なお、摘示した各記載事項に付した「(K1)」等の記号は、本審決で付した記号であり、請求人が摘示した箇所には「(ア)」等の記号を併記した。また注目する記載部分には下線を施した。
　
（１）
甲２号証（特表平６−５０４１６５号公報
　
　甲２号証には以下の記載がある。
　  
　(K1)「請求の範囲
１．
テレビジョンスケジュールシステム
　異なったテレビジョン番組時間長に応じて、長さを変化させる不規則な
セルのアレーとして前記表示部へテレビジョンスケジュールを表示する
　前記表示部の前記
テレビジョンスケジュールヘカーソルを提供する
　等長のステップのシリーズのアレーで
前記カーソルを移動する目的で前記カーソルを提供する
テレビジョンスケジュールシステム
　
　(K2)「６９．
テレビジョンスケジュールシステム
　表示部と、
　前記
表示部へテレビジョンスケジュールを表示する
　スケジュールを表示するための前記手段は、スケジュール情報の表示のため、希望チャンネルの第一の数をユーザーが選択できるように構成可能であり、前記第一の数が、利用可能チャンネルの第二の数より少なく、
　スケジュールを表示するための前記手段へ接続されているプログラマブルチューナと、
　
チャンネルアップあるいはチャンネルダウンコマンドに応答して前記表示部へ前記テレビジョンスケジュールが表示されるとき、前記希望チャンネルの第一の数を追尾するように前記プログラマブルチューナは構成され、かつチャンネルアップあるいはチャンネルダウンコマンドに応答して前記表示部に前記テレビジョンスケジュールが存在しない場合は、前記利用可能なチャンネルの第二の数を追尾するように前記プログラマブルチューナは構成されている
テレビジョンスケジュールシステム
　
　(K3)「１．発明の分野
本発明は、一般に、テレビジョン視聴者がスクリーン上のテレビジョンのプログラムリストにアクセスし、ビデオカセットレコーダー（ＶＣＲ）またはその他の記録装置を容易かつ便利な方法で制御するために番組リストの使用を可能とするシステムおよび方法に関する。更に、本発明は、容易な呼び出しおよび再生のため、タイトルによって記録番組のディレクトリを作成するシステムおよび方法に関する。より具体的には、
ＶＣＲまたは他の記録装置が、将来の日付と時間の記録についても、番組のタイトルの簡単な選択および記録コマンドによって制御されるシステムおよび方法に関する
直感的なユーザーインタフェースを備えたシステム及び方法
　(ア)「本発明は、容易な呼び出しおよび再生のため、タイトルによって記録番組のディレクトリを作成するシステムおよび方法に関する。」（６頁左上欄８行〜同欄１０行）
　
　(K4)「印刷された
グリッドテレビジョンスケジュールガイド
テレビジョン表示部のサイズ及び解像度がグリッドに表示されるテキストの量を制限する。テレビジョン表示部の制限の範囲内にてユーザーに容易に理解されるやり方で最大の情報を伝えるためには、改良した技術が要求される
　
　(K5)(イ)(シ)「発明の要約
　従って、発明の目的は、テレビジョンスケジュール情報の特定の性質を補償するように構成されたユーザーインターフェースを有するテレビジョンスケジュールシステム及び方法を提供することにある。
　　　・・・（中略）・・・
　本発明の目的は、更に、スケジュール情報がテレビジョン表示部の解像度制限を補償するようなフォーマットにて表示されるようなユーザーインタフェースを提供することにある。
　　　・・・（中略）・・・
　本発明の目的は、更に、
スケジュール情報の提示順序がユーザーの好みに合わせて変更可能なユーザーインタフェースを提供する
　
　(K6)「本発明の他の特徴は、
ビデオ記録装置のコントロールシステムがビデオ記録装置の開始及び停止のため、記録媒体上にビデオ情報を記録する
表示発生器は、表示イメージ発生信号を提供する。ビデオ記録装置の操作に関連する表示イメージの発生のために表示発生器へ情報を提供するための手段が存在する
　
　(K7)「本発明の他の特徴は、テレビジョンスケジュールシステムが表示部を含み、表示部上にテレビジョンスケジュールを表示するために表示部に接続される手段があることである。スケジュールを表示するための手段は、スケジュール情報の表れは利用可能な第二のチャンネル数より少ない。
プログラマブルチューナが、スケジュールを表示するための手段へ接続されている。プログラマブルチューナは、チャンネルアップコマンドまたはチャンネルダウンコマンドに応答して表示部にテレビジョンスケジュールが示されるとき、第一の希望チャンネル数に従うように構成される。プログラマブルチューナは、チャンネルアップコマンドまたはチャンネルダウンコマンドに応答して表示部にテレビジョンスケジュールがない場合、第二の利用可能なチャンネル数に従うように構成される
　
　(K8)「発明の詳細な説明
　図を参照して、特に図１−７を参照すると、本発明のシステムの動作に使用され、本発明による方法を実行している一連のメニュースクリーン１０、１２、１４、１６、１８、２０及び２２が示されている。スクリーン１０、１２、１４、１８及び２０の各々は、不規則な
セル２６
番組リスト
番組リスト
セル２６
　　　・・・（中略）・・・　
　即ち、カーソルが半時間のステップで移動し、セル長が例えば４時間とすると、カーソルは１７２時間の長さとするか、４時間の長さとするか？　カーソルが基礎セル（１／２時間）の間隔だけ広がっているとすると、カーソルは、セルのセグメントをハイライトするように現われ、これは誤解をもたらす。反対に、カーソルが、
ＴＶリスト
　　　・・・（中略）・・・　
　グリッド連続アイコン３８が図１に示される。印刷グリッドテレビジョンスケジュールガイドは、しばしば番組が連続していることを示すため（”続く”といった）括弧で括ったコメントを含む。
ＴＶスクリーンに表示される電子ガイドでは、テキストスペースに対する制限故に、これらの括弧付きコメントは、除外される。スペースを節約するため、アイコン３８が、セル２６の連続性を示すために用いられる。次のスクリーンへ連続しているセル２６の境界では
　
　(K9)「図２及び図３は、記録状態の表示である。一つの番組が記録のため選択されていると、その
リストセル２６
　
　(K10)「図６は、番組ノートオーバレイ５２を有すテレビジョンスケジュールグリッドスクリーン２０を示す。ＴＶ表示部のテキストスペースの制限により、可能な限り
ＴＶリスト
　○　番組ジャンル
　○　番組紹介
　　・・・（中略）・・・
　選択した番組の番組ノートは、要求に応じてグリッドガイド上に重ねて表示される。
番組ノートは、選択コマンドを利用してスイッチオン・オフすることが可能である
　
　(K11)(ウ)「
図１−３及び図５−６は、テレビジョンスケジュールグリッド２４のチャンネルコラム５４を示す。好きな局及びケーブルチャンネルは、個人の好みに合わせたグリッドガイドを作成するため、一緒にリストされる。大半の印刷ＴＶガイドと異なって、チャンネルコラム５４は、オーバジエア放送の局名とケーブルサービスの局名が混合している。
　
　(K12)(ウ)「
グリッド２４ガイドを見る場合は、チューナアップ／ダウンチャンネルコマンドは、スクリーン上のチャンネル及びリストアップされた順で位置付けられる
ガイドを見ない場合は、チューナ手順は、通常の番号順に返る。ページの最後のチャンネルに行き着くと、次のチューナコマンドがチャンネルを次のページの最初にリストアップされているチャンネルとする。
チューナが同調するチャンネルがグリッド２４に表示されると、５６で示されるように、そのチャンネルはハイライトされる。
　ハイライトはいつ再起動されるか？新ページに一旦入ると、第一
チャンネルアップ／ダウンコマンドは、チューナを自動的に、新ページの最後または最初の行３０にリストアップされているチャンネルへ移動するように作動する
　ページが選択された後、チャンネルハイライトが抑圧されていない場合は、定義により、チューナは、ハイライトされたチャンネルを追尾するように変化しなければならない。不用意なページ変更がチャンネル変更をもたらさないためには、これは望ましくない。」（８頁右上欄１５行〜８頁左下欄８行）
　(エ)「現チャンネルに関する情報は、スクリーンの底部のチャンネル情報ボックス５８にまだ提示されている。」（８頁右上欄２７，２８行）
　
　(K13)(オ)「図２で示されるように、ガイドが初めて開かれたとき、カーソル３２及び現在のチャンネル５６は、グリッド２４の同じ行に配置される。チャンネル５６が変更されると、カーソル３２は、チャンネルと共に誘引されることが望ましい。これを実現するには、
カーソル３２は、選択コマンド（番組ノートを呼び出すための）に備えるか、記録コマンドに備えるかする
　
　(カ)「図１４−１７は、テーマ機能スクリーン１０４を示す。テーマ機能により、視聴者は、ダウンロードスケジュールを素早く分類でき、興味のある主題４づくサブセットスケジュールを表示することが可能である。ユーザーは、主なテーマ別にまず分類され、第二にテーマ内のトビツク及びトビッククオリファイアまたはそのいずれかによって分類されたリストを選択する自由がある。テーマ、トビツク及びトピッククオリファイアで分類された全ガイドは、行別に表になっているフォーマットに表示され、現在の半時間に最も近接している番組をリストアツブすることで開始する。」（９頁右下欄１２行〜同１７行）
　
　(K14)「図７は、グリッド２４とリスト５８との間でスイッチ選択するためのテープ内容確認コマンドをユーザーにさせることで発生する、単一チャンネルの番組リスト５８のスクリーン２２を示す。リスト５８は、そのチャンネルの一連の番組リストの行６０とチャンネル情報フィールド６２を含む。番組ノートは、グリッド２４に関して図６で示されたと同様な方法でリスト５８上に重ねられる。
　ＴＶ内容確認コマンドは、グリッドガイド２４と次のチャンネル確認行ガイド５８との間で交互に選択される。グリッドガイド２４を見ている間は、次のＴＶ内容確認コマンドは、グリッド２４を単一チャンネル行ガイド５８で置き換える。図８は、ＴＶ内容確認コマンドのフローチャートである。
　二つのガイド２４と５８との間のページ関係は、緊密に組み合わされている。単一のチャンネルガイドは、グリッド２４上のカーソル３２により選択されたチャンネルとスケジュール時間とに対して開かれる。単一チャンネルガイド５８を見ている間は、アップ／ダウンチャンネルコマンドは、リストアップされているチャンネルを変更するために使用される。単一のチャンネルガイド５８が存在し、グリッドガイド２４に返るとき、グリッドカーソル３２は、単一チャンネルガイド５８で選択されたチャンネルとスケジュール時間とを指し示すようになっている。」（８頁左下欄１８行〜同頁右下欄５行）
　
　(K15)「図２０は、チャンネルカスタム化スクリーン１１６を示す。スクリーン１１６により、ユーザーは、チャンネルを興味に合わせカスタム化でき、リストをコンパクトにでき、アップダウン走査中の必要のないチャンネルを除去できる。スケジュール更新中に、加入者ケーブルシステム（またはオーバジエア加入者のための放送局）で利用可能な全てのケーブルチャンネルのリストがＶＣＲに入力される。このチャンネルの完全な省略のないセットは、スクリーン１１６を使用してカスタム化できる。
　チャンネルカスタム化スクリーン１１６は、二つのフィールドを有し、三つのコラムを有すフィールド１１８は、３６までのチャンネルを省略することなしにリストアップし、単一のコラムを有すフィールド１２０は、１２の好きなマイ（ＭＹ）チャンネルをリストアップする。
後者は、オープニンググリッドガイドのチャンネル記述子コラム１２２（図１）の複製である
チャンネル番号及び番組サービス名（例えば、ＨＢＯやＫＴＶＵ局２）
オン、セル１２４は、薄緑のバックグラウンドで、いかなるカスタム化も実行されていないディフォールト状態である。マイ（ＭＹ）、単一コラムフィールド１２０に好きなチャンネルがリストアップされ、三コラムフィールド１１８は青のバックグラウンドで表示される。オフ、全ガイドから抹消されたチャンネル、チャンネルアップ／ダウン中のチャンネル（テンキーチャンネルパッドを用いてまだアクセス可能である）。オフセルは、灰色のバックグラウンドである。
　初めての装備のとき、システムは、初めの１２（番号順にリストアップ）チャンネルをＭＹ好きなチャンネルとして割り当てる。チャンネル状態は、チャンネルを変更することで変更でき、選択キーを使用してマイ、オン及びオフの状態を選択できる。
　１２の好きなチャンネルが許されるだけなので、ユーザーは、既存の好きなチャンネルの状態をオフ又はオンとすることで好きなチャンネルを除去できる。これがなされると、第一コラムは、自動的に次のＭＹ選択のためのスペースを開けることになる。新規のＭＹが選択されるとＭＹコラム１２０は、自動的に新規選択をあらかじめ決められた順で挿入する。ＭＹ好きなチャンネルコラム１２０にリストアップされる順は、以下のようになる：
　
全ての好きな放送局がまず番号順にリストアップされる。次に、全てのケーブルサービスがアルファベット順にリストアップされる
　
　(キ)「図２０は、チャンネルカスタム化スクリーン１１６を示す。スクリーン１１６により、ユーザーは、チャンネルを興味に合わせカスタム化でき、リストをコンパクトにでき、アップダウン走査中の必要のないチャンネルを除去できる。」（１０頁右上欄２４行〜同頁左下欄２行）
　
　(K16)「
図２１は、スケジュールシステムのリモートコントローラー用のフロントパネル１３０を示す
チャンネルアップ／ダウンキー１３６
ＴＶ内容確認キー１４２
選択／ゴーツウキー１５４
左、右、アップ、ダウンおよびカーソルキー１５６
　
　(K17)「図２２Ａ及び２２Ｂは、テレビジョンスケジュールシステム／テープコントローラー１８０及び１８２のブロックダイヤグラムであり、ここでユーザーインタフェースが使用される。スケジュールシステム／コントローラー１８０は、既存のテレビジョン装置に応用でき、そこでは基本的なテレビジョン装置からスケジュールシステムは切り離される。
プログラマブルチューナ２０２は、ケーブルデコーダの部分として示されている
スケジュールシステム／コントローラー１８２は、図示のようにＶＣＲ２１１へ組み込まれている。このバージョンでは、ケーブルデコーダは、必要ではなく、チューナ２０７は、ＶＣＲ２１１の部分を構成している
　
　(K18)(ク)(ケ)「
システム１８０では、ケーブルデコーダユニットの部分を構成するプログラマブルチューナは、ＴＶ信号をアンテナ２００及びケーブル入力部２０５またはいずれかより受信する。チューナ出力２１６は、字幕デコーダあるいは高速テレテキストデコーダである垂直ブランキングインターバル（ＶＢＩ）デコーダ２２２に向かう。リスト情報やケーブルチャンネル割当データといった他の支持情報が、一つかそれ以上のローカル局またはケーブルチャンネルにより一日数回または連続的にＶＢＩへ送信される
　
　(K19)(ケ)「更新が必要な場合、
プログラマブルチューナ２０２は、データを伝送する局またはケーブルチャンネルへ自動的に同調する。ＶＢＩ信号がＣＰＵ２２８によって処理された後、リストデータは、スケジュールメモリ２３２へ記憶される一方、ケーブルチャンネル割当データは、ケーブル指定のＲＡＭメモリ２３８へ記憶される。このデータは、ＨＢＯといった一般的なＴＶソース名を特定のケーブルシステムのチャンネル割当へ変換する
　
　(K20)「
ＴＶ内容確認要求に関して、スケジュールメモリ２３２に記憶されているリストが呼び出され、ＣＰＵ２２８で処理され、ビデオ表示発生器２２４へ出力される
　
　(K21)「
番組を時間シフトして記録する要求がなされた場合、番組のタイトル及びその記録パラメータ（チャンネル、開始時間及び長さ）は、スケジュールメモリ２３２から記録メモＲＡＭメモリ２３６へコピーされる。システムクロック２３０が、スケジュール時間と一致すると、ＣＰＵ２２８は、チャンネルコマンドをケーブルデコーダ２０２のプログラマブルチューナへ、パワーオン及び記録コマンドをＶＣＲ２０６へ、これら両装置の赤外線入力ポートに向けられている赤外線リモートドライバ２１４によって、転送する。ＶＣＲに組み込まれたバージョン１８２では、チューナ２０７へのコマンドは、ケーブルバス２６４によりなされる
　
　(K22)(コ)「
オンスクリーンスケジュールからタイトルを選択することでなされるプログラム
リモートコントローラー２１２でプログラムすることもまた可能である。このモードでは、プログラム情報は、リモートコントローラー２１２に入力され、必要なときに、リモートコントローラー２１２は、適当なＴＶ装置へプログラム情報を伝送する
ＶＣＲまたはケーブルデコーダに同調させるためにＣＰＵに名前を特定のチャンネルに変換させている。これは、ＣＰＵ２２８及びリモートコントローラー２１２中のケーブル指定ＲＡＭ２３８を備えることによって実現している
　
　(K23)「リモートコントローラー２１２及び赤外線リモートドライバ２１４は、ケーブルデコーダ２０２及びＶＣＲ２０６によって要求される赤外線コマンド命令をエミュレートすることが可能である。
リモートドライバ２１４のためのコマンドエミュレーションコードはケーブルデコーダＩＦＲコードＲＡＭ／ＲＯＭメモリ２３９に記憶される。よく普及しているケーブルデコーダ及びＶＣＲのコマンドは、ＲＯＭにプリプログラムされている
　図２２に示されるように、ＶＣＲ２０６及びケーブルデコーダ２０２は、リモートコントローラー２１２により手動で制御することができ、また赤外線リモートドライバ２１４により自動で制御することも可能である。」（１１頁右上欄２２行〜同頁左下欄５行）
　
　(サ)「番組が一旦記録されると、そのタイトル及び番組の他の情報が記録メモＲＡＭメモリ２３６の部分へ記憶される。記録番組を再生するため、テープ内容確認要求により、テープの記録番組のディレクトリが表示される。」
　
　(K24)「システム１８２では、スケジュール／テープコントローラー２２０は、ＶＣＲ２１１へ埋め込まれている。ＶＣＲテープ機構２５２は、プログラマブルチューナ２０７を除くビデオレコーダの全ての記録及び再生の電子回路を含む。」（１１頁左下欄１７行〜同欄左下欄１９行）
　
（２）
甲５号証（特開平３−６２７１９号公報
　
　甲５号証には以下の記載がある。
　
　(タ)「アメリカ合衆国には、少くとも３つの大きな放送ネツトワーク（たとえば、ＡＢＣ、ＮＢＣおよびＣＢＣ）と共に多数の有線（ケーブル）サービス・ネツトワーク（たとえば、ＨＢＯ、ＥＳＰＮ・Ｃｉｎｅｍａｘ、等）があり、それぞれ全国規模で放送テレビジヨン・プログラムを供給している。多くの視聴者は、それぞれ好みのテレビジヨン・プログラムについてそれを放送しているネツトワークを通じて楽しもうとしている。そこで生ずる共通の問題は、利用できるチヤンネルの数が非常に多くて、視聴者にとつてはどのチヤンネル番号がどのネツトワークに対応しているか憶えきれないことである。たとえば、米国のある地方では視聴者は４０チヤンネルもの多数の局にアクセスせねばならない。従つて、広く普及している方法であるとはいえこの様な場合チヤンネル番号によつて選局することは、好ましいことではない。」（２頁右上欄３行〜左下欄１４行）
　
　(チ)「テレビジヨン製造業者は、視聴者がネツトワークの名称によつてチヤンネルを選択できるような、手持ち遠隔制御ユニツトを提供することが望まれている。」（３頁右上欄９行〜１２行）
　
　(ツ)「この発明によれば、使用者がテキスト・ラベルを入力させ、またそのラベルに同調させるべき特定チヤンネルを関連づけることのできる同調システムが提供される。その後、使用者がそのラベルを入力することによつて同調すべきチヤンネルを選択することができる。この同調システム制御器は、ラベル・メモリ領域にラベルをアルフアベツト順に記憶させて、チヤンネル変更に要する全時間が不要に長くならないようにするため、チヤンネル変更に伴なうラベル・サーチ時間を最小にする。」（３頁右下欄９行〜１８行）
　
　(テ)「このラベルは放送局のコールサインを表わすものでなければならぬ訳ではなく、文字、数または句読点を表わす１個乃至４個の任意の文字より成る如何なる英数字ラベルとすることもできる。従つて、使用者は、所望のチヤンネルを選局するに当つてその助けとなる任意の便利なラベルを入力することができる。」（５頁右下欄１行〜７行）
　
　(ト)「プログラムは使用者がラベルの入力を完了したものと理解して、そのラベルがメモリ１２０中に在るかどうかを知るためのサーチを開始する（ステツプ４６０）。・・・ラベルがステツプ４６０中で見付かればこのラベルに相当するチヤンネルに同調する（ステツプ４７０）。」（６頁右下欄６行〜１４行）
　
　(ナ)「上述のようなラベルによる同調システムにおいて、特定ラベルとの整合のためにメモリをサーチする」（７頁左上欄１３行〜１５行）
　
［２］甲２発明
　
　甲２号証には、番組のタイトルの簡単な選択および記録コマンドによって制御される、直感的なユーザーインタフェースを備えた「
テレビジョンスケジュールシステムおよび方法
　なお、以下の「（→甲２発明のＮ）」等の記述「Ｎ」は、後記する甲２発明の対応する構成部分に付した記号を意味するものである。
　
（１）甲２記載の「
テレビジョンスケジュールシステムおよび方法
　
　ア　グリッドガイド、表示されるグリッドガイド２４
　
　ア-１　チャンネルと時間のグリッドガイド
　「
テレビジョンスケジュールシステムおよび方法
　ＴＶスクリーン上に、ユーザーインタフェースとして、図１〜３に示されるＴＶグリッドガイド２４（テレビジョンスケジュールグリッドガイド）を表示するところ、
　前掲(K8)の「
アイコン３８が、セル２６の連続性を示すために用いられる。次のスクリーンへ連続しているセル２６の境界では
ページの最後のチャンネルに行き着くと、次のチューナコマンドがチャンネルを次のページの最初にリストアップされているチャンネルとする。
　ガイドには、画面に表示されたガイド２４に続く次ぺージも存在することは明らかであり、従って、ＴＶグリッドガイドは、その一部が、ＴＶスクリーン上に表示されている（図１に示されるグリッドガイド２４）ものであり、
　各チャンネルに対応する各行
　　（最上行は各時間帯を案内する行であって、各列に表示されるセルの
　　　時間帯が、その列位置で示されることを案内する行）と、
　各時間帯に対応する各列
　　（最左列は各チャンネルを案内する列であって、各行に表示されるセル
　　　のチャンネルが、その行位置で示されることを案内する列）
　で区画された各セルが、各番組リスト（各番組項目）に対応するように各番組リスト（各番組項目）のスケジュールを示す、
　チャンネルと時間のグリッドガイドであって、
　各番組リスト（各番組項目）は、該当セルにそのタイトルが表示され、そのチャンネルが該当セルの行位置で、その時間帯が該当セルの列位置で示されるように構成されたグリッドガイドである。（→甲４発明のＵ２）
　
　ここで、「図２・図３は、記録状態の表示である」｛(K9)｝。
　
　ア-２　オーバジエア放送の局名とケーブルサービスの局名の混在
　
前記(K11)「好きな局及びケーブルチャンネルは、個人の好みに合わせたグリッドガイドを作成するため、一緒にリストされる。大半の印刷ＴＶガイドと異なって、チャンネルコラム５４は、オーバジエア放送の局名とケーブルサービスの局名が混合している。グリッド２４ガイドは、局番号、ケーブル名の好きな組み合わせによってチャンネルをリストしていて、通常の番号順ではリストアップされていない。」
　グリッドガイド２４は、各時間帯を案内する最上行に続いて、ユーザの好きなチャンネルの行だけが、
オーバジエア放送の局
　
　イ　システムの構成
　
　イ-１　全体
　当該ユーザーインタフェースが使用される「
テレビジョンスケジュールシステム
システム１８０
システム１８０
　
プログラマブルチューナ
　スケジュール／テープコントローラー２２０（図２２Ａ）、
　リモートコントローラー２１２（図２１、図２２Ａ）、
　ＶＣＲ２０６、ＴＶ／モニター２１０、赤外線リモートドライバ２１４
　を備えている。（→甲２発明のＰ，Ｑ，Ｒ，Ｓ）
　
　イ-２　リモートコントローラー（図２１）
　
システム１８０の
　上半分の「テレビジョンセット及びＶＣＲ用の従来のリモートコントローラーに対応する」部分に、「チャンネルアップ／ダウンキー１３６」を備え、
　下半分の「スケジュールシステムに固有のコントロールキーを含む」部分に、「ＴＶ内容確認キー１４２」、「記録メモキー１４６、記録キー１４８」、「選択／ゴーツウキー１５４、左、右、アップ、ダウンおよびカーソルキー１５６」を備えている。｛(K16)｝（→甲２発明のＲ）
　
　イ-３　
プログラマブルチューナ
　「プログラマブルチューナ２０２」は、「ケーブルデコーダユニットの部分として」「構成」されているものである。（→甲２発明のＰ）
　
　ウ　システムの動作
　ウ-１　
リスト情報
リストデータ
ケーブルチャンネル割当データ
　
　「プログラマブルチューナ２０２」は、（上記の通り、「ケーブルデコーダユニットの部分として」「構成」されているものであって）「ＴＶ信号をアンテナ２００及びケーブル入力部２０５またはいずれかより受信する。」｛(K18)｝
  「
リスト情報
ケーブルチャンネル割当データ
　「更新が必要な場合、プログラマブルチューナ２０２は、データを伝送する局またはケーブルチャンネルへ自動的に同調する。」｛(K19)｝
　
　「ＶＢＩの
リスト情報
ケーブルチャンネル割当データ
　「ＣＰＵ２２８によって処理され」た後、「
リストデータ
ケーブルチャンネル割当データ
　この「
リストデータ
リスト情報
　
　ウ-２　ＴＶ視聴、グリッドガイド２４の表示
　前掲(K19)(K20)(K14)，図７，図８によれば、ＴＶ視聴中（図８）、リモートコントローラーの「ＴＶ内容確認キー１４２」により発せられる「ＴＶ内容確認コマンド」｛(K14)｝により「ＴＶ内容確認要求」がなされると、「
スケジュールメモリ２３２に記憶されているリスト
　上記「
スケジュールメモリ２３２に記憶されているリスト
リスト情報
　また、図２２Ａのブロック図を踏まえれば、ＴＶ視聴は、ビデオスイッチャー２２６が
プログラマブルチューナ
　
　したがって、
　
プログラマブルチューナ
　ＴＶ視聴は、ＴＶ／モニター２１０でその外部入力が選択されているときに、ビデオスイッチャー２２６が
プログラマブルチューナ
　ＴＶ視聴中、リモートコントローラーの「ＴＶ内容確認キー１４２」により発せられる「ＴＶ内容確認コマンド」｛(K14)｝により「ＴＶ内容確認要求」がなされると、「スケジュールメモリ２３２に記憶されている」
リスト情報
　
　ウ-３　グリッドガイド２４が表示されている状態でのコマンド受付と動作
　(i)「ＴＶ内容確認コマンド」
　前掲(K14)，図７，図８によれば、
グリッドガイド２４が表示されている状態で、カーソルを特定の「番組リスト」に位置させ、「ＴＶ内容確認コマンド」
が発せられると、グリッドガイド２４の表示から、当該特定の「番組リスト」を含む「単一チャンネル行ガイド５８」への表示に遷移し、さらに、その状態で、「ＴＶ内容確認コマンド」が発せられると、グリッドガイド２４の表示に戻る。
　
　(ii)「選択コマンド」
　前掲(K10)，図６，「カーソル３２は、
選択コマンド
グリッドガイド２４が表示されている状態で、カーソルを特定の「番組リスト」に位置させ、「選択コマンド」
が発せられると、グリッドガイド２４に「番組ノート５２」を重ねるように表示し、再度、「選択コマンド」が発せられると、「番組ノート５２」が消えて元のグリッドガイド２４の表示に戻る
　
 　(iii) 「記録コマンド」
　前掲(K22)によれば、「
番組を時間シフトして記録
　「
オンスクリーンスケジュールからタイトルを選択
プログラム
前者
リモートコントローラー２１２でプログラムする
後者
　
前者
　「
番組を時間シフトして記録する要求がなされた場合、番組のタイトル及びその記録パラメータ（チャンネル、開始時間及び長さ）は、スケジュールメモリ２３２から記録メモＲＡＭメモリ２３６へコピーされる。システムクロック２３０が、スケジュール時間と一致すると、ＣＰＵ２２８は、チャンネルコマンドをケーブルデコーダ２０２のプログラマブルチューナへ、パワーオン及び記録コマンドをＶＣＲ２０６へ、これら両装置の赤外線入力ポートに向けられている赤外線リモートドライバ２１４によって、転送する」
(K21)
　「ＶＣＲまたは他の記録装置が、将来の日付と時間の記録についても、番組のタイトルの簡単な選択および
記録コマンド
記録コマンド
　グリッドガイド２４が表示されている状態で、カーソルを特定の「番組リスト」に位置させ、「記録コマンド」（リモートコントローラーの「記録キー１４８」に対応すると考え得る。）が発せられると、その
番組
の
タイトル
及び
チャンネル
、
開始時間及び長さ
記録メモＲＡＭメモリ２３６へコピーされ
システムクロック２３０が、
開始時間
と一致すると、
ＣＰＵ２２８は、
チャンネル」に同調させるためのコマンドをケーブルデコーダのプログラマブルチューナへ転送
パワーオ
　ここで、その「番組リスト」が放送される「
チャンネル」に同調させるためのコマンド
プログラマブルチューナ
プログラマブルチューナがどの局に同調すべきか
プログラマブルチューナ
同調チャンネル識別子を含んでいる
　また、「図２・図３は、記録状態の表示である」｛(K9)｝から、このとき表示されているグリッドガイド２４は、図１のものである。
　
　
後者
リモートコントローラー２１２でプログラムする
  「
このモードでは、プログラム情報は、リモートコントローラー２１２に入力され、必要なときに、リモートコントローラー２１２は、適当なＴＶ装置へプログラム情報を伝送する
　
リモートコントローラー２１２
ＶＣＲ
ケーブルデコーダ
プログラマブルチューナ
に同調させるため
　また、前記(K22)「プログラム機能を有す多くのユニバーサルリモートコントローラーがあるが、その一方で、ユーザーが局名及びケーブルチャンネル名といった総称を入力できるものは存在せず、
ＶＣＲまたはケーブルデコーダに同調させるためにＣＰＵに名前を特定のチャンネルに変換させている。これは、ＣＰＵ２２８及びリモートコントローラー２１２中のケーブル指定ＲＡＭ２３８を備えることによって実現している
ＣＰＵ２２８及び
リモートコントローラー２１２
スケジュール／テープコントローラー２２０
　局名及びケーブルチャンネル名を入力した場合には、ＣＰＵ２２８及び
ケーブル指定ＲＡＭ２３８
ケーブルチャンネル割当データ
変換されたケーブルシステムのチャンネル割当
同調させるため
ケーブルデコーダ
プログラマブルチューナ
　
　そして、このことを踏まえて、「オンスクリーンスケジュール」、すなわちグリッドガイドを用いた予約録画である前者の場合において、カーソルを、グリッドガイド２４のケーブルサービス名（ケーブルチャンネル名）の行の「番組リスト」に位置させた状態で「記録コマンド」が発せられた場合の「
番組のタイトル及びその記録パラメータ
スケジュールメモリ２３２から記録メモＲＡＭメモリ２３６へ
　
記録メモＲＡＭメモリ２３６
ケーブル指定ＲＡＭ２３８
ケーブルシステムのチャンネル割当
　
システムクロック２３０が、
開始時間
と一致
ＣＰＵ２２８は、
ケーブルシステムのチャンネル割当」に同調させるためのコマンドをケーブルデコーダのプログラマブルチューナへ転送し
パワーオ
　ここでも、その「番組リスト」が放送される「
ケーブルシステムのチャンネル割り当て」に同調させるためのコマンド
プログラマブルチューナ
ケーブルデコーダユニットの部分として構成されているプログラマブルチューナがどの局に同調すべきかをプログラマブルチューナが理解し得るように示す同調チャンネル識別子（ケーブルシステムのチャンネル割り当て
記録メモＲＡＭメモリ２３６
ケーブルデコーダユニットの部分として構成されているプログラマブルチューナがどの局に同調すべきかをプログラマブルチューナが理解し得るように示す同調チャンネル識別子（ケーブルシステムのチャンネル割り当て
を含んで
プログラマブルチューナ
　
　したがって、グリッドガイド２４を用いた予約録画（
前者
　グリッドガイド２４が表示されている状態で、カーソルを、特定の「番組リスト」に位置させて「記録コマンド」（リモートコントローラーの「記録キー１４８」に対応すると考え得る。）を発せられると、
　当該「番組リスト」が
オーバジエア放送の局
番組
　・その「
タイトル
　・その「番組リスト」が放送される「
チャンネル
　・その「番組リスト」の放送「
開始時間及び長さ
　が
記録メモＲＡＭメモリ２３６へコピーされ
　
システムクロック２３０が、
開始時間
と一致すると、
記録メモＲＡＭメモリ２３６
　が読み出され、
　「ケーブルサービス名」のままで記憶されていた場合は、「ケーブルシステムのチャンネル割当」に変換し、
　
ＣＰＵ２２８は、
ケーブルデコーダユニットの部分として構成されているプログラマブルチューナがどの局に同調すべきかをプログラマブルチューナが理解し得るように示す同調チャンネル識別子を含むコマンド
　
　(iv)「
チャンネルアップ
チャンネルダウンコマンド
　前掲(K2)(K7)(K12)によれば、
グリッドガイド２４が表示されている状態で、
チャンネルアップ
チャンネルダウンコマンド
グリッドガイド２４
オーバジエア放送の局とケーブルサービスの局
ケーブルデコーダのプログラマブルチューナ
　このとき、
チャンネルアップ
チャンネルダウンコマンド
オーバジエア放送の局
プログラマブルチューナ
　
プログラマブルチューナ
プログラマブルチューナ
同調チャンネル識別子
ケーブルデコーダユニットの部分として構成されているプログラマブルチューナプログラマブルチューナへ
　もっとも、
チャンネルアップ
チャンネルダウンコマンド
　
（２）甲２発明
　
　本件発明１２は「システム」の発明、本件発明１は「システムを使用する方法」の発明であるところ、
　上記「
テレビジョンスケジュールシステムおよび方法
　
　上記（１）での検討結果によれば、甲２発明（甲２号証に記載された発明）として、下記の「システム」の発明と「システムを使用する方法」の発明を認定することができる。
　
　甲２発明として認定するこれらの発明は、異なる部分のみを［Ｘ｜Ｙ］の表記を用いて一の記載で表現することとした。
　「［Ｘ｜Ｙ］」は、択一的に、「Ｘ」か若しくは「Ｙ」を意味するものとする。
　
　　　　　　　　　記（甲２発明）
Ｎ：番組のタイトルの簡単な選択および記録コマンドによって制御される、直感的なユーザーインタフェースを備えたテレビジョンスケジュールシステムとしての、
テレビジョンスケジュールシステム
１８０
　該システム１８０は、
Ｐ：
ケーブルデコーダユニットの部分として構成されているプログラマブルチューナ２０２
Ｑ：スケジュール／テープコントローラー２２０（図２２Ａ）と、
Ｒ：『チャンネルアップ／ダウンキー１３６』、
　『ＴＶ内容確認キー１４２』、
　『記録メモキー１４６』、
　『記録キー１４８』、
　『選択／ゴーツウキー１５４』、
　『左、右、アップ、ダウンおよびカーソルキー１５６』
　を備えるリモートコントローラー２１２と、
Ｓ：ＶＣＲ２０６、ＴＶ／モニター２１０、
赤外線リモートドライバ２１４
　以下のように、動作する、［システム｜方法］。
　
Ｔ：
リスト情報
ケーブルチャンネル割当データ
　
プログラマブルチューナ
  
リスト情報
ケーブルチャンネル割当データ
　更新が必要な場合、プログラマブルチューナ２０２は、データを伝送する局またはケーブルチャンネルへ自動的に同調し、
　ＶＢＩの
リスト情報
ケーブルチャンネル割当データ
　ＣＰＵ２２８によって処理された後、
リスト情報は、スケジュールメモリ２３２へ記憶され
ケーブルチャンネル割当データ
ケーブルシステムのチャンネル割当
　
Ｕ：ＴＶ視聴、グリッドガイド２４（図１）の表示
　
Ｕ１：
プログラマブルチューナ
　ＴＶ視聴は、ＴＶ／モニター２１０でその外部入力が選択されているときに、ビデオスイッチャー２２６が
プログラマブルチューナ
　ＴＶ視聴中、リモートコントローラーの『ＴＶ内容確認キー１４２』により発せられる『ＴＶ内容確認コマンド』により『ＴＶ内容確認要求』がなされると、
スケジュールメモリ２３２に記憶されているリスト情報
ＴＶ／モニタ−２１０のＴＶスクリーン上にグリッドガイド２４（テレビジョンスケジュールグリッドガイド）を表示する。
Ｕ２：ＴＶグリッドガイドは、その一部が、ＴＶスクリーン上に表示されている（図１に示されるグリッドガイド２４）ものであり、
　各チャンネルに対応する各行
　　（最上行は各時間帯を案内する行であって、各列に表示されるセルの
　　　
時間帯
　各時間帯に対応する各列
　　（最左列は各チャンネルを案内する列であって、各行に表示されるセル
　　　の
チャンネル
　で区画された各セルが、各『番組リスト（番組項目）』に対応するように各『番組リスト（番組項目）』のスケジュールを示す、
　
チャンネルと時間のグリッドガイド
　各『番組リスト（番組項目）』は、該当セルにその
タイトル
チャンネル
時間帯
　各時間帯を案内する最上行に続いて、ユーザの好きなチャンネルの行だけが、
オーバジエア放送の局
ケーブルサービス名
　
Ｖ：グリッドガイド２４が表示されている状態でのコマンド受付と動作
　
Ｖ１：『ＴＶ内容確認コマンド』（リモートコントローラーの『ＴＶ内確認キー１４２』によるものと理解される。）
　グリッドガイド２４が表示されている状態で、
カーソルを特定の『番組リスト』に位置させ、『ＴＶ内容確認コマンド』が発せられると、グリッドガイド２４の表示から、当該特定の『番組リスト』を含む『単一チャンネル行ガイド５８』への表示に遷移し、さらに、その状態で、『ＴＶ内容確認コマンド』が発せられると、グリッドガイド２４の表示に戻る
　
Ｖ２：『選択コマンド』（リモートコントローラーの『選択／ゴーツウキー１５４』によるものと理解される。）
　グリッドガイド２４が表示されている状態で、
カーソルを特定の『番組リスト』に位置させ、『選択コマンド』が発せられると、グリッドガイド２４に『番組ノート５２』を重ねるように表示し、再度、『選択コマンド』が発せられると、『番組ノート５２』が消えて元のグリッドガイド２４の表示に戻る
　
Ｖ３：『記録コマンド』（リモートコントローラーの『記録キー１４８』に対応すると考え得る。）
　
オンスクリーンスケジュールからタイトルを選択
プログラム
　グリッドガイド２４が表示されている状態で、カーソルを、特定の『番組リスト』に位置させて『記録コマンド』（リモートコントローラーの『記録キー１４８』に対応すると考え得る。）を発せられると、
　当該『番組リスト』が
オーバジエア放送の局
番組
　・その『
タイトル
　・その『番組リスト』が放送される『
チャンネル
　・その『番組リスト』の放送『
開始時間及び長さ
　が
記録メモＲＡＭメモリ２３６へコピーされ
　
システムクロック２３０が、
開始時間
と一致すると、
記録メモＲＡＭメモリ２３６
　が読み出され、
　『ケーブルサービス名』のままで記憶されていた場合は、『ケーブルシステムのチャンネル割当』に変換し、
　
ＣＰＵ２２８は、
ケーブルデコーダユニットの部分として構成されているプログラマブルチューナがどの局に同調すべきかをプログラマブルチューナが理解し得るように示す同調チャンネル識別子を含むコマンドを
ケーブルデコーダのプログラマブルチューナへ
パワーオ
　
Ｖ４：『チャンネルアップ／チャンネルダウンコマンド』
　
グリッドガイド２４が表示されている状態で、
チャンネルアップ
チャンネルダウンコマンド
グリッドガイド２４
オーバジエア放送の局とケーブルサービスの局
ケーブルデコーダユニットの部分として構成されているプログラマブルチューナ
　このとき、
チャンネルアップ
チャンネルダウンコマンド
オーバジエア放送の局
ケーブルデコーダユニットの部分として構成されているプログラマブルチューナ
プログラマブルチューナ
ケーブルデコーダのプログラマブルチューナへ
　
［３］本件発明１２について（新規性欠如についての判断）
　
　本件発明１２は「ユーザ機器装置において用いられるシステム」の発明、本件発明１は「ユーザ機器装置において用いられる方法」の発明であって、前者の構成要素が「する手段」で記載され、後者の構成要素が「すること」で記載されているものの、それらの相違を除き両者間に実質的な相違はない。
　「システム」の発明である本件発明１２から検討することとする。
　
　本件発明１２は、前記【第２】のとおり要件１２Ａ〜１２Ｆに分説されるところ、本項［３］においては、要件１２Ａ、要件１２Ｂ、・・・要件１２Ｆを、簡単のため、“１２”を略して単に、要件Ａ、要件Ｂ、・・・要件Ｆとも言うこととする。すなわち単に、「要件Ａ」は、本項［３］においては「要件１２Ａ」のことをいうものとする。
　
　本件発明１２
　
Ａ　ユーザ機器装置において用いられるシステムであって、該ユーザ機器装
　　置は、第１の伝送方式を用いて、第１の伝送源としての第１のソース装
　　置から伝送される複数の第１のテレビジョン番組を受信する第１のチュ
　　ーナと、該第１の伝送方式とは異なる第２の伝送方式を用いて、第２の
　　伝送源としての第２のソース装置から伝送される複数の第２のテレビジ
　　ョン番組を受信する第２のチューナとを有し、
　　該システムは、
Ｂ　該第１のソース装置から該第１の伝送方式を用いて伝送される第１の番
　　組スケジュール情報と、該第２のソース装置から該第２の伝送方式を用
　　いて伝送される第２の番組スケジュール情報とを受信する手段であっ
　　て、該第１の番組スケジュール情報は、該複数の第１のテレビジョン番
　　組のうちの１つに対応し、該第２の番組スケジュール情報は、該複数の
　　第２のテレビジョン番組のうちの１つに対応する、手段と、
Ｃ　該第１の番組スケジュール情報と該第２の番組スケジュール情報とを有
　　するチャンネルガイドを提供する手段と、
Ｄ　該チャンネルガイドに含まれる複数の番組スケジュール情報のうちの少
　　なくともいくつかを表示する手段と、
Ｅ　該チャンネルガイドに含まれる該複数の番組スケジュール情報のうちユ
　　ーザによって選択された１つの番組スケジュール情報を指定するユーザ
　　選択を示す信号を受信したことに応答して、該ユーザ機器装置上に表示
　　を出力するために、該第１のチューナおよび該第２のチューナのうちの
　　１つを選択する手段であって、該ユーザ選択によって指定された番組ス
　　ケジュール情報が該第１の番組スケジュール情報である場合には、該第
　　１のチューナが選択され、該ユーザ選択によって指定された番組スケジ
　　ュール情報が該第２の番組スケジュール情報である場合には、該第２の
　　チューナが選択される、手段と、
Ｆ　該選択されたチューナによって受信され、該ユーザ選択によって指定さ
　　れた番組スケジュール情報に対応するテレビジョン番組を提供する手段
　　と
  　を含む、システム。
　
［３-１］本件発明１２と甲２発明（システムの発明）の対比
　　
（１）要件Ａについての対比
Ａ　ユーザ機器装置において用いられるシステムであって、該ユーザ機器装
　　置は、第１の伝送方式を用いて、第１の伝送源としての第１のソース装
　　置から伝送される複数の第１のテレビジョン番組を受信する第１のチュ
　　ーナと、該第１の伝送方式とは異なる第２の伝送方式を用いて、第２の
　　伝送源としての第２のソース装置から伝送される複数の第２のテレビジ
　　ョン番組を受信する第２のチューナとを有し、
　　該システムは、
　
（１-１）「ユーザ機器装置において用いられるシステムであって、該ユーザ機器装置は、」
　
　甲２発明の「Ｎ：番組のタイトルの簡単な選択および記録コマンドによって制御される、直感的なユーザーインタフェースを備えたテレビジョンスケジュールシステムとしての、
テレビジョンスケジュールシステム
１８０
　「ユーザ機器装置」と言え、また、「ユーザ機器装置において用いられるシステムであって、該ユーザ機器装置は、」ということもできる。
　
（１-２）「ソース装置」、
　「第１の伝送方式を用いて、第１の伝送源としての第１のソース装置から伝送される複数の第１のテレビジョン番組を受信する」、
　「該第１の伝送方式とは異なる第２の伝送方式を用いて、第２の伝送源としての第２のソース装置から伝送される複数の第２のテレビジョン番組を受信する」
　
　ア　本件発明１２でいう「ソース装置」が、
　『複数のテレビジョン番組を伝送するものであって、テレビジョン番組を受信するチューナの入力へ至る、
これより上流側の信号伝送経路
信号源を含む
  と解されることは、前記のとおりである。
　
　イ　甲２発明（システムの発明）は、
　「Ｎ：番組のタイトルの簡単な選択および記録コマンドによって制御される、直感的なユーザーインタフェースを備えたテレビジョンスケジュールシステムとしての、
テレビジョンスケジュールシステム
１８０
　該システム１８０は、
Ｐ：ケーブルデコーダユニットの部分として構成されている
プログラマブルチューナ
Ｑ：スケジュール／テープコントローラー２２０（図２２Ａ）と、
Ｓ：ＶＣＲ２０６、ＴＶ／モニター２１０、
赤外線リモートドライバ２１４
　「
プログラマブルチューナ
　
　「Ｕ１：
プログラマブルチューナ
　ＴＶ視聴は、ＴＶ／モニター２１０でその外部入力が選択されているときに、ビデオスイッチャー２２６が
プログラマブルチューナ
　ＴＶ視聴中、リモートコントローラーの『ＴＶ内容確認キー１４２』により発せられる『ＴＶ内容確認コマンド』により『ＴＶ内容確認要求』がなされると、スケジュールメモリ２３２に記憶されている
リスト情報
　
　「Ｕ２：ＴＶグリッドガイドは、その一部が、ＴＶスクリーン上に表示されている（図１に示されるグリッドガイド２４）ものであり、
　各チャンネルに対応する各行
　　（最上行は各時間帯を案内する行であって、各列に表示されるセルの
　　　時間帯が、その列位置で示されることを案内する行）と、
　各時間帯に対応する各列
　　（最左列は各チャンネルを案内する列であって、各行に表示されるセル
　　　のチャンネルが、その行位置で示されることを案内する列）
　で区画された各セルが、各『番組リスト（番組項目）』に対応するように各『番組リスト（番組項目）』のスケジュールを示す、
　チャンネルと時間のグリッドガイドであって、
　各『番組リスト（番組項目）』は、該当セルにそのタイトルが表示され、そのチャンネルが該当セルの行位置で、その時間帯が該当セルの列位置で示されるように構成され、
　
各時間帯を案内する最上行に続いて、ユーザの好きなチャンネルの行だけが、オーバジエア放送の局番号『２』，『４』・・・『４４』の行、ケーブルサービス名（アルファベット順）『Ａ＆Ｅ』『ＣＮＮ』・・・『ＴＮＴ』の行の順にリストアップされるガイドである
　
　そのような（
グリッドガイド２４が表示されている状態で
　「Ｖ４：
グリッドガイド２４が表示されている状態で、
チャンネルアップ
チャンネルダウンコマンド
グリッドガイド２４
オーバジエア放送の局とケーブルサービスの局
ケーブルデコーダユニットの部分として構成されているプログラマブルチューナ
　このとき、
チャンネルアップ
チャンネルダウンコマンド
オーバジエア放送の局
ケーブルデコーダユニットの部分として構成されているプログラマブルチューナ
プログラマブルチューナ
ケーブルデコーダのプログラマブルチューナへ
　ものである。
　
　つまり、甲２発明の、
ケーブルデコーダユニットの部分として構成されているプログラマブルチューナ
オーバジエア放送の
と
ケーブルサービス
　
前者の放送信号
オーバジエア
複数の第１のテレビジョン番組
オーバジエアの放送信号送出側装置
　また、
後者の放送信号
複数の第２のテレビジョン番組
ケーブルの放送信号送出側装置
　このことから、そのような『
オーバジエアの放送信号送出側装置
ケーブルの放送信号送出側装置
　
　そして、上記『
オーバジエアの放送信号送出側装置
　(i)『複数の
オーバジエア
オーバジエア
ケーブルデコーダユニットの部分として構成されているプログラマブルチューナ
これより上流側の信号伝送経路
信号源を含む
　また、「第１のソース装置から伝送される複数の第１のテレビジョン番組を受信する」ということができる。
　同様に、『
ケーブルの放送信号送出側装置
　(ii)『複数のケーブルのテレビジョン番組を伝送するものであって、ケーブルのテレビジョン番組を受信する「
ケーブルデコーダユニットの部分として構成されているプログラマブルチューナ
これより上流側の信号伝送経路
信号源を含む
　また、「該第１の伝送方式とは異なる第２の伝送方式を用いて、第２の伝送源としての第２のソース装置から伝送される複数の第２のテレビジョン番組を受信する」とうことができる。
　
　したがって、甲２発明のシステムも、
　要件Ａでいう
　「第１の伝送方式を用いて、第１の伝送源としての第１のソース装置から伝送される複数の第１のテレビジョン番組を受信する」、
　「該第１の伝送方式とは異なる第２の伝送方式を用いて、第２の伝送源としての第２のソース装置から伝送される複数の第２のテレビジョン番組を受信する」ということができるものである。
　
（１-３）「第１の伝送方式を用いて、第１の伝送源としての第１のソース装置から伝送される複数の第１のテレビジョン番組を受信する
第１のチューナと
　該第１の伝送方式とは異なる第２の伝送方式を用いて、第２の伝送源としての第２のソース装置から伝送される複数の第２のテレビジョン番組を受信する
第２のチューナとを有し
　
　ア　しかしながら、
　・甲２の「
プログラマブルチューナ
プログラマブルチューナ
プログラマブルチューナ
　甲２のどこにも、
プログラマブルチューナ
　・本件出願の優先日（平成７年４月１７日）の相当前から、地上波ＴＶ放送と共にケーブルテレビ放送にも同調でき、それら両方を受信する（１つの）チューナは周知かつ一般的であったと認められること(下記ウ）、
　・さらに、甲２の前掲(K24)，図２２Ｂには、
ケーブルデコーダ
プログラマブル
チューナ
プログラマブル
チューナ
　からすれば、
　甲２発明の「
ケーブルデコーダユニットの部分として構成されているプログラマブルチューナ
　
オーバジエア放送の
ケーブルサービス
　それら前者にのみ同調するチューナと、これとは異なる後者（ケーブル）にのみ同調するチューナの２つのチューナとはいえず、
　また、図２２Ａでボックスで示される「
プログラマブルチューナ
　
　《理由》
　
　イ　甲２の記載事項
　　甲２の前掲(K18)「
システム１８０では、ケーブルデコーダユニットの部分を構成するプログラマブルチューナは、ＴＶ信号をアンテナ２００及びケーブル入力部２０５またはいずれかより受信する。
　(K19)「更新が必要な場合、
プログラマブルチューナ２０２は、データを伝送する局またはケーブルチャンネルへ自動的に同調する。
　(K2)「
チャンネルアップあるいはチャンネルダウンコマンドに応答して前記表示部へ前記テレビジョンスケジュールが表示されるとき、前記希望チャンネルの第一の数を追尾するように前記プログラマブルチューナは構成され、かつチャンネルアップあるいはチャンネルダウンコマンドに応答して前記表示部に前記テレビジョンスケジュールが存在しない場合は、前記利用可能なチャンネルの第二の数を追尾するように前記プログラマブルチューナは構成されている
　(K7)「
プログラマブルチューナが、スケジュールを表示するための手段へ接続されている。プログラマブルチューナは、チャンネルアップコマンドまたはチャンネルダウンコマンドに応答して表示部にテレビジョンスケジュールが示されるとき、第一の希望チャンネル数に従うように構成される。プログラマブルチューナは、チャンネルアップコマンドまたはチャンネルダウンコマンドに応答して表示部にテレビジョンスケジュールがない場合、第二の利用可能なチャンネル数に従うように構成される
　(K12)「「
グリッド２４ガイドを見る場合は、チューナアップ／ダウンチャンネルコマンドは、スクリーン上のチャンネル及びリストアップされた順で位置付けられる
ガイドを見ない場合は、チューナ手順は、通常の番号順に返る。ページの最後のチャンネルに行き着くと、次のチューナコマンドがチャンネルを次のページの最初にリストアップされているチャンネルとする。
チューナが同調するチャンネルがグリッド２４に表示されると、５６で示されるように、そのチャンネルはハイライトされる。
　をはじめ、
プログラマブルチューナ
　「
プログラマブルチューナ
プログラマブルチューナ
　甲２のどこにも、
プログラマブルチューナ
　
　ウ　周知事項・技術常識
　本件出願の優先日（平成７年４月１７日）の相当前から、地上波ＴＶ放送と共にケーブルテレビ放送をも受信するチューナは周知かつ一般的であったと認められる（下記周知例参照）。
　
　　　　　　　　記（周知例１〜４）
　
　(1)周知例１：特開昭６０−２４７３６号公報（第１図）
　〈記載事項の摘示〉
　「
ケーブル・テレビジヨンの普及の増大に伴つて、製造業者は、放送チヤンネルと共にケーブル・チヤンネルに同調させ得るいわゆるケーブル兼用（ケーブル・レデイ）テレビジヨン同調器を提供し始めた。ケーブル・チヤンネルは、低ＶＨＦ帯（チヤンネル２〜６）と高ＶＨＦ帯（チヤンネル７〜13）の間および高ＶＨＦ帯とＵＨＦ範囲の間にあるＶＨＦチヤンネルである
　「〔実施例〕
第１図に示されたテレビジヨン受像機の２重変換同調装置は、受像機の外にあるＵＨＦアンテナ３へ使用者が接続するようになつているＵＨＦ入力１と、
ＶＨＦアンテナ７またはケーブル分配回路網９へ使用者が接続するようになされたＶＨＦ入力５とを持つている
使用者がＶＨＦ放送チヤンネルまたはケーブル・チヤンネルを選択するときは
ＶＨＦ放送チヤンネルに対応する特定ＶＨＦＲＦ信号か、ケーブル分配回路９から受入れた複数のＶＨＦＲＦ信号から選ばれたケーブル・チヤンネルに相当する特定ＶＨＦＲＦ信号か、を選択する
　
　(2)周知例２：特開平２−２０１１４号公報
　〈記載事項の摘示〉
　「（発明の背景）
多くのテレビジョン受像機用同調装置は、放送受信アンテナによって供給される標準周波数のＲＦテレビジョン信号及びケーブル分配ネットワークによって供給されるような非標準周波数のＲＦテレビジョン信号にも自動的に同調できる
　「（実施例の説明）
第１図に示されているテレビジョン受像機は、ＲＦ入力１を有し、とのＲＦ入力１は、それぞれの放送チャンネル、即ち、「エア」チャンネルに対応する「オフシェア」、即ち、放送ＲＦ倍信号受信するための放送受信アンテナ、または、それぞれの「ケーブル」チャンネルに対応するＲＦ倍信号受信するためのケーブル分配ネットワーク、あるいは、ビデオカセットレコーダ、ビデオディスクプレーヤ、家庭用ビデオカメラ、家庭用コンピュータあるいはビデオゲームのようなテレビジョンアクセサリに接続される。ＲＦ入力１はチューナ３に接続されている。
　
チューナ３はエアチャンネルまたはケーブルチャンネルのいずれかに同調できる。このようなチューナはこの技術分野では周知であり、時には、「ケーフルレディ」または「ケーブルコンパチブル」であると呼ばれる
　
　(3)周知例３：特開昭６１−２１２１１０号公報
　〈記載事項の摘示〉
　「〔発明の背景〕
　有線回路網の利用の増大と共にテレビジョン同調器が放送チャンネルだけでなく有線チャンネルも同調し得ることが望ましくなった。この様な有線共用の（すなわち有線用変換器なしで有線チャンネルも同調し得るようになっている）同調器は通常各周波数範囲に対応する部分に分割されている。例えば、有線共用同調器はＵＨＦ放送チャンネル用のＶＨＦ部と、
ＶＨＦ放送チャンネルと有線チャンネル用のＶＨＦ部を備え得るが、信頼度と経済性のためこの同調器内の部分の数はできるだけ少いことが望ましい。このため同調器の各部分に用いる局部発振器を１つだけにすることが望ましい
　
開示の装置は一般に例えば米国内で１０１〜５０９ＭＨｚの比較的広い周波数範囲に亘るＶＨＦ放送チャンネルと有線チャンネルのすべてに用いられる局部発振器に関する
　「〔推奨実施例の詳細な説明〕
図はＶＨＦ放送チャンネルと有線チャンネル同調用のテレビジョン同調器を示す。この同調器は例えば米国内用として次表のＲＦ画像搬送波周波数および局部発振周波数を指定されたチャンネルを同調するものである。
　
　帯域　　　　ＲＦ域（ＭＨｚ）　　　　　ＬＯ域（MHz）　
　Ｂ１　　５５．２５　〜８３．２５　　　　１０１〜１２９
　Ｂ２　　９１．２５〜１５１．２５　　　　１３７〜１９７
　Ｂ３　１５７．２５〜２６５．２５　　　　２０３〜３１１
　Ｂ４　２７１．２５〜４６３．２５　　　　３１７〜５０９
　
　帯域Ｂ１は低ＶＨＦ放送帯の各チャンネル（即ちチャンネル２〜６）、
帯域Ｂ２はミツド有線帯域の低周波数部分の各チャンネル、帯域Ｂ３はミツド有線帯域の残部
　
　(4)周知例４：特開昭６３−１９４４０７号公報
　「【発明の詳細な説明】
〈産業上の利用分野〉
この発明は放送チャンネルあるいはケーブル・チャンネルのいずれかを同調することのできるテレビジョン受像機に関するものである。
〈発明の背景〉
　
最近の大抵のテレビジョン受像機は放送チャンネルすなわち「オフ・ジ・エアー」チャンネルとケーブル・チャンネルの何れにも同調することができる
従って、エアー・チャンネルおよびケーブル・チャンネルの何れにも同調することのできる受像機は、所謂エアー／ケーブル切替えスイッチを有し、チューナをエアー・チャンネル、ケーブル・チャンネルの何れにも同調し得るようにセットすることができる
　「〈図示の実施例の詳細な説明〉
　第１図に示すテレビジョン受像機はＡ、Ｂの２個の入力を持っている。
各入力は、各放送すなわちエアー・チャンネルに関連するオフ・ジ・エアーＲＦ信号を受信するための放送受信アンテナあるいは各ケーブル・チャンネルに関連するＲＦ信号を受信するためのケーブル分配ネットワークのいずれかに接続されている。Ａ／Ｂ制御信号に応答して、ＲＦ入力Ａで得られるＲＦ信号あるいはＲＦ人力Ｂで得られるＲＦ信号のいずれかをチューナ３に選択的に供給するためのいわゆるＡ／Ｂスイッチ１が設けられている。チューナ３はエアー・チャンネルあるいはケーブル・チャンネルのいずれかを同調することができる。このようなチューナは当技術分野では周知で、ケーブル受信可能（ケーブル・レディ）あるいはケーブル・コンパチブルと称されることがある
　
　エ　請求人の主張について
　請求人の主張は、
　『技術常識からみて、
甲２の「プログラマブルチューナ／ケーブルデコーダ２０２」には、オーバジエア放送のチャンネルにも同調するチューナと、これとは異なるケーブルチャンネルに同調するチューナの２つのチューナが内蔵されている
　との主張である。
　そして、その根拠として、甲９〜甲１４号証を提出して下記ａ〜ｄの点｛前記「【３-１】［３-４］セ参照｝を挙げているが、
　以下にみるように、その何れも、上記判断を覆し、甲２の図２２Ａでボックスで示される「
プログラマブル
チューナ
　
　ａ．チューナ／ケーブルデコーダの意義；
　(i)「チューナ」とは，必ずしも独立した製品でなくとも，部品や基板，回路等を指して「ＴＶチューナ」と呼ばれる。
　(ii)ケーブルテレビ放送を視聴する場合には，一般に「ホームターミナル」と呼ばれる装置によって，放送信号を一般のテレビで視聴可能な信号へと変換することが行われている。
　(iii)「ホームターミナル」は，独立した製品であることが多いが，「ケーブル用チューナ」「ケーブルモデム」「ケーブルデコーダ」「セットトップボックス」などの種々の名称で呼ばれ，名称は異なっていても，ケーブルテレビ放送の信号を同調・受信する機能，すなわちチューナ機能を備えている点で共通する。
　
　《上記ａ．について》
　仮に、上記(i)〜(iii)のとおりであるとしても、上記(i)か〜(iii)が、甲２の「プログラマブルチューナ／ケーブルデコーダ２０２」が２つのチューナを有しているいい得る根拠にはならない。
　
　ｂ．ＴＶチューナ／ケーブルデコーダの機能は異なる。
　(i)地上波アナログＴＶ信号（オーバジエア局にかかるもの）と，ケーブルテレビ信号とでは、伝送情報の形式が異なることから，これを同調・受信するチューナも機能の異なる別個のものが要求されるというべきである。
　(ii)ケーブルデコーダは，スクランブルを解除する機能が備わっているが、通常の地上波アナログ放送を受信するＴＶチューナは，スクランブル解除機能は有しない。
　(iii)地上波アナログ放送における送信の標準方式は、振幅変調（残留側波帯振幅変調 ）が行われている。したがって，ＴＶチューナには，振幅変調された信号の復調回路が必須となる。
　これに対し，ケーブルテレビ放送では，これに対応する特段の変調方式は採用されていないため，対応する復調回路も不要である。
　
　《上記ｂ．について》
　仮に、上記(i)のとおり、チューナの機能として異なるものが要求されるとしても、そのことが、甲２の
「プログラマブルチューナ／ケーブルデコーダ２０２」
　事実、地上波アナログＴＶ信号（オーバジエア局にかかるもの）と，ケーブルテレビ信号にも同調でき、それら両方を受信する（１つの）チューナは、上記のとおり、周知かつ一般的であったと認められるのである。
　上記(ii)(iii)も同様であって、仮に、上記(ii)(iii)のとおりであるとしても、そのことが、甲２の
「プログラマブルチューナ／ケーブルデコーダ２０２」
　
　ｃ．ケーブルテレビ放送を受信するには通常のＴＶチューナの他にチューナを必要とすることは，本件出願当時，当業者にとって技術常識となっていた。（甲１２）
　ｄ．ＴＶチューナと，ケーブルデコーダに相当する機能の異なる２つのチューナが内蔵されていなければ，地上波ＴＶ放送と，ケーブルテレビ放送の双方を受信，視聴することはできないはずである。
　
　《上記ｃ、ｄについて》
　上記ｃ、ｄがともに妥当でないことは、上述した甲２の前掲(K24)図２２Ｂの実施例、周知技術から明らかである。
　また、そもそも、甲１２は、
オーバジエア放送
ケーブル
　
　（１-４）まとめ（要件Ａについての対比）
　以上によれば、
　本件発明１２と甲２発明は、
Ａ’
ユーザ機器装置
　　置は、第１の伝送方式を用いて、第１の伝送源としての第１のソース装
　　置から伝送される複数の第１のテレビジョン番組を受信する、
　　とともに、
　　該第１の伝送方式とは異なる第２の伝送方式を用いて、第２の伝送源と
　　しての第２のソース装置から伝送される複数の第２のテレビジョン番組
　　を受信する、システムであり、
　　該システムは
　とする点では一致するものの、
　
　
本件発明１２
　　該
ユーザ機器装置
　　第１のソース装置から伝送される複数の第１のテレビジョン番組を受信
　　する第１のチューナと、該第１の伝送方式とは異なる第２の伝送方式を
　　用いて、第２の伝送源としての第２のソース装置から伝送される複数の
　　第２のテレビジョン番組を受信する第２のチューナとを有し、
　とするのに対して、
　
甲２発明
　　該
ユーザ機器装置
　　第１のソース装置から伝送される複数の第１のテレビジョン番組を受信
　　する、とともに、
    該第１の伝送方式とは異なる第２の伝送方式を用いて、第２の伝送源と
　　しての第２のソース装置から伝送される複数の第２のテレビジョン番組
　　を受信するチューナとを有し、
　とする点
　で相違する。
　
　なお、「第１の伝送方式を用いて、第１の伝送源としての第１のソース装置から伝送される複数の第１のテレビジョン番組を受信する」受信を、『
第１の受信
　「第２の伝送方式を用いて、第２の伝送源としての第２のソース装置から伝送される複数の第２のテレビジョン番組を受信する」受信を、『
第２の受信
　
　本件発明１２と甲２発明は、
Ａ’ユーザ機器装置において用いられるシステムであって、該ユーザ機器装
　　置は、『
第１の受信
第２の受信
　　のの、
　
　『
第１の受信
第２の受信
　（「第１の伝送方式を用いて、第１の伝送源としての第１のソース装置
　　から伝送される複数の第１のテレビジョン番組を受信する」受信と
　「第２の伝送方式を用いて、第２の伝送源としての第２のソース装置
　　から伝送される複数の第２のテレビジョン番組を受信する」受信が）
　本件発明１２では、
　　異なる２つのチューナで受信する（『
第１の受信
第２の受信
　甲２発明では、
　　１つのチューナ（
ケーブルデコーダユニットの部分として構成されているプログラマブルチューナ
　で相違する、
　ともいうことができる。
　
（２）要件Ｂについての対比
Ｂ　該第１のソース装置から該第１の伝送方式を用いて伝送される第１の番
　　組スケジュール情報と、該第２のソース装置から該第２の伝送方式を用
　　いて伝送される第２の番組スケジュール情報とを受信する手段であっ
　　て、該第１の番組スケジュール情報は、該複数の第１のテレビジョン番
　　組のうちの１つに対応し、該第２の番組スケジュール情報は、該複数の
　　第２のテレビジョン番組のうちの１つに対応する、手段と、
　
（２-１）要件Ｂのうち、
　「第１の番組スケジュール情報」が「該第１のソース装置から該第１の伝送方式を用いて伝送され」、「第２の番組スケジュール情報」が「該第２のソース装置から該第２の伝送方式を用いて伝送される」とする点を除く部分、
　すなわち、
 「第１の番組スケジュール情報と、第２の番組スケジュール情報とを受信する手段であって、該第１の番組スケジュール情報は、該複数の第１のテレビジョン番組のうちの１つに対応し、該第２の番組スケジュール情報は、該複数の第２のテレビジョン番組のうちの１つに対応する、手段と」について
　
　　甲２発明は、
　「Ｔ：
リスト情報
ケーブルチャンネル割当データ
　
プログラマブルチューナ
  
リスト情報
ケーブルチャンネル割当データ
　更新が必要な場合、
プログラマブルチューナ２０２は、データを伝送する局またはケーブルチャンネルへ自動的に同調し
　ＶＢＩの
リスト情報
ケーブルチャンネル割当データ
　ＣＰＵ２２８によって処理された後、
リスト
ケーブルチャンネル割当データ
ケーブルシステムのチャンネル割当
　ものであり、
　
　Ｕ１によれば、「
スケジュールメモリ２３２に記憶されているリスト情報が呼び出され
　
　「Ｕ２：ＴＶグリッドガイドは、その一部が、ＴＶスクリーン上に表示されている（図１に示されるグリッドガイド２４）ものであり、
　各チャンネルに対応する各行
　　（最上行は各時間帯を案内する行であって、各列に表示されるセルの
　　　
時間帯
　各時間帯に対応する各列
　　（最左列は各チャンネルを案内する列であって、各行に表示されるセル
　　　の
チャンネル
　で区画された各セルが、各『番組リスト（番組項目）』に対応するように各『番組リスト（番組項目）』のスケジュールを示す、
　
チャンネルと時間のグリッドガイド
　各『番組リスト（番組項目）』は、該当セルにその
タイトル
チャンネル
時間帯
　各時間帯を案内する最上行に続いて、ユーザの好きなチャンネルの行だけが、
オーバジエア放送の局
　
　「
プログラマブルチューナ２０２
データを伝送する局またはケーブルチャンネルへ自動的に同調し
リスト情報
　
オーバジエア放送で放送される複数の番組
ケーブルサービスで放送される複数の番組
　これら「タイトル」「チャンネル（「ＨＢＯ」等も含む）」「時間」は、「
番組スケジュール情報
　
　そして、「
オーバジエア放送で放送される複数の番組
ケーブルサービスで放送される複数の番組
複数の第１のテレビジョン番組
複数の第２のテレビジョン番組
　「
オーバジエア放送で放送される複数の番組
　「
ケーブルサービスで放送される複数の番組
　　
  以上によれば、
　甲２発明も、
　「
第１の番組スケジュール情報
第２の番組スケジュール情報
　
（２-２）要件Ｂのうち、
　「
第１の番組スケジュール情報
　「
第２の番組スケジュール情報
　
　甲２発明のＴの「
リスト情報
ローカル局またはケーブルチャンネル
局またはケーブルチャンネル
　「リスト情報」は、
　「第１のソース装置」と言い得る『オーバジエアの放送信号送出側装置』と「第２のソース装置」といい得る『ケーブルの放送信号送出側装置』の一方から伝送されたものとは言い得るものの、
　プログラマブルチューナ２０２は、
　「リスト情報」のうちの、
　「
オーバジエア放送で放送される複数の番組
　「
ケーブルサービスで放送される複数の番組
　
　すなわち、甲２発明は、
　「
第１の番組スケジュール情報
第２の番組スケジュール情報
　
　〈請求人の主張について〉
　請求人は、「ローカル局」がケーブルチャンネルのリスト情報を送信することはなく，逆に「ケーブルチャンネル」がローカル局のリスト情報を送信することもないから，ローカル局はローカル局のリスト情報を，ケーブルチャンネルはケーブルチャンネルのリスト情報をＶＢＩデコーダ２２２に送信しているということになる。
　したがって，ローカル局またはケーブルチャンネルのそれぞれからリスト情報を受信すると解釈するのが相当であり，「いずれか一方である」と解釈することはできない、
　と主張する。
　
　請求人は、『「ローカル局」がケーブルチャンネルのリスト情報を送信することはなく，逆に「ケーブルチャンネル」がローカル局のリスト情報を送信することもない』と断定し、これを前提に上記の主張をしているが、その前提が必ず成立つとは言うことはできず、したがって、これを前提とする上記請求人の主張は採用できない。
　
（２-３）まとめ（要件Ｂについての対比）
　以上によれば、
　本件発明１２と甲２発明は、
Ｂ’
第１の番組スケジュール情報
第２の番組スケジュール情報
　　する手段であって、該第１の番組スケジュール情報は、該複数の第１の
　　テレビジョン番組のうちの１つに対応し、該第２の番組スケジュール情
　　報は、該複数の第２のテレビジョン番組のうちの１つに対応する、手段
　　を備える点では一致するものの、
　
Ｂ’の「
第１の番組スケジュール情報
第２の番組スケジュール情報
　
本件発明１２
　「
第１の番組スケジュール情報
　　送方式を用いて伝送される」、
　「
第２の番組スケジュール情報
　　送方式を用いて伝送される」
　とするのに対して、
　
甲２発明
　「
第１の番組スケジュール情報
　　送方式を用いて伝送される」、
　「
第２の番組スケジュール情報
　　送方式を用いて伝送される」
　とはしていない点
　で相違が認められる。
　
（３）要件Ｃ・Ｄについての対比
Ｃ　該第１の番組スケジュール情報と該第２の番組スケジュール情報とを有
　　するチャンネルガイドを提供する手段と、
Ｄ　該チャンネルガイドに含まれる複数の番組スケジュール情報のうちの少
　　なくともいくつかを表示する手段と、
　
（３-１）本件発明１２の「チャンネルガイド」、要件Ｃ・Ｄの解釈
　
　本件発明１２の「チャンネルガイド」が、
　『（
画面表示後のチャンネルガイドではなく
　
画面表示前のチャンネルガイドであって
　
チャンネルガイド表示
利用者に、特定のチャンネルについて、そこで放送される複数の番組スケジュール情報（番組の放送予定情報−その特定のチャンネルで、いかなる特定の番組が、いかなる特定の時間に放送されるかの予定情報）を案内するガイド表示
に対応するガイドデータ
　（『前記複数の番組スケジュール情報を所望の順序で混合し、ソートし、該複数の番組スケジュール情報を所望の順序で提供するものを含む』）
　と解されることは、前記「【第４-２】無効理由２　ウ」のとおりであり、
　
　また、そのように解される「チャンネルガイド」について要件Ｃ，Ｄとするものは、図２，段落【0028】に記載された実施例のものを含んでいることも、「【第４-３】無効理由３（１）」で前記したとおりである。
　
（３-２）甲２発明との対比（要件Ｃ・Ｄ）
　
　上記解釈を踏まえ、甲２発明をみるに、
　甲２発明でも、
「Ｕ２：ＴＶグリッドガイドは、その一部が、ＴＶスクリーン上に表示されている（図１に示されるグリッドガイド２４）ものであり、
　各チャンネルに対応する各行
　　（最上行は各時間帯を案内する行であって、各列に表示されるセルの
　　　
時間帯
　各時間帯に対応する各列
　　（最左列は各チャンネルを案内する列であって、各行に表示されるセル
　　　の
チャンネル
　で区画された各セルが、各『番組リスト（番組項目）』に対応するように各『番組リスト（番組項目）』のスケジュールを示す、
　
チャンネルと時間のグリッドガイド
　各『番組リスト（番組項目）』は、該当セルにその
タイトル
チャンネル
時間帯
　各時間帯を案内する最上行に続いて、ユーザの好きなチャンネルの行だけが、
オーバジエア放送の局
ケーブルサービス名
　としていて、
　
　上記ＴＶスクリーン上に表示されるグリッドガイド２４は、本件の図２の実施例のもので示される「画面表示された格子状ガイド（５０）」と基本的に異ならないガイドといえるものである。
　
　以下、詳しくみてみる。
　甲２発明のＴＶスクリーン上に表示されるグリッドガイド２４の
　・
オーバジエア放送の局
　『利用者に、特定のチャンネルについて、そこで放送される複数の番組スケジュール情報（番組の放送予定情報−その特定のチャンネルで、いかなる特定の番組が、いかなる特定の時間に放送されるかの予定情報）を案内するガイド表示』、すなわち「チャンネルガイド表示」といえ、
　その各セルに示される各『番組リスト（番組項目）』が、
　本件発明１２の「第１のソース装置」といい得る『
オーバジエアの放送信号送出側装置
　・
ケーブルサービス名
　『利用者に、特定のチャンネルについて、そこで放送される複数の番組スケジュール情報（番組の放送予定情報−その特定のチャンネルで、いかなる特定の番組が、いかなる特定の時間に放送されるかの予定情報）を案内するガイド表示』、すなわち「チャンネルガイド表示」といえ、
　そのの各セルに示される各『番組リスト（番組項目）』が、
　本件発明１２の「第２のソース装置」といい得る『
ケーブルの放送信号送出側装置
　は、（１）要件Ａについての対比（２）要件Ｂについての対比で既に検討したことから明らかである。
　もっとも、甲２発明では、「第１の番組スケジュール情報」が「該第１のソース装置から該第１の伝送方式を用いて伝送され」、「第２の番組スケジュール情報」が「該第２のソース装置から該第２の伝送方式を用いて伝送される」とはしておらず、この点、本件発明１２と相違していることも、前記のとおりである。
　
　そして、ＴＶスクリーン上に表示されるグリッドガイド２４は、（ガイドには、画面に表示されたガイド２４に続く次ぺージも存在していて）ＴＶグリッドガイドは、その一部が、ＴＶスクリーン上に表示されている（図１に示されるグリッドガイド２４）ものであり、
　本件の図２「画面表示された格子状ガイド（５０）」を画面表示する、図２の実施例のものが、そうであったように、すなわち、
　
　・『図２の「画面表示された格子状ガイド（５０）」に対応するガイドデータであって、「画面表示された格子状ガイド（５０）」に表示されていない時間やチャンネル分も含む
格子状ガイドデータ
　・その「提供」（供給）された上記『
格子状ガイドデータ
　当該『
格子状ガイドデータ
少なくともいくつかを表示
　
　甲２発明も、『「画面に表示されたグリッドガイド２４」に対応するガイドデータであって、「画面に表示されたグリッドガイド２４」に表示されていない部分も含む
グリッドガイドデータ
　・その「提供」（供給）された上記『
グリッドガイドデータ
　当該『
グリッドガイドデータ
少なくともいくつかを表示
　当該『
グリッドガイドデータ
　『（
画面表示後のチャンネルガイドではなく
　
画面表示前のチャンネルガイドであって
　
チャンネルガイド表示
利用者に、特定のチャンネルについて、そこで放送される複数の番組スケジュール情報（番組の放送予定情報−その特定のチャンネルで、いかなる特定の番組が、いかなる特定の時間に放送されるかの予定情報）を案内するガイド表示
に対応するガイドデータ
　といい得るものである。
　
（３-３）まとめ（要件Ｃ・Ｄについての対比）
　以上によれば、
　本件発明１２と甲２発明は、
Ｃ’第１の番組スケジュール情報と第２の番組スケジュール情報とを有
　　するチャンネルガイドを提供する手段と、
Ｄ　該チャンネルガイドに含まれる複数の番組スケジュール情報のうちの少
　　なくともいくつかを表示する手段と、
　を備える点では一致するものの、
　
Ｃ’「
第１の番組スケジュール情報
第２の番組スケジュール情報
　
本件発明１２
　「
第１の番組スケジュール情報
該
　「
第２の番組スケジュール情報
該
　甲２発明では、
　そのようにするとはしていない点
　で相違が認められる。
　
（４）要件Ｅ・Ｆについての対比
Ｅ　該チャンネルガイドに含まれる該複数の番組スケジュール情報のうちユ
　　ーザによって選択された１つの番組スケジュール情報を指定するユーザ
　　選択を示す信号を受信したことに応答して、該ユーザ機器装置上に表示
　　を出力するために、該第１のチューナおよび該第２のチューナのうちの
　　１つを選択する手段であって、該ユーザ選択によって指定された番組ス
　　ケジュール情報が該第１の番組スケジュール情報である場合には、該第
　　１のチューナが選択され、該ユーザ選択によって指定された番組スケジ
　　ュール情報が該第２の番組スケジュール情報である場合には、該第２の
　　チューナが選択される、手段と、
Ｆ　該選択されたチューナによって受信され、該ユーザ選択によって指定さ
　　れた番組スケジュール情報に対応するテレビジョン番組を提供する手段
　　と
  　を含む、システム。
　
（４-１）要件Ｅ・Ｆの解釈
　
　ア　要件Ｅの手段は、以下のように更に分説できる。
　Ｅ１：
ユーザ選択
チューナ選択
　Ｅ２：
ユーザ選択
番組スケジュール情報を指定するユーザ選
　Ｅ３：
チューナ選択
　Ｅ３ａ：該ユーザ機器装置上に表示を出力するために、
　Ｅ３ｂ：該第１のチューナおよび該第２のチューナのうちの１つを選択する手段であって、該ユーザ選択によって指定された番組スケジュール情報が該第１の番組スケジュール情報である場合には、該第１のチューナが選択され、該ユーザ選択によって指定された番組スケジュール情報が該第２の番組スケジュール情報である場合には、該第２のチューナが選択されること
　
　〈請求項の記載〉
　
　イ　「該ユーザ機器装置上に表示を出力するために」
　Ｅ３の「
チューナ選択
該ユーザ機器装置上に表示を出力するために
　・チューナ選択により特定のチャンネルに同調してそこで放送されている番組映像信号を取得することになること、
　・要件Ｆで「該ユーザ選択によって指定された番組スケジュール情報に対応するテレビジョン番組を提供する」としていて、「提供」する以上、少なくとも「テレビジョン番組」を供給し出力するものであるといえるところ「
表示を出力
　からすれば、当然に、
テレビジョン番組の映像表示を出力するために
テレビジョン番組の映像表示をするために
　すなわち、
　「該ユーザ機器装置上に表示を出力するために」（チューナが選択される）とは、
　『
テレビジョン番組の映像表示をするために
　
　ウ　
ユーザ選択
　上記のとおり、Ｅ３の「
チューナ選択
テレビジョン番組の映像表示をするために
　その応答としてのＥ３「チューナ選択」をさせる「番組スケジュール情報を指定するユーザ選択
ユーザ選択
　「
テレビジョン番組の映像表示をするために
テレビジョン番組を視聴するための
　
　エ　「応答」
　Ｅ１「
ユーザ選択
ユーザ選択を示す信号
　
　オ　要件Ｆの「提供」
　上記イ、ウ、及び、要件Ｅの結果として要件Ｆ「該選択されたチューナによって受信され、該ユーザ選択によって指定された番組スケジュール情報に対応するテレビジョン番組を提供する」こととなることからすれば、
　要件Ｆの「テレビジョン番組の提供」とは、テレビジョン番組の「表示による提供」つまり、テレビジョン番組映像を「表示出力する」ことをいうものと解される。
　
　〈明細書の記載（実施例）との対応〉
　
　カ　要件Ｅ・Ｆについて、明細書の記載をみるに、
　上記Ｅ１・Ｅ２の「
ユーザ選択
　段落【0011】の「利用者が表示されたガイド内表示チャンネルの１つに配置されたショーまたはチャンネルを選択する」の「ショー」の「選択」、
　段落【0033】の「遠隔制御器３２を使用して一定のチャンネルまたは番組を選択して、（１）特定の番組に関連した追加の情報を表示し、または（２）特定のチャンネルまたは番組に同調し、または（３）特定の番組を自動的に録画することができる。」の「番組」の「選択」、
　段落【0034】の「図３は自動同調の処理のフローチャートの一例である。自動同調を開始するには、利用者が所定のチャンネルまたは番組をステップ７０で選択する。この選択は、例えば、カーソルを所望の番組までスクロールさせ、「エンター」キーを押すか・・・」の「番組」の「選択」、
　段落【0035】の「利用者が、ステップ７０において、第２チャンネル５８上のバットマン６０を選択する。」の「選択」、
　段落【0039】の「図４に示したように、利用者がステップ９０においてショウ番組を選択した後、コーディネータが該ショウ番組の開始時間・・・」における「ショー番組」の「選択」
　に対応する。
　また、上記Ｅ３の「チューナ選択」は、
　図３の自動同調の実施例、すなわち視聴のための場合（前者）（【0034】〜【0037】）と、図４の自動無人録画の実施例、すなわち予約録画のための場合（後者）（【0038】〜【0040】）のための「チューナ選択」とが記載されているところ、
　上記イ、ウからすれば、
　要件Ｅ・Ｆは、図４の自動無人録画のための「ユーザ選択」「チューナ選択」は除外していることは明らかである。
　つまり、要件Ｅ・Ｆでいう「ユーザ選択」「チューナ選択」は、図３の自動同調すなわち視聴のための場合の「ユーザ選択」「チューナ選択」が該当するものと理解される。
　
（４-２）甲２発明との対比（要件Ｅ・Ｆ）
　
　甲２発明において、要件Ｅ・Ｆに対応する動作・構成は、
　甲２発明の「Ｖ：グリッドガイド２４が表示されている状態でのコマンド受付と動作」における、
　Ｖ１：『ＴＶ内容確認コマンド』、
　Ｖ２：『選択コマンド』、
　Ｖ３：『記録コマンド』、
　Ｖ４：『チャンネルアップ／チャンネルダウンコマンド』、
　が
発せられ
　
　ア　
ユーザ選択
　要件Ｅの「ユーザ選択」は、
　Ｅ２：
ユーザ選択
番組スケジュール情報を指定するユーザ選
　を要求しているところ、
　甲２発明の上記Ｖ１〜Ｖ４のうち、Ｖ１：『ＴＶ内容確認コマンド』、
　Ｖ２：『選択コマンド』、Ｖ３：『記録コマンド』を発することは、上記Ｅ２を満たす
ユーザ選択
　Ｖ４：『チャンネルアップ／チャンネルダウンコマンド』は、チャンネルを選択するコマンドであって、
　上記Ｅ２「チャンネルガイドに含まれる該複数の番組スケジュール情報のうちユーザによって選択された１つの
番組スケジュール情報を指定するユーザ選
　
　イ　
チューナ選択
  要件Ｅは、チューナ選択について、
　Ｅ１：
ユーザ選択
チューナ選択
　Ｅ３：
チューナ選択
　Ｅ３ａ：該ユーザ機器装置上に表示を出力するために、
　Ｅ３ｂ：該第１のチューナおよび該第２のチューナのうちの１つを選択する手段であって、該ユーザ選択によって指定された番組スケジュール情報が該第１の番組スケジュール情報である場合には、該第１のチューナが選択され、該ユーザ選択によって指定された番組スケジュール情報が該第２の番組スケジュール情報である場合には、該第２のチューナが選択されること
　を要求しているところ、
　甲２発明は、そもそも、「（１）要件Ａについての対比」でみたように、２つのチューナ（本件発明１２の「第１のチューナ」と「第２のチューナ」の２つ）を備えていない以上、「該第１のチューナおよび該第２のチューナのうちの１つを
選択する手段
　当然に、上記Ｅ１、Ｅ３、Ｅ３ｂを満たさず、要件Ｅを満たさない。
　要件Ｆは「該選択されたチューナによって受信され」とすることから、要件Ｆも満たさないことは明らかである。
　
　ウ　上記イのとおり、甲２発明は、要件Ｅ，要件Ｆを備えていないことは、明らかであるが、
　要件Ｅの「ユーザ選択」を満たす、上記Ｖ１：『ＴＶ内容確認コマンド』、Ｖ２：『選択コマンド』、Ｖ３：『記録コマンド』が発せられたときの動作について以下にみておく。.
　
　ウ-１　Ｖ１：『ＴＶ内容確認コマンド』
　甲２発明は、上記のとおり「グリッドガイド２４が表示されている状態で、カーソルを特定の『番組リスト』に位置させ、『ＴＶ内容確認コマンド』が発せられると、グリッドガイド２４の表示から、当該特定の『番組リスト』を含む『単一チャンネル行ガイド５８』への表示に遷移し、さらに、その状態で、『ＴＶ内容確認コマンド』が発せられると、グリッドガイド２４の表示に戻る。」ものであるから、
　要件Ｅのうちの、上記Ｅ１、Ｅ３，Ｅ３ａ，Ｅ３ｂを満たさないことは明らかである。
　
　ウ-２　Ｖ２：『選択コマンド』
　甲２発明は、上記のとおり「グリッドガイド２４が表示されている状態で、カーソルを特定の『番組リスト』に位置させ、『選択コマンド』が発せられると、グリッドガイド２４に『番組ノート５２』を重ねるように表示し、再度、『選択コマンド』が発せられると、『番組ノート５２』が消えて元のグリッドガイド２４の表示に戻る。」ものであるから、
　上記Ｖ１と同様、要件Ｅのうちの、上記Ｅ１、Ｅ３，Ｅ３ａ，Ｅ３ｂを満たさないことは明らかである。
　
　ウ-３　Ｖ３：『記録コマンド』
　甲２発明は、上記のとおり「
オンスクリーンスケジュールからタイトルを選択
プログラム
　グリッドガイド２４が表示されている状態で、カーソルを、特定の『番組リスト』に位置させて『記録コマンド』（リモートコントローラーの『記録キー１４８』に対応すると考え得る。）を発せられると、
　当該『番組リスト』が
オーバジエア放送の局
番組
　・その『
タイトル
　・その『番組リスト』が放送される『
チャンネル
　・その『番組リスト』の放送『
開始時間及び長さ
　が
記録メモＲＡＭメモリ２３６へコピーされ
　
システムクロック２３０が、
開始時間
と一致すると、
記録メモＲＡＭメモリ２３６
　が読み出され、
　『ケーブルサービス名』のままで記憶されていた場合は、『ケーブルシステムのチャンネル割当』に変換し、
　
ＣＰＵ２２８は、
ケーブルデコーダユニットの部分として構成されているプログラマブルチューナがどの局に同調すべきかをプログラマブルチューナが理解し得るように示す同調チャンネル識別子を含むコマンドを
ケーブルデコーダのプログラマブルチューナへ
パワーオ
ものである。
　
　この動作は、
　『記録コマンド』を発せられ、その後、何らの操作をしなくても、
システムクロック２３０が
開始時間
と一致すると、
　したがって、
　「チャンネルガイドに含まれる該複数の番組スケジュール情報のうちユ
　ーザによって選択された１つの番組スケジュール情報を指定するユーザ
　選択を示す信号を受信したことに応答して、」
　
プログラマブルチューナ
オーバジエア放送
　
プログラマブルチューナ
　により行われるものということができる。
　
　しかしながら、甲２発明のＶ３：『記録コマンド』が発せられたときの動作は、上記のとおり「該第１のチューナおよび該第２のチューナのうちの１つを
選択する
　要件Ｅのうちの、
　Ｅ１：
ユーザ選択
チューナ選択
　Ｅ３：
チューナ選択
　Ｅ３ａ：該ユーザ機器装置上に表示を出力するために、
　Ｅ３ｂ：該第１のチューナおよび該第２のチューナのうちの１つを選択する手段であって、該ユーザ選択によって指定された番組スケジュール情報が該第１の番組スケジュール情報である場合には、該第１のチューナが選択され、該ユーザ選択によって指定された番組スケジュール情報が該第２の番組スケジュール情報である場合には、該第２のチューナが選択されること
　を満たさないこと、
　要件Ｆ「該選択されたチューナによって受信され、該ユーザ選択によって指定された番組スケジュール情報に対応するテレビジョン番組を提供する」も満たさないこと、
　以上は、明らかである。
　
　また、甲２発明でなされる「ユーザ選択」は、自動録画のための選択であるから、
　「
テレビジョン番組を視聴するための
　
（４-３）まとめ（要件Ｅ・Ｆについての対比）
　以上によれば、
　
本件発明１２と甲２発明
Ｅ’該チャンネルガイドに含まれる該複数の番組スケジュール情報のうちユ
　　ーザによって選択された１つの番組スケジュール情報を指定するユーザ
　　選択を示す信号を受信したことに応答して、
特定の動作をする手段
　
特定の動作をする手段
　
本件発明１２
　　該ユーザ機器装置上に表示
　　を出力するために、該第１のチューナおよび該第２のチューナのうちの
　　１つを選択する手段であって、該ユーザ選択によって指定された番組ス
　　ケジュール情報が該第１の番組スケジュール情報である場合には、該第
　　１のチューナが選択され、該ユーザ選択によって指定された番組スケジ
　　ュール情報が該第２の番組スケジュール情報である場合には、該第２の
　　チューナが選択される、手段とし、
　　そして、
Ｆ　該選択されたチューナによって受信され、該ユーザ選択によって指さ
　　れた番組スケジュール情報に対応するテレビジョン番組を提供する手段　　を含む
　とするのに対して、
　
甲２発明
　　そのような手段ではなく、
　　上記Ｖ１：『ＴＶ内容確認コマンド』又は、Ｖ２：『選択コマンド』又
　　は、Ｖ３：『記録コマンド』が発せられたときの上記動作をする手段
　　とする点で相違する。
　
（　上記『記録コマンド』が発せられたときの上記動作をする手段は、
  　
プログラマブルチューナ
　　ュール情報のチャンネル（
オーバジエア放送
　　のチャンネル）に同調させる手段と、
　　
プログラマブルチューナ
　　れた番組スケジュール情報に対応するテレビジョン番組を（記録信号と
　　して）提供する手段である。）
　　
［３-２］本件発明１２と甲２発明（システムの発明）との一致点、相違点
　
　以上の対比結果によれば、本件発明１２と甲２発明（システムの発明）との一致点、相違点は次のとおりということができる。
　
　［本件発明１２との一致点］
　本件発明１２と甲２発明は、
Ａ’
ユーザ機器装置
　　置は、第１の伝送方式を用いて、第１の伝送源としての第１のソース装
　　置から伝送される複数の第１のテレビジョン番組を受信する、
　　とともに、
　　該第１の伝送方式とは異なる第２の伝送方式を用いて、第２の伝送源と
　　しての第２のソース装置から伝送される複数の第２のテレビジョン番組
　　を受信する、システムであり、
　　該システムは、
Ｂ’
第１の番組スケジュール情報
第２の番組スケジュール情報
　　する手段であって、該第１の番組スケジュール情報は、該複数の第１の
　　テレビジョン番組のうちの１つに対応し、該第２の番組スケジュール情
　　報は、該複数の第２のテレビジョン番組のうちの１つに対応する、手段
　　と
Ｃ’
第１の番組スケジュール情報
第２の番組スケジュール情報
　　するチャンネルガイドを提供する手段と、
Ｄ　該チャンネルガイドに含まれる複数の番組スケジュール情報のうちの少
　　なくともいくつかを表示する手段と、
Ｅ’該チャンネルガイドに含まれる該複数の番組スケジュール情報のうちユ
　　ーザによって選択された１つの番組スケジュール情報を指定するユーザ
　　選択を示す信号を受信したことに応答して、
特定の動作をする手段
　　を含む、システム、
　
　［本件発明１２との相違点］
　
　［相違点１］
　
本件発明１
　　該
ユーザ機器装置
　　第１のソース装置から伝送される複数の第１のテレビジョン番組を受信
　　する第１のチューナと、該第１の伝送方式とは異なる第２の伝送方式を
　　用いて、第２の伝送源としての第２のソース装置から伝送される複数の
　　第２のテレビジョン番組を受信する第２のチューナとを有し、
　とするのに対して、
　
甲２発明
　　該
ユーザ機器装置
　　第１のソース装置から伝送される複数の第１のテレビジョン番組を受信
　　する、とともに、
    該第１の伝送方式とは異なる第２の伝送方式を用いて、第２の伝送源と
　　しての第２のソース装置から伝送される複数の第２のテレビジョン番組
　　を受信するチューナとを有し、
　とする点
　
　［相違点２］
Ｂ’Ｃ’の「
第１の番組スケジュール情報
第２の番組スケジュール情報
　
本件発明１２
　「
第１の番組スケジュール情報
　　送方式を用いて伝送される」、
　「
第２の番組スケジュール情報
　　送方式を用いて伝送される」
　とするのに対して、
　
甲２発明
　「
第１の番組スケジュール情報
　　送方式を用いて伝送される」、
　「
第２の番組スケジュール情報
　　送方式を用いて伝送される」
　とはしていない点
　
　［相違点３］
Ｅ’
特定の動作をする手段
　　
本件発明１２
　　該ユーザ機器装置上に表示
　　を出力するために、該第１のチューナおよび該第２のチューナのうちの
　　１つを選択する手段であって、該ユーザ選択によって指定された番組ス
　　ケジュール情報が該第１の番組スケジュール情報である場合には、該第
　　１のチューナが選択され、該ユーザ選択によって指定された番組スケジ
　　ュール情報が該第２の番組スケジュール情報である場合には、該第２の
　　チューナが選択される、手段とし、
　　そして、
Ｆ　該選択されたチューナによって受信され、該ユーザ選択によって指さ
　　れた番組スケジュール情報に対応するテレビジョン番組を提供する手段　　を含む
　とするのに対して、
　
甲２発明
　　そのような手段ではなく、
　　上記Ｖ１：『ＴＶ内容確認コマンド』又は、Ｖ２：『選択コマンド』又
　　は、Ｖ３：『記録コマンド』が発せられたときの上記動作をする手段
　　とする点で相違する。
　
（　上記『記録コマンド』が発せられたときの上記動作をする手段は、
  　
プログラマブルチューナ
　　ュール情報のチャンネル（
オーバジエア放送
　　のチャンネル）に同調させる手段と、
　　
プログラマブルチューナ
　　れた番組スケジュール情報に対応するテレビジョン番組を（記録信号と
　　して）提供する手段である。）
　
［３-３］本件発明１２の新規性判断
　上記［３-１］［３-２］のとおり、本件発明１２と甲２発明は、上記［相違点１］，［相違点２］及び［相違点３］で相違する（本件発明１２は、甲２発明が備えない［相違点１］，［相違点２］及び［相違点３］に係る構成を備える）から、本件発明１２が甲２号証に記載された発明であるとはいえない。
　したがって、本件発明１２は、甲２号証に記載された発明であるから特許法第２９条第１項第３号に該当し特許を受けることができない、とすることはできない。
　
［４］本件発明１３，１６，１９，２１の新規性判断
　本件発明１３，１６，１９，２１は、いずれも、請求項１２を引用する発明であって、本件発明１２にさらに限定事項を付加する発明であるところ、
　上記［３］で検討したとおり、
　本件発明１２と甲２発明は、上記［本件発明１２との相違点］、すなわち、上記［相違点１］，［相違点２］及び［相違点３］で相違する（本件発明１２は、甲２発明が備えない［相違点１］，［相違点２］及び［相違点３］に係る構成を備える）のであるから、
　本件発明１３，１６，１９，２１は、いずれも、甲２発明とは少なくとも上記［本件発明１２との相違点］（上記［相違点１］，［相違点２］及び［相違点３］）で相違するということができる。
　すなわち、本件発明１２が甲２号証に記載された発明であるとはいえないのであるから、本件発明１３，１６，１９，２１はいずれも甲２号証に記載された発明であるとはいえない。
　
　したがって、本件発明１３，１６，１９，２１は、いずれも特許法第２９条第１項第３号に該当し特許を受けることができない、とすることはできない。
　
　以上のとおりであるが、特に本件発明１６（請求項１６で特定する事項：要件１６Ａ）についてみておく。
　
【請求項１６】
１６Ａ：前記複数の番組スケジュール情報のそれぞれに対する信号ソース識別子を提供する手段をさらに含み、各信号ソース識別子は、前記第１の伝送方式および前記第２の伝送方式のうちの１つを識別する、請求項１２に記載のシステム。
　
　請求人は、本件発明１６で特定する要件１６Ａについて、
　甲２(ケ)のとおり，「ケーブルチャンネル割当データ」がチャンネル変換を可能にするものであるから，『番組スケジュール情報のそれぞれに対する信号ソース識別』を行うものである。そして，識別のためには何らかの識別子が用いられることは，当然のことだといえ、
　したがって，甲２には、『信号ソース識別子を提供することを・・包含』することが開示されており，甲２発明は、該『信号ソース識別』により，『第１の伝送方式および前記第２の伝送方式のうちの１つを識別する』ことが可能になるものであって、
　甲２には、要件１６Ａがすべて開示されているのであり，甲２発明は本件発明１６と一致する、と主張している。（【第３-１】［３-４］無効理由４カ）　
　しかしながら、甲２発明は、以下にみるように、上記要件１６Ａを備えているとはいえず、
　本件発明１６と甲２発明は、
　本件発明１と甲２発明の相違点である上記［相違点１］，［相違点２］，［相違点３］に加えて、
　［本件発明１６との相違点４］
　　本件発明１６が上記要件１６Ａを備えるのに対して、
　　甲２発明は要件１６Ａを備えていない点
　でも相違する。
　
　〈甲２発明が要件１６Ａを備えていないといえる理由〉
　
　ア　請求項１６でいう「信号ソース識別子」
　要件１６Ａでは、「信号ソース識別子」は、
　複数の番組スケジュール情報のそれぞれに対応して存在するもので、
　前記第１の伝送方式および前記第２の伝送方式のうちの１つを識別する信号ソース識別子である、とされているから、
　「番組スケジュール情報」とは別のものであることは明らかであるところ、
　本件発明でいう「チャンネルガイド」
　｛−『（画面表示後のチャンネルガイドではなく）
　画面表示前のチャンネルガイドであって、
　チャンネルガイド表示−利用者に、特定のチャンネルについて、そこで放送される複数の番組スケジュール情報（番組の放送予定情報−その特定のチャンネルで、いかなる特定の番組が、いかなる特定の時間に放送されるかの予定情報）を案内するガイド表示−に対応するガイドデータ』−
　と解される「チャンネルガイド」｝
　が、（「チャンネルガイド」と称することからも）当然に含んでいるということができる「チャンネル情報（ケーブルチャンネル割当データ含む）」とも別のものである（「チャンネル情報」は、「番組スケジュール情報」に含まれるものである）ことは、実施例（段落【0028】「画面表示された図２の格子状ガイド（５０）の実施例）や明細書の全趣旨からみても明らかである。
　
　そうすると、甲２発明がそのような「信号ソース識別子」を備えていないことは明らかであるから、甲２発明は、要件１６Ａで規定される「信号ソース識別子を提供する手段」を備えているとは言えず、
　本件発明１６と甲２発明は、前記の［相違点４］でも相違する。
　
　イ　請求人の主張について
　上記のとおり、甲２発明の「ケーブルチャンネル割当データ」は、本件発明１６の、「チャンネルガイド」に含まれる「チャンネル情報」、「番組スケジュール情報」に含まれる「チャンネル情報」に相当するものであって、要件１６Ａで「番組スケジュール情報のそれぞれに対する」とする「信号ソース識別子」とは異なるものである。
　甲２発明の「ケーブルチャンネル割当データ」が、伝送方式を識別する機能を奏するものであるとしても、
　甲２発明が、「ケーブルチャンネル割当データ」とは別に、「番組スケジュール情報のそれぞれに対する」「第１の伝送方式および前記第２の伝送方式のうちの１つを識別する」「信号ソース識別子」を備えないことは明らかであり、
　したがって、そのような「信号ソース識別子を提供する手段」も備えないことは明らかである。
　したがって、上記請求人の主張は採用できない。
　
　〈「信号ソース識別子」の技術的意義〉
　そして、本件発明１６の「信号ソース識別子」は、以下にみるように、甲４発明の『チャンネル』又は『ケーブルシステムのチャンネル割当』には奏し得ない技術的意義を奏するものである。
　
　甲２発明の『チャンネル』又は『ケーブルシステムのチャンネル割当』（これらに対応する、放送する局を特定する情報であって、
プログラマブルチューナ
プログラマブルチューナ
同調チャンネル識別子
プログラマブルチューナ
　
プログラマブルチューナ
同調チャンネル識別子を含むコマンド
  
　本件発明の詳細な説明の下記「記Ｄ」の段落【0001】〜【0007】，【0042】の記載（特に下線部）によれば、
　本件発明１６は、
　そのようなテレビジョンの装置、すなわち、
プログラマブルチューナ
同調チャンネル識別子を含むコマンド
　−そのようなテレビジョンの装置とは、
ＤＢＳ衛星入力とローカル入力とを自動的に切換え可能に構成されているＤＢＳ受信機で
　を、認識した上で、
　
　そのようなテレビジョンの装置では対処し得ない場合、すなわち、
　・ＤＢＳサービスの他、利用者がケーブルと共にローカル・アンテナ・ソースの双方からテレビチャンネルを受信している場合や、
　・２つのソースを２つの入力ポートへ結合した、手動で入力切替するテレビジョンの場合（段落【0004】）、
　にも容易に適用できるようにし、より万能な自動切換とすることを課題とし、
　そのような課題を解決するために、「番組スケジュール情報」（「チャンネル情報」）とは別に「番組スケジュール情報のそれぞれに対する信号ソース識別子」を導入し、
　更に、最終の利用者または消費者が手動操作をしなければならない部分が存在するとしても、最小の操作に止められるようにする課題を解決するために、テレビジョン・システムのチャンネル・ガイド情報を組合せた（マージした）ガイドの生成とソースの自動切換えのためにソース識別子を利用する構成（１２Ｂ、１２Ｃ、１６Ａ）を採るものといえ、
　「信号ソース識別子」について要件１６Ａで規定する、
　「前記複数の番組スケジュール情報のそれぞれに対する」「前記第１の伝送方式および前記第２の伝送方式のうちの１つを識別する」「信号ソース識別子を提供する手段をさらに含み、」
　との規定は、上記の課題を解決するという、甲２発明の『チャンネル』又は『ケーブルシステムのチャンネル割当』には奏しえない技術的意義を奏するものである。
　
　本件発明１６が、「信号ソース識別子」を、チャンネル情報を含む「番組スケジュール情報」とは別のものとして規定する技術的意義は存在するのであり、かかる技術的意義を無視して、甲２発明の『チャンネル』又は『ケーブルシステムのチャンネル割当』が本件発明１６の「信号ソース識別子」に該当するとはいえないことは、以上の点から見ても明らかである、
　
　したがって、かかる「信号ソース識別子」の技術的意義からみても、上記請求人の主張は採用できない。
　
　　　　記Ｄ（本件発明１６，課題・「ソース識別子」の意義関連）
「【０００１】
　（発明の背景）
　
従来の技術として、テレビジョン・スケジュール・ガイドに関する情報を提供する装置が幾つかある。これらの情報は、利用可能なチャンネル及び該チャンネルそれぞれのテレビ番組を、スクリーン上に格子（グリッド）状に表示するために使用される
「【０００２】
　数多くの異なる伝送方式が、テレビジョン・スケジュール・ガイドに必要とされる情報の提供に、利用可能である。例えば、
直接放送衛星システム（ＤＢＳ）
「【０００３】
　利用者がＤＢＳに加入している場合には、画面表示（オンスクリーン・ディスプレイ）生成装置を有する別体の統合型受信デコーダ（ＩＲＤ）ボックスが通常提供される。通常、ＩＲＤボックスには、最低でも受信機及びチューナが含まれている。ＤＢＳ加入者は、ＤＢＳサービスの提供者が提供／管理する番組ガイドに加えて、潜在的には何百と言ったテレビ・チャンネルへのアクセスが可能となる。不都合なことには、
通常ＤＢＳシステムはローカル・ネットワーク即ち地方の独立系チャンネルを受信しない。これらの受信できないローカル・チャンネルを受信するために、幾つかのＤＢＳ受信機では、ＤＢＳ衛星入力とローカル入力とを自動的に切換え可能に構成されている。この自動切換えは、ＩＲＤボックスをテレビジョン（該テレビジョンに接続されてＶＣＲ）と、ローカル線（ローカル・ケーブルまたはローカル・アンテナ）との間に配置することにより、可能にされている。ローカル・チャンネルが利用者により選択されると、ＩＲＤボックスが自動的にＤＢＳサービスの受信をやめて、ローカル入力へのバイパスとなる。利用者は、手動または遠隔制御によりローカル・チャンネルを選択することができる
「【０００４】
　
これに対して、利用者がケーブル及びローカル・アンテナ・ソースの双方からテレビチャンネルを受信している場合、話は異なってくる。利用者のテレビジョンが多数テレビジョン入力ポートを備えている場合は、２つのソースを容易に２つの入力ポートへ結合することが可能である
「【０００５】
　利用者のテレビジョンが多数の入力を備えていなかった場合には、多数のソース及びテレビジョン入力に取付られた手動スイッチ・ボックスを利用することができる。この解決策では、利用者は、あるソースから別の所望のソースへの切換えを手動で行わなければならない。例えば、利用者がローカル・ニュースを見たいと思った時には、スイッチをケーブルにセットして、
利用者がケーブルからローカル・アンテナへ手動で切換えを行わなければならない。遠隔制御と自動化が当たり前となった社会においては、この解決策は多くの消費者に受け入れられないものである。更に、チャンネル間の手動切換えは、チャンネル・ソース数が増えるにつれて、より複雑になる
「【０００６】
　
ＩＲＤボックス、多数のテレビジョン入力ポート、手動切換え装置等では、前記の問題点に対する自動的切換えを可能にする解決策を提供することは不可能であり、斯かる問題点は場合によっては部分的にしか解決されず、より万能な技術が必要とされている
「【課題を解決するための手段】　
【０００７】
　本発明の好適な実施例では、本発明は、入力信号及び番組情報の調整（コーディネート）に関しており、より詳細には
（１）多数のソースから受信するテレビジョン・スケジュールガイド情報の調整
２）所望の信号ソースへの自動切換え
３）所望のテレビ番組への同調に関する
「【００４２】　
　
コーディネータ２０を使用することにより、利用者は、テレビ番組ソースを手動で選択することも、手動で所望のチャンネルまたは番組への同調を行うことも不要になる。更に、システム１０が可能とする自動受信、格子状ガイドの生成、切換え及び同調により、最終の利用者または消費者が手動操作をしなければならない部分が存在するとしても、最小の操作に止められている。
　
［５］本件発明１について（新規性欠如についての判断）
　
　本件発明１は、前記【第２】のとおり要件１Ａ〜１Ｆに分説されるところ、本項［５］においては、要件１Ａ、要件１Ｂ、・・・要件１Ｆを、簡単のため、“１”を略して単に、要件Ａ、要件Ｂ、・・・要件Ｆとも言うこととする。すなわち単に、「要件Ａ」とは、本項［５］においては「要件１Ａ」のことをいうものとする。
　
　本件発明１
　
Ａ　ユーザ機器装置において用いられる
方法
　　第１の伝送方式を用いて、第１の伝送源としての第１のソース装置から
　　伝送される複数の第１のテレビジョン番組を受信する第１のチューナ
　　と、該第１の伝送方式とは異なる第２の伝送方式を用いて、第２の伝送
　　源としての第２のソース装置から伝送される複数の第２のテレビジョン
　　番組を受信する第２のチューナとを有し、
　　該
方法
Ｂ　該第１のソース装置から該第１の伝送方式を用いて伝送される第１の番
　　組スケジュール情報と、該第２のソース装置から該第２の伝送方式を用
　　いて伝送される第２の番組スケジュール情報とを受信する
こと
　　て、該第１の番組スケジュール情報は、該複数の第１のテレビジョン番
　　組のうちの１つに対応し、該第２の番組スケジュール情報は、該複数の
　　第２のテレビジョン番組のうちの１つに対応する、
こと
Ｃ　該第１の番組スケジュール情報と該第２の番組スケジュール情報とを有
　　するチャンネルガイドを提供する
こと
Ｄ　該チャンネルガイドに含まれる複数の番組スケジュール情報のうちの少
　　なくともいくつかを表示する
こと
Ｅ　該チャンネルガイドに含まれる該複数の番組スケジュール情報のうちユ
　　ーザによって選択された１つの番組スケジュール情報を指定するユーザ
　　選択を示す信号を受信したことに応答して、該ユーザ機器装置上に表示
　　を出力するために、該第１のチューナおよび該第２のチューナのうちの
　　１つを選択する
こと
　　ケジュール情報が該第１の番組スケジュール情報である場合には、該第
　　１のチューナが選択され、該ユーザ選択によって指定された番組スケジ
　　ュール情報が該第２の番組スケジュール情報である場合には、該第２の
　　チューナが選択される、
こと
Ｆ　該選択されたチューナによって受信され、該ユーザ選択によって指定さ
　　れた番組スケジュール情報に対応するテレビジョン番組を提供する
こと
　  を
包含
方法
　
［５-１］本件発明１と甲２発明（方法の発明）の対比、一致点、相違点
　
　〈対比〉
　前記のとおり、本件発明１２は「ユーザ機器装置において用いられるシステム」の発明、本件発明１は「ユーザ機器装置において用いられる方法」の発明であって、前者の構成要素が「する手段」で記載され、後者の構成要素が「すること」で記載されているものの、それらの相違を除き両者間に実質的な相違はなく、
　本件発明１と甲２発明（方法の発明）の対比については、前記「［３-１］本件発明１２と甲２発明（システムの発明）の対比」を援用する。
  　
　〈一致点、相違点〉
　本件発明１と甲２発明（方法の発明）との一致点、相違点は次のとおりということができる。
　
　［本件発明１との一致点］
　本件発明１と甲２発明は、
Ａ’
ユーザ機器装置
ユーザ機器装
置
　　置から伝送される複数の第１のテレビジョン番組を受信する、
　　とともに、
　　該第１の伝送方式とは異なる第２の伝送方式を用いて、第２の伝送源と
　　しての第２のソース装置から伝送される複数の第２のテレビジョン番組
　　を受信する、
方法
　　該
方法
Ｂ’
第１の番組スケジュール情報
第２の番組スケジュール情報
　　する
こと
　　テレビジョン番組のうちの１つに対応し、該第２の番組スケジュール情
　　報は、該複数の第２のテレビジョン番組のうちの１つに対応する、
こと
Ｃ’
第１の番組スケジュール情報
第２の番組スケジュール情報
　　するチャンネルガイドを提供する
こと
Ｄ　該チャンネルガイドに含まれる複数の番組スケジュール情報のうちの少
　　なくともいくつかを表示する
こと
Ｅ’該チャンネルガイドに含まれる該複数の番組スケジュール情報のうちユ
　　ーザによって選択された１つの番組スケジュール情報を指定するユーザ
　　選択を示す信号を受信したことに応答して、
特定の動作をすること
方法
　
　［本件発明１との相違点］
　
　［相違点１’］
　
本件発明１
　　該
ユーザ機器装置
　　第１のソース装置から伝送される複数の第１のテレビジョン番組を受信
　　する第１のチューナと、該第１の伝送方式とは異なる第２の伝送方式を
　　用いて、第２の伝送源としての第２のソース装置から伝送される複数の
　　第２のテレビジョン番組を受信する第２のチューナとを有し、
　とするのに対して、
　
甲２発明
　　該
ユーザ機器装置
　　第１のソース装置から伝送される複数の第１のテレビジョン番組を受信
　　する、とともに、
    該第１の伝送方式とは異なる第２の伝送方式を用いて、第２の伝送源と
　　しての第２のソース装置から伝送される複数の第２のテレビジョン番組
　　を受信するチューナとを有し、
　とする点
　
　［相違点２’］
Ｂ’Ｃ’の「
第１の番組スケジュール情報
第２の番組スケジュール情報
　
本件発明１
　「
第１の番組スケジュール情報
　　送方式を用いて伝送される」、
　「
第２の番組スケジュール情報
　　送方式を用いて伝送される」
　とするのに対して、
　
甲２発明
　「
第１の番組スケジュール情報
　　送方式を用いて伝送される」、
　「
第２の番組スケジュール情報
　　送方式を用いて伝送される」
　とはしていない点
　
　［相違点３’］
Ｅ’
特定の動作をすること
　　
本件発明１
　　該ユーザ機器装置上に表示
　　を出力するために、該第１のチューナおよび該第２のチューナのうちの
　　１つを選択する
こと
　　ケジュール情報が該第１の番組スケジュール情報である場合には、該第
　　１のチューナが選択され、該ユーザ選択によって指定された番組スケジ
　　ュール情報が該第２の番組スケジュール情報である場合には、該第２の
　　チューナが選択される、
こと
　　そして、
Ｆ　該選択されたチューナによって受信され、該ユーザ選択によって指さ
　　れた番組スケジュール情報に対応するテレビジョン番組を提供する
こと
　とするのに対して、
　
甲２発明
　　そのような
こと
　　上記Ｖ１：『ＴＶ内容確認コマンド』又は、Ｖ２：『選択コマンド』又
　　は、Ｖ３：『記録コマンド』が発せられたときの上記動作をする
こと
（　『記録コマンド』が発せられたときの上記動作をする
こと
  　
プログラマブルチューナ
　　ュール情報のチャンネル（
オーバジエア放送
　　のチャンネル）に同調させる
こと
　　
プログラマブルチューナ
　　れた番組スケジュール情報に対応するテレビジョン番組を（記録信号と
　　して）提供する
こと
　
［５-２］本件発明１の新規性判断
　上記［５-１］のとおり、本件発明１と甲２発明は、上記［相違点１’］，［相違点２’］及び［相違点３’］で相違する（本件発明１は、甲２発明が備えない［相違点１’］，［相違点２’］及び［相違点３’］に係る構成を備える）から、本件発明１が甲２号証に記載された発明であるとはいえない。
　したがって、本件発明１は、甲２号証に記載された発明であるから特許法第２９条第１項第３号に該当し特許を受けることができない、とすることはできない。
　
［６］本件発明２，５，８，１０の新規性判断
　本件発明２，５，８，１０は、いずれも、請求項１を引用する発明であって、本件発明１にさらに限定事項を付加する発明であるところ、
　上記［５］で検討したとおり、
　本件発明１と甲２発明は、上記［本件発明１との相違点］、すなわち、上記［相違点１’］，［相違点２’］及び［相違点３’］で相違する（本件発明１は、甲２発明が備えない［相違点１’］，［相違点２’］及び［相違点３’］に係る構成を備える）のであるから、
　本件発明２，５，８，１０は、いずれも、甲２発明とは少なくとも上記［本件発明１との相違点］（上記［相違点１’］，［相違点２’］及び［相違点３’］）で相違するということができる。
　すなわち、本件発明１が甲２号証に記載された発明であるとはいえないのであるから、本件発明２，５，８，１０はいずれも甲２号証に記載された発明であるとはいえない。
　
　したがって、本件発明２，５，８，１０は、いずれも特許法第２９条第１項第３号に該当し特許を受けることができない、とすることはできない。
　
　また、本件発明１６について検討したのと同様に、本件発明５について検討してみれば、
　本件発明５と甲２発明は、
　本件発明１と甲２発明の相違点である上記［相違点１’］，［相違点２’］，［相違点３’］に加えて、
　［本件発明５との相違点４’］
　　本件発明５が下記要件５Ａを備えるのに対して、
　　甲２発明は要件５Ａを備えていない点
　でも相違する、
　ということができる。
　
【請求項５】
５Ａ：前記複数の番組スケジュール情報のそれぞれに対する信号ソース識別子を提供することをさらに包含し、各信号ソース識別子は、前記第１の伝送方式および前記第２の伝送方式のうちの１つを識別する、請求項１に記載の方法。
　
【まとめ：無効理由４（新規性欠如（２９条１項３号）】
　以上のとおりであるから、
　本件発明１，２，５，８，１０，１２，１３，１６，１９，２１は、いずれも、甲２号証に記載された発明であるから特許法第２９条第１項３号に該当し特許を受けることができない、とすることはできない。
　したがって，本件発明１，２，５，８，１０，１２，１３，１６，１９、２１に係る特許は，いずれも、特許法第２９条第１項の規定に違反してなされたものであるから同法第１２３条第１項第２号に該当し無効とすべきものである、とすることはできない。
　
［７］本件発明３，６，７，１１，１４，１７，１８，２２について（進歩
　　　性欠如）
　進歩性欠如を理由とする無効理由４は、
　本件発明３，７，１１，１４，１８，２２（計６）は、甲２号証に記載された発明に基づく容易想到であり、
　本件発明６，１７（計２）は、甲２号証に記載された発明及び甲５号証に記載された発明に基づく容易想到である。
　
［７-１］本件発明３，７，１１について（進歩性欠如についての判断）
　本件発明３，７，１１は、いずれも、本件発明１を引用する発明であるから、甲２発明とは上記［本件発明１との相違点］、すなわち、上記［相違点１’］，［相違点２’］及び［相違点３’］の点で相違があるといえるところ、
　甲２発明を出発点として、これら３つの相違点を克服して、
これら３つの相違点に係る本件発明３、７，１１の構成
これら３つの相違点に係る本件発明３，７，１１の構成
　甲２号証記載の発明に基づいて、これら３つの相違点の克服が当業者が容易になし得たことである、とはいえない。
　したがって、本件発明３，７，１１は、いずれも、甲２号証記載の発明に基づいて当業者が容易に発明をすることができたものである、とすることはできない。
　
［７-２］本件発明１４，１８，２２について（進歩性欠如についての判断）
　本件発明１４，１８，２２は、いずれも、本件発明１２を引用する発明であるから、甲２発明とは上記［本件発明１２との相違点］、すなわち、上記［相違点１］，［相違点２］及び［相違点３］の点で相違があるといえるところ、
　甲２発明を出発点として、これら３つの相違点を克服して、これら
３つの相違点に係る本件発明１４，１８，２２の構成
３つの相違点に係る本件発明１４，１８，２２の構成
　甲２号証記載の発明に基づいて、これら３つの相違点の克服が当業者が容易になし得たことである、とはいえない。
　したがって、本件発明１４，１８，２２は、いずれも、甲２号証記載の発明に基づいて当業者が容易に発明をすることができたものである、とすることはできない。
　
［７-３］本件発明６について（進歩性欠如についての判断）
　
　ア　【請求項６】
６Ａ：前記複数の番組スケジュール情報のうちユーザによって選択された１つの番組スケジュール情報を指定するユーザ選択を示す信号を受信することと、
６Ｂ：該ユーザ選択によって指定された番組スケジュール情報に対応する前記第１の伝送方式および前記第２の伝送方式のうちの１つを識別する信号ソース識別子を検索することと、
６Ｃ：該識別された伝送方式を用いる前記第１のチューナおよび前記第２のチューナのうちの１つからテレビジョン信号を受信することと
  をさらに包含する、請求項５に記載の方法。
　
　イ　本件発明６は、本件発明１を引用する本件発明５を更に引用する発明であるから、甲２発明とは少なくとも、上記［本件発明１との相違点］、すなわち、上記［相違点１’］，［相違点２’］及び［相違点３’］の点に加え、上記［本件発明５との相違点４’］でも相違があるといえる。　
　
　ウ　甲５号証
　甲５号証には、前記【第４-４】［１］（２）」で摘示した(タ)〜(ナ)の記載が認められる。
　
　〈甲５号証記載の発明〉
　放送ネツトワーク（たとえば、ＡＢＣ、ＮＢＣおよびＣＢＣ）は、「有線（ケーブル）サービス」と並列的に記載されていることなどから、無線電波による放送ネツトワークといえ、したがって、
　上記(タ)〜(ナ)によれば、
　「無線電波による放送ネツトワーク（たとえば、ＡＢＣ、ＮＢＣおよびＣＢＣ）と共に多数の有線（ケーブル）サービス・ネツトワーク（たとえば、ＨＢＯ、ＥＳＰＮ・Ｃｉｎｅｍａｘ、等）があり、視聴者にとつてはどのチヤンネル番号がどのネツトワークに対応しているか憶えきれないという問題があり｛(タ)｝、
　そのような問題を解決すべく、視聴者がネツトワークの名称のテキスト・ラベルを入力させ、そのラベルに同調させるべき特定チヤンネルを関連づけることのできる同調システムを提供することを課題とし｛(チ)｝、
  視聴者が、ネットワークの名称等の「テキストラベル」を手持ち遠隔制御ユニットで入力すると、入力したそのテキストラベルがメモリ中にあるかどうかサーチし、ラベルが見つかればそのラベルに相当するチャンネルにチューナが同調し、視聴者がそのチャンネルで放送されている番組を視聴できるようにした同調システム｛(ツ)〜(ナ)｝」（以下、「甲５発明ａ」という。）
　が記載されている、ということができる。
　
　請求人は、上記摘示(タ)〜(ナ)から、甲５号証には、
　『
無線電波による放送ネツトワークのチャンネルとケーブルサービスのネットワークのチャンネルのいずれのチャンネルについても
　視聴者が、ネットワークの名称等の「テキストラベル」を手持ち遠隔制御ユニットで入力するだけで、入力したそのテキストラベルがメモリ中にあるかどうかサーチし、ラベルが見つかればそのラベルに相当するチャンネルであって、上記
何れのネットワークのチャンネルについても
　が記載されている旨、主張している。
　
　上記摘示(タ)〜(ナ)から、請求人が記載されているとする上記「甲５発明ｂ」が記載されているとまでいえるかは定かではないが、
　以下、甲５号証には、上記「甲５発明ｂ」が記載されているとして論じることとする。
　
　エ　上記［相違点１’］，［相違点２’］，［相違点３’］
　　　及び［本件発明５との相違点４’］の克服の容易想到性
　エ-１　相違点１’］，［相違点２’］，［相違点３’］の克服
　上記甲５発明ｂは、
　甲２号証の(K22)「プログラム機能を有す多くのユニバーサルリモートコントローラーがあるが、その一方で、ユーザーが局名及びケーブルチャンネル名といった総称を入力できるものは存在せず、
ＶＣＲまたはケーブルデコーダに同調させるためにＣＰＵに名前を特定のチャンネルに変換させている。これは、ＣＰＵ２２８及びリモートコントローラー２１２中のケーブル指定ＲＡＭ２３８を備えることによって実現している
　上記［相違点１’］，［相違点２’］及び［相違点３’］を克服して、これら
３つの相違点に係る本件発明６の構成
３つの相違点に係る本件発明６の構成
　したがって、甲２発明を出発点として、甲５号証記載の発明に基づいて、上記［相違点１’］，［相違点２’］及び［相違点３’］を克服することは当業者が容易になし得たことである、とはいえない。
　
　エ-２　［本件発明５との相違点４’］の克服等
　請求人は、甲５号証の「ラベル」は、
　本件発明５でいう「前記複数の番組スケジュール情報のそれぞれに対する」「前記第１の伝送方式および前記第２の伝送方式のうちの１つを識別する」「信号ソース識別子」、
　本件発明６の要件６Ｂでいう「該ユーザ選択によって指定された番組スケジュール情報に対応する前記第１の伝送方式および前記第２の伝送方式のうちの１つを識別する信号ソース識別子」に該当すると主張している。
　
　しかし、上述の通り、甲５号証の「ラベル」は、甲２号証の(K22)記載の技術と基本的に同様の技術を示すにとどまるものであり、
　甲２号証の(K22)記載の技術における「ケーブルチャンネル名」やこれをを変換した「ケーブルチャンネル割当データ」が、本件発明５、６でいう上上記の「信号ソース識別子」とは言えないことは、「【第４-４】［４］〈甲２発明が要件１６Ａを備えていないといえる理由〉」で示したことから明らかである。
　すなわち、甲５号証の「ラベル」は、
　本件発明５でいう「前記複数の番組スケジュール情報のそれぞれに対する」「前記第１の伝送方式および前記第２の伝送方式のうちの１つを識別する」「信号ソース識別子」に該当する、とはいえないし、
　本件発明６の要件６Ｂでいう「該ユーザ選択によって指定された番組スケジュール情報に対応する前記第１の伝送方式および前記第２の伝送方式のうちの１つを識別する信号ソース識別子」に該当する、ともいえない。
　したがって、甲５号証記載の発明に基づいて、［本件発明５との相違点４’］の克服をすることは困難である。
　さらに、本件発明６の要件６Ｂに至ることも困難である。
　
　オ　まとめ（本件発明６について（進歩性欠如についての判断））
　以上によれば、本件発明６は、甲２号証記載の発明及び甲５号証記載の発明に基づいて当業者が容易に発明をすることができたものである、とすることはできない。
　
［７-４］本件発明１７について（進歩性欠如についての判断）　
　
　ア　【請求項１７】
１７Ａ：前記複数の番組スケジュール情報のうちユーザによって選択された１つの番組スケジュール情報を指定するユーザ選択を示す信号を受信する手段と、
１７Ｂ：該ユーザ選択によって指定された番組スケジュール情報に対応する前記第１の伝送方式および前記第２の伝送方式のうちの１つを識別する信号ソース識別子を検索する手段と、
１７Ｃ：該識別された伝送方式を用いる前記第１のチューナおよび前記第２のチューナのうちの１つからテレビジョン信号を受信する手段と
  をさらに含む、請求項１６に記載のシステム。
　
　イ　本件発明１７は、本件発明１２を引用する本件発明１６を更に引用する発明であるから、甲２発明とは少なくとも、上記［本件発明１２との相違点］、すなわち、上記［相違点１］，［相違点２］及び［相違点３］の点に加え、上記［本件発明１６との相違点４］で相違があるといえる。
　
　ウ　上記［相違点１］，［相違点２］，［相違点３］
　　　及び［本件発明１６との相違点４］の克服の容易想到性
　上記［７-３］で本件発明６についてした判断と同様、
　甲５号証記載の発明に基づいて、［本件発明１６との相違点４］の克服をすることは困難であるし、本件発明１７の要件１７Ｂに至ることも困難である。
　
　エ まとめ（本件発明１７について（進歩性欠如についての判断））
　したがって、本件発明１７に係る特許は特許法第２９条第２項の規定に違反してなされたものであるから同法第１２３条第１項第２号に該当し無効とすべきものである、とすることはできない。
　
【まとめ：無効理由４（進歩性欠如（２９条２項）】
　以上のとりであるから、
　本件発明３，７，１１，１４，１８，２２は、いずれも、甲２号証記載の発明に基づいて当業者が容易に発明をすることができたものである、とすることはできない。
　また、本件発明６，１７は、いずれも、甲２号証記載の発明及び甲５号証記載の発明に基づいて当業者が容易に発明をすることができたものである、とすることはできない。
　
　したがって、本件発明３，６，７，１１，１４，１７，１８，２２に係る特許は，いずれも、特許法第２９条第２項の規定に違反してなされたものであるから同法第１２３条第１項第２号に該当し無効とすべきものである、とすることはできない。
　
【第５】むすび
　
　以上のとおりであるから、
　請求人の主張及び証拠方法によっては、請求項１〜３，５〜８，１０〜１４，１６〜１９，２１及び２２に係る特許を無効とすることができない。
　
　審判に関する費用については、請求人の負担とする。
　
　よって、結論のとおり審決する。